(57)【要約】  複数のコンポーネントキャリア（ＣＣ）での動作をサポートするための制御情報を送信するための技法が開示される。ユーザ装置（ＵＥ）は、キャリアアグリゲーションのための複数のＣＣを用いて構成することができる。複数のＣＣは、異なるアップリンク−ダウンリンク構成と関連付けることができ、及び異なるダウンリンクサブフレーム及びアップリンクサブフレームを有することができる。一態様では、セカンダリＣＣ（ＳＣＣ）のためのアップリンク制御情報（ＵＣＩ）を、（ＳＣＣに関するＵＣＩ送信タイムラインに基づくのではなく）プライマリＣＣ（ＰＣＣ）に関するＵＣＩ送信タイムラインに基づいてＰＣＣで送信することができる。例えば、ＳＣＣに関するダウンリンク許可は、ＰＣＣに関するダウンリンク許可送信タイムラインに基づいて送信することができる。他の態様では、ＳＣＣのためのアップリンク許可を、（ＳＣＣに関するアップリンク許可送信タイムラインに基づくのではなく）ＰＣＣに関するアップリンク許可送信タイムラインに基づいてＰＣＣで送信することができる。
2014526196.tif 000002
【特許請求の範囲】
【請求項１】
キャリアアグリゲーションのためにユーザ装置（ＵＥ）に関して構成された第１のコンポーネントキャリア（ＣＣ）及び第２のＣＣを識別することであって、前記第１及び第２のＣＣは、異なるシステム構成と関連付けられることと、
前記ＵＥに対して前記第２のＣＣでデータ送信を送信することと、
前記第２のＣＣで前記データ送信のためのアップリンク制御情報（ＵＣＩ）を受信することであって、前記ＵＣＩは前記第２のＣＣに関するものであり及び前記第１のＣＣに関するＵＣＩ送信タイムラインに基づいて前記ＵＥによって前記第１のＣＣで送信されることと、を備える、無線通信のための方法。
【請求項２】
前記第１のＣＣは、前記ＵＥに関するプライマリＣＣ（ＰＣＣ）であり、前記第２のＣＣは、セカンダリＣＣ（ＳＣＣ）である請求項１に記載の方法。
【請求項３】
前記第１のＣＣは、第１のアップリンク−ダウンリンク構成と関連付けられ、前記第２のＣＣは、第２のアップリンク−ダウンリンク構成と関連付けられ、前記第１のＣＣに関する前記ＵＣＩ送信タイムラインは、前記第１のＣＣに関する前記第１のアップリンク−ダウンリンク構成に基づいて決定される請求項１に記載の方法。
【請求項４】
前記第１のＣＣは、前記第２のＣＣよりも多くのダウンリンクサブフレームと関連付けられる請求項１に記載の方法。
【請求項５】
前記ＵＣＩは、前記ＵＥに前記第２のＣＣで送信された前記データ送信に関する肯定応答／否定応答（ＡＣＫ／ＮＡＣＫ）を備える請求項１に記載の方法。
【請求項６】
前記ＡＣＫ／ＮＡＣＫは、チャネル選択を有する物理アップリンク制御チャネル（ＰＵＣＣＨ）形式１ｂに基づいて前記ＵＥによって送信され、前記ＡＣＫ／ＮＡＣＫに関するマッピングテーブルは、前記ＵＥに関して構成された全ＣＣに関する単一のアップリンクサブフレームと関連付けられた最大数のダウンリンクサブフレームに基づいて決定される請求項５に記載の方法。
【請求項７】
前記ＵＣＩは、前記ＵＥに関するチャネル状態情報（ＣＩＳ）構成に基づいて前記ＵＥによって送信されるＣＳＩを備える請求項１に記載の方法。
【請求項８】
前記第２のＣＣのためのチャネル状態情報（ＣＳＩ）を前記ＵＥから周期的に受信することであって、前記ＣＳＩは、前記第１のＣＣに関するアップリンク−ダウンリンク構成に基づいて決定された周期性で前記ＵＥによって送信されること、をさらに備える請求項１に記載の方法。
【請求項９】
前記第２のＣＣでの前記データ送信に関して前記ＵＥをスケジューリングするために前記第１のＣＣでダウンリンク許可を送信することであって、前記ダウンリンク許可は、前記第２のＣＣに関するものであり及び前記第１のＣＣに関するダウンリンク許可送信タイムラインに基づいて送信されること、をさらに備える請求項１に記載の方法。
【請求項１０】
前記第１のＣＣ又は前記第２のＣＣでのアップリンクデータ送信に関して前記ＵＥをスケジューリングするためのアップリンク許可を送信することであって、前記アップリンク許可は、前記第１のＣＣに関するアップリンク許可送信タイムラインに基づいて前記第１のＣＣで送信されること、をさらに備える請求項１に記載の方法。
【請求項１１】
前記第２のＣＣでのアップリンクデータ送信に関して前記ＵＥをスケジューリングするためのアップリンク許可を送信することであって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信されることをさらに備える請求項１に記載の方法。
【請求項１２】
前記ＵＥから前記第２のＣＣでアップリンクデータ送信を受信することと、
前記第２のＣＣでの前記アップリンクデータ送信に関する肯定応答／否定応答（ＡＣＫ／ＮＡＣＫ）を決定することと、
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信することと、をさらに備える請求項１に記載の方法。
【請求項１３】
キャリアアグリゲーションのためにユーザ装置（ＵＥ）に関して構成された第１のコンポーネントキャリア（ＣＣ）及び第２のＣＣを識別するための手段であって、前記第１及び第２のＣＣは、異なるシステム構成と関連付けられる手段と、
前記ＵＥに対して前記第２のＣＣでデータ送信を送信するための手段と、
前記第２のＣＣで前記データ送信のためのアップリンク制御情報（ＵＣＩ）を受信するための手段であって、前記ＵＣＩは前記第２のＣＣに関するものであり及び前記第１のＣＣに関するＵＣＩ送信タイムラインに基づいて前記ＵＥによって前記第１のＣＣで送信される手段と、を備える、無線通信のための装置。
【請求項１４】
前記第１のＣＣ又は前記第２のＣＣでのアップリンクデータ送信に関して前記ＵＥをスケジューリングするためのアップリンク許可を送信するための手段であって、前記アップリンク許可は、前記第１のＣＣに関するアップリンク許可送信タイムラインに基づいて前記第１のＣＣで送信される手段、をさらに備える請求項１３に記載の装置。
【請求項１５】
前記第２のＣＣでのアップリンクデータ送信に関して前記ＵＥをスケジューリングするためのアップリンク許可を送信するための手段であって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信される手段、をさらに備える請求項１３に記載の装置。
【請求項１６】
前記ＵＥから前記第２のＣＣでアップリンクデータ送信を受信するための手段と、
前記第２のＣＣでの前記アップリンクデータ送信に関する肯定応答／否定応答（ＡＣＫ／ＮＡＣＫ）を決定するための手段と、
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信するための手段と、をさらに備える請求項１３に記載の装置。
【請求項１７】
キャリアアグリゲーションのためにユーザ装置（ＵＥ）に関して構成された第１のコンポーネントキャリア（ＣＣ）及び第２のＣＣを識別し、
前記ＵＥに対して前記第２のＣＣでデータ送信を送信し、及び
前記第２のＣＣで前記データ送信のためのアップリンク制御情報（ＵＣＩ）を受信するように構成された少なくとも１つのプロセッサを備え、前記第１及び第２のＣＣは、異なるシステム構成と関連付けられ、前記ＵＣＩは前記第２のＣＣに関するものであり及び前記第１のＣＣに関するＵＣＩ送信タイムラインに基づいて前記ＵＥによって前記第１のＣＣで送信される、無線通信のための装置。
【請求項１８】
前記少なくとも１つのプロセッサは、前記第１のＣＣ又は前記第２のＣＣでのアップリンクデータ送信に関して前記ＵＥをスケジューリングするためのアップリンク許可を送信するようにさらに構成され、前記アップリンク許可は、前記第１のＣＣに関するアップリンク許可送信タイムラインに基づいて前記第１のＣＣで送信される請求項１７に記載の装置。
【請求項１９】
前記少なくとも１つのプロセッサは、前記第２のＣＣでのアップリンクデータ送信に関してＵＥをスケジューリングするためのアップリンク許可を送信するようにさらに構成され、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信される請求項１７に記載の装置。
【請求項２０】
前記少なくとも１つのプロセッサは、
前記ＵＥから前記第２のＣＣでアップリンクデータ送信を受信し、
前記第２のＣＣでの前記アップリンクデータ送信に関する肯定応答／否定応答（ＡＣＫ／ＮＡＣＫ）を決定し、及び
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信するようにさらに構成される請求項１７に記載の装置。
【請求項２１】
キャリアアグリゲーションのためにユーザ装置（ＵＥ）に関して構成された第１のコンポーネントキャリア（ＣＣ）及び第２のＣＣを識別することを少なくとも１つのプロセッサに行わせるためのコードであって、前記第１及び第２のＣＣは、異なるシステム構成と関連付けられるコードと、
前記ＵＥに対して前記第２のＣＣでデータ送信を送信することを前記少なくとも１つのプロセッサに行わせるためのコードと、
前記第２のＣＣで前記データ送信のためのアップリンク制御情報（ＵＣＩ）を受信することを前記少なくとも１つのプロセッサに行わせるためのコードであって、前記ＵＣＩは前記第２のＣＣに関するものであり及び前記第１のＣＣに関するＵＣＩ送信タイムラインに基づいて前記ＵＥによって前記第１のＣＣで送信されるコードと、を備える、非一時的なコンピュータによって読み取り可能な媒体、を備える、コンピュータプログラム製品。
【請求項２２】
キャリアアグリゲーションのためにユーザ装置（ＵＥ）に関して構成された第１のコンポーネントキャリア（ＣＣ）及び第２のＣＣを決定することであって、前記第１及び第２のＣＣは、異なるシステム構成と関連付けられることと、
前記第２のＣＣでデータ送信を受信することと、
前記第２のＣＣで前記データ送信のためのアップリンク制御情報（ＵＣＩ）を送信することであって、前記ＵＣＩは前記第２のＣＣに関するものであり及び前記第１のＣＣに関するＵＣＩ送信タイムラインに基づいて前記第１のＣＣで送信されることと、を備える、無線通信のための方法。
【請求項２３】
前記ＵＣＩは、前記ＵＥに対して前記第２のＣＣで送信された前記データ送信に関する肯定応答／否定応答（ＡＣＫ／ＮＡＣＫ）を備える請求項２２に記載の方法。
【請求項２４】
前記第２のＣＣでの前記データ送信に関して前記ＵＥをスケジューリングするために前記第１のＣＣで送信されたダウンリンク許可を受信することであって、前記ダウンリンク許可は、前記第２のＣＣに関するものであり及び前記第１のＣＣに関するダウンリンク許可送信タイムラインに基づいて送信されること、をさらに備える請求項２２に記載の方法。
【請求項２５】
前記第１のＣＣ又は前記第２のＣＣでのアップリンクデータ送信に関して前記ＵＥをスケジューリングするアップリンク許可を受信することであって、前記アップリンク許可は、前記第１のＣＣに関するアップリンク許可送信タイムラインに基づいて前記第１のＣＣで送信されること、をさらに備える請求項２２に記載の方法。
【請求項２６】
前記第２のＣＣでのアップリンクデータ送信に関して前記ＵＥをスケジューリングするアップリンク許可を受信することであって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信されること、をさらに備える請求項２２に記載の方法。
【請求項２７】
前記ＵＥによって前記第２のＣＣでアップリンクデータ送信を送信することと、
前記第２のＣＣでの前記アップリンクデータ送信に関する肯定応答／否定応答（ＡＣＫ／ＮＡＣＫ）を受信することであって、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信されることと、をさらに備える請求項２２に記載の方法。
【請求項２８】
キャリアアグリゲーションのためにユーザ装置（ＵＥ）に関して構成された第１のコンポーネントキャリア（ＣＣ）及び第２のＣＣを決定するための手段であって、前記第１及び第２のＣＣは、異なるシステム構成と関連付けられる手段と、
前記第２のＣＣでデータ送信を受信するための手段と、
前記第２のＣＣで前記データ送信のためのアップリンク制御情報（ＵＣＩ）を送信するための手段であって、前記ＵＣＩは前記第２のＣＣに関するものであり及び前記第１のＣＣに関するＵＣＩ送信タイムラインに基づいて前記第１のＣＣで送信される手段と、を備える、無線通信のための装置。
【請求項２９】
前記第１のＣＣ又は前記第２のＣＣでのアップリンクデータ送信に関して前記ＵＥをスケジューリングするアップリンク許可を受信するための手段であって、前記アップリンク許可は、前記第１のＣＣに関するアップリンク許可送信タイムラインに基づいて前記第１のＣＣで送信される手段、をさらに備える請求項２８に記載の装置。
【請求項３０】
前記第２のＣＣでのアップリンクデータ送信に関して前記ＵＥをスケジューリングするアップリンク許可を受信するための手段であって、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信される手段、をさらに備える請求項２８に記載の装置。
【請求項３１】
前記ＵＥによって前記第２のＣＣでアップリンクデータ送信を送信するための手段と、
前記第２のＣＣでの前記アップリンクデータ送信に関する肯定応答／否定応答（ＡＣＫ／ＮＡＣＫ）を受信するための手段であって、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信される手段と、をさらに備える請求項２８に記載の装置。
【請求項３２】
キャリアアグリゲーションのためにユーザ装置（ＵＥ）に関して構成された第１のコンポーネントキャリア（ＣＣ）及び第２のＣＣを決定し、
前記第２のＣＣでデータ送信を受信し、及び
前記第２のＣＣで前記データ送信のためのアップリンク制御情報（ＵＣＩ）を送信するように構成された少なくとも１つのプロセッサを備え、前記第１及び第２のＣＣは、異なるシステム構成と関連付けられ、前記ＵＣＩは前記第２のＣＣに関するものであり及び前記第１のＣＣに関するＵＣＩ送信タイムラインに基づいて前記第１のＣＣで送信される、無線通信のための装置。
【請求項３３】
前記少なくとも１つのプロセッサは、前記第１のＣＣ又は前記第２のＣＣでのアップリンクデータ送信に関して前記ＵＥをスケジューリングするアップリンク許可を受信するようにさらに構成され、前記アップリンク許可は、前記第１のＣＣに関するアップリンク許可送信タイムラインに基づいて前記第１のＣＣで送信される請求項３２に記載の装置。
【請求項３４】
前記少なくとも１つのプロセッサは、
前記第２のＣＣでのアップリンクデータ送信に関して前記ＵＥをスケジューリングするアップリンク許可を受信するようにさらに構成され、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信される請求項３２に記載の装置。
【請求項３５】
前記少なくとも１つのプロセッサは、
前記ＵＥによって前記第２のＣＣでアップリンクデータ送信を送信し、及び
前記第２のＣＣでの前記アップリンクデータ送信に関する肯定応答／否定応答（ＡＣＫ／ＮＡＣＫ）を受信するようにさらに構成され、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信される請求項３２に記載の装置。
【請求項３６】
キャリアアグリゲーションのためにユーザ装置（ＵＥ）に関して構成された第１のコンポーネントキャリア（ＣＣ）及び第２のＣＣを決定することを少なくとも１つのプロセッサに行わせるためのコードと、
前記第２のＣＣでデータ送信を受信することを前記少なくとも１つのプロセッサに行わせるためのコードと、
前記第２のＣＣで前記データ送信のためのアップリンク制御情報（ＵＣＩ）を送信することを前記少なくとも１つのプロセッサに行わせるためのコードと、を備える非一時的なコンピュータによって読み取り可能な媒体を備え、前記第１及び第２のＣＣは、異なるシステム構成と関連付けられ、前記ＵＣＩは前記第２のＣＣに関するものであり及び前記第１のＣＣに関するＵＣＩ送信タイムラインに基づいて前記第１のＣＣで送信される、コンピュータプログラム製品。
【請求項３７】
キャリアアグリゲーションのためにユーザ装置（ＵＥ）に関して構成された第１のコンポーネントキャリア（ＣＣ）及び第２のＣＣを識別することであって、前記第１及び第２のＣＣは、異なるシステム構成と関連付けられることと、
前記第２のＣＣでのアップリンクデータ送信に関して前記ＵＥをスケジューリングするために前記第１のＣＣでアップリンク許可を送信することであって、前記アップリンク許可は、前記第２のＣＣに関するものであり及び前記第１のＣＣに関するアップリンク許可送信タイムラインに基づいて前記第１のＣＣで送信されることと、を備える、無線通信のための方法。
【請求項３８】
前記第１のＣＣは、前記ＵＥに関するプライマリＣＣであり、前記第２のＣＣは、前記ＵＥに関するセカンダリＣＣである請求項３７に記載の方法。
【請求項３９】
前記第１のＣＣは、第１のアップリンク−ダウンリンク構成と関連付けられ、前記第２のＣＣは、第２のアップリンク−ダウンリンク構成と関連付けられ、前記第１のＣＣに関する前記アップリンク許可送信タイムラインは、前記第１のＣＣに関する前記第１のアップリンク−ダウンリンク構成に基づいて決定される請求項３７に記載の方法。
【請求項４０】
前記第１のＣＣは、前記第２のＣＣよりも多くのダウンリンクサブフレームと関連付けられる請求項３７に記載の方法。
【請求項４１】
前記アップリンク許可に基づいて前記ＵＥによって前記第２のＣＣで送信されたアップリンクデータ送信を受信することと、
前記アップリンクデータ送信に関する肯定応答／否定応答（ＡＣＫ／ＮＡＣＫ）を決定することと、
前記第１のＣＣに関するＡＣＫ／ＮＡＣＫ送信タイムラインに基づいて決定されたサブフレームにおいて前記第１のＣＣで前記ＡＣＫ／ＮＡＣＫを送信することと、をさらに備える請求項３７に記載の方法。
【請求項４２】
前記決定されたサブフレームは、前記第１のＣＣに関するアップリンク−ダウンリンク構成に基づいて前記第１のＣＣでＡＣＫ／ＮＡＣＫを送信することができるサブフレームである請求項４１に記載の方法。
【請求項４３】
前記第１のＣＣでのアップリンクデータ送信に関して前記ＵＥをスケジューリングするために前記第１のＣＣで第２のアップリンク許可を送信することであって、前記第２のアップリンク許可は、前記第１のＣＣに関するものであり及び前記第１のＣＣに関する前記アップリンク許可送信タイムラインに基づいて送信されること、をさらに備える請求項３７に記載の方法。
【請求項４４】
キャリアアグリゲーションのためにユーザ装置（ＵＥ）に関して構成された第１のコンポーネントキャリア（ＣＣ）及び第２のＣＣを識別するための手段であって、前記第１及び第２のＣＣは、異なるシステム構成と関連付けられる手段と、
前記第２のＣＣでのアップリンクデータ送信に関して前記ＵＥをスケジューリングするために前記第１のＣＣでアップリンク許可を送信するための手段であって、前記アップリンク許可は、前記第２のＣＣに関するものであり及び前記第１のＣＣに関するアップリンク許可送信タイムラインに基づいて前記第１のＣＣで送信される手段と、を備える、無線通信のための装置。
【請求項４５】
前記アップリンク許可に基づいて前記ＵＥによって前記第２のＣＣで送信されたアップリンクデータ送信を受信するための手段と、
前記アップリンクデータ送信に関する肯定応答／否定応答（ＡＣＫ／ＮＡＣＫ）を決定するための手段と、
前記第１のＣＣに関するＡＣＫ／ＮＡＣＫ送信タイムラインに基づいて決定されたサブフレームにおいて前記第１のＣＣで前記ＡＣＫ／ＮＡＣＫを送信するための手段と、をさらに備える請求項４４に記載の装置。
【請求項４６】
前記第１のＣＣでのアップリンクデータ送信に関して前記ＵＥをスケジューリングするために前記第１のＣＣで第２のアップリンク許可を送信するための手段であって、前記第２のアップリンク許可は、前記第１のＣＣに関するものであり及び前記第１のＣＣに関する前記アップリンク許可送信タイムラインに基づいて送信される手段、をさらに備える請求項４４に記載の装置。
【請求項４７】
キャリアアグリゲーションのためにユーザ装置（ＵＥ）に関して構成された第１のコンポーネントキャリア（ＣＣ）及び第２のＣＣを識別し、及び
前記第２のＣＣでのアップリンクデータ送信に関して前記ＵＥをスケジューリングするために前記第１のＣＣでアップリンク許可を送信するように構成された少なくとも１つのプロセッサを備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、無線通信のための装置。
【請求項４８】
前記少なくとも１つのプロセッサは、
前記アップリンク許可に基づいて前記ＵＥによって前記第２のＣＣで送信されたアップリンクデータ送信を受信し、
前記アップリンクデータ送信に関する肯定応答／否定応答（ＡＣＫ／ＮＡＣＫ）を決定し、及び
前記第１のＣＣに関するＡＣＫ／ＮＡＣＫ送信タイムラインに基づいて決定されたサブフレームにおいて前記第１のＣＣで前記ＡＣＫ／ＮＡＣＫを送信するようにさらに構成される請求項４７に記載の装置。
【請求項４９】
前記少なくとも１つのプロセッサは、前記第１のＣＣでのアップリンクデータ送信に関して前記ＵＥをスケジューリングするために前記第１のＣＣで第２のアップリンク許可を送信するようにさらに構成され、前記第２のアップリンク許可は、前記第１のＣＣに関するものであり及び前記第１のＣＣに関する前記アップリンク許可送信タイムラインに基づいて送信される請求項４７に記載の装置。
【請求項５０】
キャリアアグリゲーションのためにユーザ装置（ＵＥ）に関して構成された第１のコンポーネントキャリア（ＣＣ）及び第２のＣＣを識別することを少なくとも１つのプロセッサに行わせるためのコードと、
前記第２のＣＣでのアップリンクデータ送信に関して前記ＵＥをスケジューリングするために前記第１のＣＣでアップリンク許可を送信することを前記少なくとも１つのプロセッサに行わせるためのコードと、を備える非一時的なコンピュータによって読み取り可能な媒体を備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、コンピュータプログラム製品。
【請求項５１】
キャリアアグリゲーションのためにユーザ装置（ＵＥ）に関して構成された第１のコンポーネントキャリア（ＣＣ）及び第２のＣＣを決定することであって、前記第１及び第２のＣＣは、異なるシステム構成と関連付けられることと、
前記第２のＣＣでのアップリンクデータ送信に関して前記ＵＥをスケジューリングするために前記第１のＣＣで送信されたアップリンク許可を受信することであって、前記アップリンク許可は、前記第２のＣＣに関するものであり及び前記第１のＣＣに関するアップリンク許可送信タイムラインに基づいて前記第１のＣＣで送信されることと、を備える、無線通信のための方法。
【請求項５２】
前記アップリンク許可に基づいて前記第２のＣＣでアップリンクデータ送信を送信することと、
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信することと、をさらに備える請求項５１に記載の方法。
【請求項５３】
前記第１のＣＣでのアップリンクデータ送信に関して前記ＵＥをスケジューリングするために前記第１のＣＣで第２のアップリンク許可を受信することであって、前記第２のアップリンク許可は、前記第１のＣＣに関するものであり及び前記第１のＣＣに関する前記アップリンク許可送信タイムラインに基づいて送信されること、をさらに備える請求項５１に記載の方法。
【請求項５４】
キャリアアグリゲーションのためにユーザ装置（ＵＥ）に関して構成された第１のコンポーネントキャリア（ＣＣ）及び第２のＣＣを決定するための手段であって、前記第１及び第２のＣＣは、異なるシステム構成と関連付けられる手段と、
前記第２のＣＣでのアップリンクデータ送信に関して前記ＵＥをスケジューリングするために前記第１のＣＣで送信されたアップリンク許可を受信するための手段であって、前記アップリンク許可は、前記第２のＣＣに関するものであり及び前記第１のＣＣに関するアップリンク許可送信タイムラインに基づいて前記第１のＣＣで送信される手段と、を備える、無線通信のための装置。
【請求項５５】
前記アップリンク許可に基づいて前記第２のＣＣでアップリンクデータ送信を送信するための手段と、
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信するための手段と、をさらに備える請求項５４に記載の装置。
【請求項５６】
前記第１のＣＣでのアップリンクデータ送信に関して前記ＵＥをスケジューリングするために前記第１のＣＣで送信された第２のアップリンク許可を受信するための手段であって、前記第２のアップリンク許可は、前記第１のＣＣに関するものであり及び前記第１のＣＣに関する前記アップリンク許可送信タイムラインに基づいて送信される手段、をさらに備える請求項５４に記載の装置。
【請求項５７】
キャリアアグリゲーションのためにユーザ装置（ＵＥ）に関して構成された第１のコンポーネントキャリア（ＣＣ）及び第２のＣＣを決定し、及び
前記第２のＣＣでのアップリンクデータ送信に関して前記ＵＥをスケジューリングするために前記第１のＣＣで送信されたアップリンク許可を受信するように構成された少なくとも１つのプロセッサを備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、無線通信のための装置。
【請求項５８】
前記少なくとも１つのプロセッサは、
前記アップリンク許可に基づいて前記第２のＣＣでアップリンクデータ送信を送信し、及び
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信するようにさらに構成される請求項５７に記載の装置。
【請求項５９】
前記少なくとも１つのプロセッサは、前記第１のＣＣでのアップリンクデータ送信に関して前記ＵＥをスケジューリングするために前記第１のＣＣで送信された第２のアップリンク許可を受信するようにさらに構成され、前記第２のアップリンク許可は、前記第１のＣＣに関するものであり及び前記第１のＣＣに関する前記アップリンク許可送信タイムラインに基づいて送信される請求項５７に記載の装置。
【請求項６０】
キャリアアグリゲーションのためにユーザ装置（ＵＥ）に関して構成された第１のコンポーネントキャリア（ＣＣ）及び第２のＣＣを決定することを少なくとも１つのプロセッサに行わせるためのコードと、
前記第２のＣＣでのアップリンクデータ送信に関して前記ＵＥをスケジューリングするために前記第１のＣＣで送信されたアップリンク許可を受信することを前記少なくとも１つのプロセッサに行わせるためのコードと、を備える非一時的なコンピュータによって読み取り可能な媒体、を備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、コンピュータプログラム製品。
【発明の詳細な説明】
【技術分野】
【０００１】
３５  Ｕ．Ｓ．Ｃ．§１１９に基づく優先権の主張
本特許出願は、“TRANSMISSION OF CONTROL INFORMATION IN A TDD SYSTEM WITH CARRIER AGGREGATION”（キャリアアグリゲーションを用いるＴＤＤシステムにおける制御情報の送信）という題名を有し、これの譲受人に対して譲渡され、引用によってここにおいて明示で組み入れられている米国仮特許出願一連番号第６１／５１１，９３２号（出願日：２０１１年７月２６日）に対する優先権を主張するものである。
【０００２】
本開示は、概して、通信に関するものである。本開示は、より具体的には、無線通信ネットワークにおいて制御情報を送信するための技法に関するものである。
【背景技術】
【０００３】
様々な通信コンテンツ、例えば、音声、映像、パケットデータ、メッセージング、ブロードキャスト、等、を提供することを目的として無線通信ネットワークが広範囲にわたって配備されている。これらの無線ネットワークは、利用可能なネットワークリソースを共有することによって複数のユーザをサポートすることが可能な多元接続ネットワークであることができる。該多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークと、を含む。
【０００４】
無線通信ネットワークは、幾つかのユーザ装置（ＵＥ）のための通信をサポートすることができる幾つかの基地局を含むことができる。ＵＥは、ダウンリンク及びアップリンクを介して基地局と通信することができる。ダウンリンク（又は順方向リンク）は、基地局からＵＥへの通信リンクを意味し、アップリンク（又は逆方向リンク）は、ＵＥから基地局への通信リンクを意味する。
【０００５】
無線通信ネットワークは、複数のコンポーネントキャリア（ｃｏｍｐｏｎｅｎｔ  ｃａｒｒｉｅｒ）（ＣＣ）での動作をサポートすることができる。ＣＣは、通信のために使用されるある範囲の周波数を意味することができ、幾つかの特徴と関連付けることができる。例えば、ＣＣは、ＣＣでの動作を記述するシステム情報と関連付けることができる。ＣＣは、搬送波、周波数チャネル、セル、等と呼ばれることもある。基地局は、ＵＥに対して１つ以上のＣＣでデータ及びダウンリンク制御情報（ＤＣＩ）を送信することができる。ＵＥは、基地局に対して１つ以上のＣＣでデータ及びアップリンク制御情報（ＵＣＩ）を送信することができる。
【発明の概要】
【０００６】
複数のＣＣでの動作をサポートするために制御情報を送信するための技法がここにおいて説明される。ＵＥは、キャリアアグリゲーション（ｃａｒｒｉｅｒ  ａｇｇｒｅｇａｔｉｏｎ）のために複数のＣＣを用いて構成することができる。１つのＣＣは、ＵＥに関するプライマリＣＣ（ＰＣＣ）として指定することができる。各々の残りのＣＣは、ＵＥに関するセカンダリＣＣ（ＳＣＣ）とみなすことができる。複数のＣＣは、異なるアップリンク−ダウンリンク構成と関連付けることができ、異なるダウンリンクサブフレーム及びアップリンクサブフレームを有することができる。
【０００７】
本開示の一態様では、ＳＣＣのためのＵＣＩは、（ＳＣＣに関するＵＣＩ送信タイムラインに基づくのではなく）ＰＣＣに関するＵＣＩ送信タイムラインに基づいてＰＣＣで送信することができる。一設計では、基地局は、キャリアアグリゲーションのためにＵＥに関して構成された第１のＣＣ及び第２のＣＣを識別することができ、第１及び第２のＣＣは、異なるシステム構成、例えば、異なるアップリンク−ダウンリンク構成、と関連付けられる。基地局は、第２のＣＣでのデータ送信に関してＵＥをスケジューリングするために第１のＣＣでダウンリンク許可（ｇｒａｎｔ）を送信することができる。ダウンリンク許可は、第２のＣＣに関するものであることができ、及び、第１のＣＣに関するダウンリンク許可送信タイムラインに基づいて送信することができる。ｅＮＢは、ＵＥに対して第２のＣＣでデータ送信を送信することができる。ｅＮＢは、第２のＣＣでのデータ送信のためのＵＣＩを受信することができる。ＵＣＩは、第２のＣＣに関するものであることができ、及び、第１のＣＣに関するＵＣＩ送信タイムラインに基づいてＵＥによって第１のＣＣで送信することができる。
【０００８】
本開示の他の態様では、ＳＣＣのためのアップリンク許可は、（ＳＣＣに関するアップリンク許可送信タイムラインに基づくのではなく）ＰＣＣに関するアップリンク許可送信タイムラインに基づいてＰＣＣで送信することができる。一設計では、基地局は、キャリアアグリゲーションのためにＵＥに関して構成された第１のＣＣ及び第２のＣＣを識別することができ、第１及び第２のＣＣは、異なるシステム構成、例えば、異なるアップリンク−ダウンリンク構成、と関連付けられる。ｅＮＢは、第２のＣＣでのアップリンクデータ送信に関してＵＥをスケジューリングするために第１のＣＣでアップリンク許可を送信することができる。アップリンク許可は、第２のＣＣに関するものであることができ、及び、第１のＣＣに関するアップリンク許可送信タイムラインに基づいて第１のＣＣで送信することができる。ｅＮＢは、アップリンク許可に基づいてＵＥによって第２のＣＣで送信されたアップリンクデータ送信を受信することができる。ｅＮＢは、アップリンクデータ送信に関する肯定応答／否定応答（ＡＣＫ／ＮＡＣＫ）を決定することができる。ｅＮＢは、第１のＣＣのためのＡＣＫ／ＮＡＣＫ送信タイムラインに基づいて決定されたサブフレームにおいて第１のＣＣでＡＣＫ／ＮＡＣＫを送信することができる。
【０００９】
本開示の様々な態様及び特徴が以下においてさらに詳細に説明される。
【図面の簡単な説明】
【００１０】
【図１】無線通信ネットワークを示した図である。
【図２】典型的なフレーム構造を示した図である。
【図３Ａ】ＨＡＲＱを用いたダウンリンクでのデータ送信例を示した図である。
【図３Ｂ】ＨＡＲＱを用いたアップリンクでのデータ送信例を示した図である。
【図４Ａ】アップリンク−ダウンリンク構成１を有するＣＣでのダウンリンク及びアップリンクのそれぞれにおけるデータ送信を示した図である。
【図４Ｂ】アップリンク−ダウンリンク構成１を有するＣＣでのダウンリンク及びアップリンクのそれぞれにおけるデータ送信を示した図である。
【図５Ａ】アップリンク−ダウンリンク構成２を有するＣＣでのダウンリンク及びアップリンクのそれぞれにおけるデータ送信を示した図である。
【図５Ｂ】アップリンク−ダウンリンク構成２を有するＣＣでのダウンリンク及びアップリンクのそれぞれにおけるデータ送信を示した図である。
【図６Ａ】連続的及び非連続的キャリアアグリゲーションを示した図である。
【図６Ｂ】連続的及び非連続的キャリアアグリゲーションを示した図である。
【図７Ａ】ＳＣＣでのダウンリンク及びアップリンクデータ送信を示した図であり、制御情報はＳＣＣに関するＨＡＲＱタイムラインに基づいてＰＣＣで送信される。
【図７Ｂ】ＳＣＣでのダウンリンク及びアップリンクデータ送信を示した図であり、制御情報はＳＣＣに関するＨＡＲＱタイムラインに基づいてＰＣＣで送信される。
【図８Ａ】ＳＣＣでのダウンリンク及びアップリンクデータ送信を示した図であり、制御情報はＰＣＣに関するＨＡＲＱタイムラインに基づいてＰＣＣで送信される。
【図８Ｂ】ＳＣＣでのダウンリンク及びアップリンクデータ送信を示した図であり、制御情報はＰＣＣに関するＨＡＲＱタイムラインに基づいてＰＣＣで送信される。
【図８Ｃ】ＳＣＣでのダウンリンク及びアップリンクデータ送信を示した図であり、制御情報はＰＣＣに関するＨＡＲＱタイムラインに基づいてＰＣＣで送信される。
【図８Ｄ】ＳＣＣでのダウンリンク及びアップリンクデータ送信を示した図であり、制御情報はＰＣＣに関するＨＡＲＱタイムラインに基づいてＰＣＣで送信される。
【図９Ａ】クロスサブフレームスケジューリングを有するＳＣＣでのダウンリンク及びアップリンクデータ送信を示した図である。
【図９Ｂ】クロスサブフレームスケジューリングを有するＳＣＣでのダウンリンク及びアップリンクデータ送信を示した図である。
【図１０Ａ】ＳＣＣでのダウンリンク及びアップリンクデータ送信を示した図であり、別々のダウンリンクＰＣＣ及びアップリンクＰＣＣを有する。
【図１０Ｂ】ＳＣＣでのダウンリンク及びアップリンクデータ送信を示した図であり、別々のダウンリンクＰＣＣ及びアップリンクＰＣＣを有する。
【図１１】複数のＣＣで動作するための様々なプロセス及び複数のＣＣでの動作をサポートするための様々なプロセスを示した図である。
【図１２】複数のＣＣで動作するための様々なプロセス及び複数のＣＣでの動作をサポートするための様々なプロセスを示した図である。
【図１３】複数のＣＣで動作するための様々なプロセス及び複数のＣＣでの動作をサポートするための様々なプロセスを示した図である。
【図１４】複数のＣＣで動作するための様々なプロセス及び複数のＣＣでの動作をサポートするための様々なプロセスを示した図である。
【図１５】複数のＣＣで動作するための様々なプロセス及び複数のＣＣでの動作をサポートするための様々なプロセスを示した図である。
【図１６】複数のＣＣで動作するための様々なプロセス及び複数のＣＣでの動作をサポートするための様々なプロセスを示した図である。
【図１７】複数のＣＣで動作するための様々なプロセス及び複数のＣＣでの動作をサポートするための様々なプロセスを示した図である。
【図１８】複数のＣＣで動作するための様々なプロセス及び複数のＣＣでの動作をサポートするための様々なプロセスを示した図である。
【図１９】複数のＣＣで動作するための様々なプロセス及び複数のＣＣでの動作をサポートするための様々なプロセスを示した図である。
【図２０】複数のＣＣで動作するための様々なプロセス及び複数のＣＣでの動作をサポートするための様々なプロセスを示した図である。
【図２１】複数のＣＣで動作するための様々なプロセス及び複数のＣＣでの動作をサポートするための様々なプロセスを示した図である。
【図２２】複数のＣＣで動作するための様々なプロセス及び複数のＣＣでの動作をサポートするための様々なプロセスを示した図である。
【図２３】ＵＥ及び基地局のブロック図である。
【図２４】ＵＥ及び基地局の他のブロック図である。
【発明を実施するための形態】
【００１１】
以下の詳細な発明を実施するための形態は、添付図と関係され、様々な構成に関する説明であることが意図され、ここにおいて説明される概念を実践することができる唯一の構成を表すことは意図されない。詳細な発明を実施するための形態は、様々な概念に関する徹底的な理解を提供することを目的とする具体的な詳細を含む。しかしながら、これらの概念はこれらの具体的な詳細なしに実践可能であることが当業者にとって明確であろう。幾つかの例においては、該概念を曖昧にすることを回避するために、よく知られた構造及びコンポーネントは、ブロック図形で示される。
【００１２】
ここにおいて説明される技法は、様々な無線通信ネットワーク、例えば、ＣＤＭＡ、ＴＤＭＡ、ＦＤＭＡ、ＯＦＤＭＡ、ＳＣ−ＦＤＭＡ及びその他の無線ネットワーク、に関して用いることができる。用語“ネットワーク”及び“システム”は、しばしば互換可能な形で用いられる。ＣＤＭＡネットワークは、ユニバーサル地上無線アクセス（ＵＴＲＡ）、ｃｄｍａ２０００、等の無線技術を実装することができる。ＵＴＲＡは、広帯域ＣＤＭＡ（ＷＣＤＭＡ（登録商標））と、時分割同期ＣＤＭＡ（ＴＤ−ＳＣＤＭＡ）と、ＣＤＭＡのその他の変形と、を含む。ｃｄｍａ２０００は、ＩＳ−２０００規格、ＩＳ−９５規格及びＩＳ−８５６規格を網羅する。ＴＤＭＡネットワークは、グローバル移動体通信システム（ＧＳＭ（登録商標））、等の無線技術を実装することができる。ＯＦＤＭＡネットワークは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ及びＷｉ−Ｆｉ  Ｄｉｒｅｃｔ）、ＩＥＥＥ８０２．１６（ＷｉＭＡＸ）、ＩＥＥＥ８０２．２０、Ｆｌａｓｈ−ＯＦＤＭＡ（登録商標）、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（Ｌｏｎｇ  Ｔｅｒｍ  Ｅｖｏｌｕｔｉｏｎ）（ＬＴＥ）及びＬＴＥ−Ａｄｖａｎｃｅｄ（ＬＴＥ−Ａ）は、周波数分割複信（ＦＤＤ）及び時分割複信（ＴＤＤ）の両方であり、Ｅ−ＵＴＲＡを使用するＵＭＴＳの最近のリリース版であり、ダウンリンクではＯＦＤＭＡ及びアップリンクではＳＣ−ＦＤＭＡを採用する。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）という名称の組織からの文書において記述される。ｃｄｍａ２０００及びＵＭＢは、“第３世代パートナーシッププロジェクト２”（３ＧＰＰ２）という名称の組織からの文書において記述される。ここにおいて説明される技法は、上述される無線ネットワーク及び無線技術、及びその他の無線ネットワーク及び無線技術のために用いることができる。明確化のため、これらの技法の幾つかの態様は、ＬＴＥに関して以下において説明されており、以下の説明の多くの部分においてはＬＴＥ用語が用いられる。ここにおける説明では、用語“ＬＴＥ”は、概して、別の記載がないかぎり、ＬＴＥの全リリースを意味する。
【００１３】
図１は、ＬＴＥネットワーク又はあるその他の無線ネットワークであることができる無線通信ネットワーク１００を示す。無線ネットワーク１００は、幾つかのエボルブドノードＢ（ｅＮＢ）１１０と、その他のネットワークエンティティと、を含むことができる。ｅＮＢは、ＵＥと通信するエンティティであることができ、基地局、ノードＢ、アクセスポイント、と呼ばれることもある。各ｅＮＢ１１０は、特定の地理上のエリアのための通信カバレッジを提供することができる。３ＧＰＰでは、用語“セル”は、その用語が使用される文脈に依存して、カバレッジエリアにサービスを提供するｅＮＢ及び／又はｅＮＢサブシステムのこのカバレッジエリアを意味することができる。
【００１４】
ｅＮＢは、マクロセル、ピコセル、フェムトセル、及び／又はその他のタイプのセルのための通信カバレッジを提供することができる。マクロセルは、相対的に大きい地理上のエリア（例えば、半径数キロメートル）を網羅することができ、サービス加入契約を有するＵＥによる無制限のアクセスを許容することができる。ピコセルは、相対的に小さい地理上のエリアを網羅し、サービス加入契約を有するＵＥによる無制限のアクセスを許容することができる。フェムトセルは、相対的に小さい地理上のエリア（例えば、住宅）を網羅し、フェムトセルとの関連性を有するＵＥ（例えば、クローズド加入者グループ（ＣＳＧ）内のＵＥ）による制限されたアクセスを許容することができる。図１に示される例では、ｅＮＢ１１０ａ、１１０ｂ及び１１０ｃは、マクロセル１０２ａ、１０２ｂ及び１０２ｃのためのそれぞれのマクロｅＮＢであることができる。ｅＮＢ１００ｘは、ピコセル１０２ｘのためのピコｅＮＢであることができる。ｅＮＢ１００ｙ及び１１０ｚは、フェムトセル１０２ｙ及び１０２ｚのそれぞれのためのホームｅＮＢであることができる。ｅＮＢは、１つ又は複数の（例えば、３つの）セルをサポートすることができる。
【００１５】
無線ネットワーク１００は、中継器を含むこともできる。中継器は、上流局（例えば、ｅＮＢ、ＵＥ、等）からのデータの送信を受信し、下流局（例えば、ＵＥ又はｅＮＢ、等）にデータの送信を送るエンティティである。中継器は、その他のＵＥのための送信を中継するＵＥであることもできる。図１に示される例では、中継器１１０ｒは、ｅＮＢ１１０ａとＵＥ１２０ｒとの間での通信を容易にするためにｅＮＢ１１０ａ及びＵＥ１２０ｒと通信することができる。
【００１６】
ネットワークコントローラ１３０は、ｅＮＢの組に結合し、これらのｅＮＢに関する調整及び制御を提供することができる。ネットワークコントローラ１３０は、バックホールを介してｅＮＢと通信することができる。ｅＮＢは、例えば、直接的に又は無線バックホール又は有線バックホールを介して間接的に、互いに通信することもできる。
【００１７】
ＵＥ１２０（例えば、１２０ｘ、１２０ｙ、等）は、無線ネットワーク１００全体にわたって分散することができ、各ＵＥは、静止型又は移動型であることができる。ＵＥは、端末、移動局、加入者ユニット、局、等と呼ばれることもある。ＵＥは、携帯電話、スマートフォン、タブレット、ネットブック、スマートブック、パーソナルデジタルアシスタント（ＰＤＡ）、無線モデム、無線通信デバイス、ハンドヘルドデバイス、ラップトップコンピュータ、コードレスフォン、ワイヤレスローカルループ（ＷＬＬ）局、等であることができる。ＵＥは、マクロｅＮＢ、ピコｅＮＢ、フェムトｅＮＢ、中継器、又はその他のＵＥ、等と通信することができる。
【００１８】
無線ネットワーク１００は、データ送信の信頼性を向上させるためにハイブリッド自動再送（ＨＡＲＱ）をサポートすることができる。ＨＡＲＱの場合は、送信機（例えば、ｅＮＢ）は、トランスポートブロックの送信を送信することができ、及び、必要な場合は、トランスポートブロックが受信機（例えば、ＵＥ）によって正確に復号されるか又は最大数の送信が送信されるまで、又は何らかのその他の終了条件に遭遇するまで、１つ以上の追加の送信を送信することができる。トランスポートブロックは、パケット、コードワード、等と呼ばれることもある。同期的なＨＡＲＱに関しては、トランスポートブロックのすべての送信を単一のＨＡＲＱインターレースのサブフレームで送信することができ、それは、均等に間隔があけられたサブフレームを含むことができる。非同期的なＨＡＲＱに関しては、トンランスポートブロックの各送信は、いずれのサブフレームでも送信することができる。
【００１９】
無線ネットワーク１００は、ＦＤＤ及び／又はＴＤＤを利用することができる。ＦＤＤに関しては、ダウンリンク及びアップリンクに別々の周波数チャネルを割り当てることができ、ダウンリンク送信及びアップリンク送信をそれらの別々の周波数チャネルで同時並行して送信することができる。ＴＤＤに関しては、ダウンリンク及びアップリンクは、同じ周波数チャネルを共有することができ、ダウンリンク及びアップリンク送信は、異なる期間に同じ周波数チャネルで送信することができる。ここにおける説明では、ＦＤＤ  ＣＣは、ＦＤＤを利用するＣＣであり、ＴＤＤ  ＣＣは、ＴＤＤを利用するＣＣである。
【００２０】
図２は、ＬＴＥにおけるＴＤＤに関する典型的なフレーム構造を示す。ダウンリンク及びアップリンクのための送信タイムラインは、無線フレーム単位に分割することができる。各無線フレームは、予め決定された継続時間（例えば、１０ミリ秒（ｍｓ））を有することができ及び０乃至９のインデックスを有する１０のサブフレームに分割することができる。各サブフレームは、２つのスロットを含むことができる。従って、各無線フレームは、０乃至１９のインデックスを有する２０のスロットを含むことができる。各スロットは、Ｌのシンボル期間、例えば、（図２に示されるように）通常のサイクリックプリフィックスに関しては７つのシンボル期間又は拡張されたサイクリックプリフィックスに関しては６つのシンボル期間、を含むことができる。各サブフレーム内の２Ｌのシンボル期間には、０乃至２Ｌ−１のインデックスを割り当てることができる。利用可能な時間周波数リソースは、リソースブロックに分割することができる。各リソースブロックは、１つのスロットで１２の副搬送波を網羅することができる。
【００２１】
ＬＴＥは、ＴＤＤに関する幾つかのアップリンク−ダウンリンク構成をサポートする。すべてのアップリンク−ダウンリンク構成に関して、ダウンリンクに関してはサブフレーム０及び５が使用され、アップリンクに関してはサブフレーム２が使用される。アップリンク−ダウンリンク構成に依存してダウンリンク又はアップリンクに関してサブフレーム３、４、７、８及び９を各々使用することができる。サブフレーム１は、（ｉ）ダウンリンク制御チャネル及びデータ送信のために使用されるダウンリンクパイロットタイムスロット（ＤｗＰＴＳ）、（ｉｉ）送信なしのガード期間（ＧＰ）、及び（ｉｉｉ）ランダムアクセスチャネル（ＲＡＣＨ）又はサウンディングレファレンス信号（ｓｏｕｎｄｉｎｇ  ｒｅｆｅｒｅｎｃｅ  ｓｉｇｎａｌ）（ＳＲＳ）のいずれかのために使用されるアップリンクパイロットタイムスロット（ＵｐＰＴＳ）から成る３つの特別なフィールドを含む。サブフレーム６は、アップリンク−ダウンリンク構成に依存して、ＤｗＰＴＳのみ、すべての３つの特別なフィールド、又はダウンリンクサブフレームを含むことができる。ＤｗＰＴＳ、ＧＰ及びＵｐＰＴＳは、異なるサブフレーム構成に関して異なる継続時間を有することができる。ダウンリンクのために使用されるサブフレームは、ダウンリンクサブフレームと呼ぶことができ、アップリンクのために使用されるサブフレームは、アップリンクサブフレームと呼ぶことができる。
【００２２】
表１は、ＴＤＤに関してＬＴＥによってサポートされる７つのアップリンク−ダウンリンク構成を記載する。各アップリンク−ダウンリンク構成は、各サブフレームがダウンリンクサブフレーム（表１では“Ｄ”で表される）、アップリンクサブフレーム（表１では“Ｕ”で表される）、又は特別なサブフレーム（表１では“Ｓ”で表される）のいずれであるかを示す。表１に示されるように、アップリンク−ダウンリンク構成１乃至５は、ダウンリンクヘビー（ｄｏｗｎｌｉｎｋ  ｈｅａｖｙ）であり、それは、各無線フレーム内にはアップリンクサブフレームよりも多くのダウンリンクサブフレームが存在することを意味する。アップリンク−ダウンリンク構成６は、アップリンクヘビーであり、各無線フレーム内にはダウンリンクサブフレームよりも多くのアップリンクサブフレームが存在することを意味する。
【表１】
2014526196.tif 000003
【００２３】
図２に示されるように、ダウンリンクサブフレームは、データ領域と時分割多重化された（ＴＤＭ）制御領域を含むことができる。制御領域は、サブフレームの最初のＭのシンボル期間を占めることができ、ここで、Ｍは、１、２、３又は４であり、サブフレームごとに変わることができる。データ領域は、サブフレームの残りのシンボル期間を占めることができる。
【００２４】
アップリンクサブフレームは、データ領域と周波数分割多重化された（ＦＤＭ）制御領域を含むことができる。制御領域は、システム帯域幅の２つの縁部近くのリソースブロックを占めることができる。データ領域は、システム帯域幅の中央の残りのリソースブロックを占めることができる。
【００２５】
図２に示されるように、ＬＴＥにおけるダウンリンクでは、ｅＮＢは、物理制御フォーマットインジケータチャネル（ＰＣＦＩＣＨ）、物理ＨＡＲＱインジケータチャネル（ＰＨＩＣＨ）、物理ダウンリンク制御チャネル（ＰＤＣＣＨ）、及び／又はサブフレームの制御領域内のその他の物理チャネルを送信することができる。ＰＣＦＩＣＨは、制御領域のサイズを搬送することができる。ＰＨＩＣＨは、ＨＡＲＱを用いてアップリンクで送信されるデータ送信に関するＡＣＫ／ＮＡＣＫを搬送することができる。ＰＤＣＣＨは、ダウンリンク制御情報（ＤＣＩ）例えば、ダウンリンク許可、アップリンク許可、等、を搬送することができる。ｅＮＢは、物理ダウンリンク共有チャネル（ＰＤＳＣＨ）及び／又はサブフレームのデータ領域内のその他の物理チャネルを送信することができる。ＰＤＳＣＨは、ダウンリンクでのデータ送信に関してスケジューリングされたＵＥのためのデータを搬送することができる。
【００２６】
同じく図２に示されるように、ＬＴＥにおけるダウンリンクでは、ＵＥは、サブフレームの制御領域における物理アップリンク制御チャネル（ＰＵＣＣＨ）又はサブフレームのデータ領域における物理アップリンク共有チャネル（ＰＵＳＣＨ）を送信することができる。ＰＵＣＣＨは、アップリンク制御情報（ＵＣＩ）例えば、ＨＡＲＱを有するダウンリンクで送られたデータ送信に関するＡＣＫ／ＮＡＣＫ、ダウンリンクでのデータ送信をサポートするためのチャネル状態情報（ＣＳＩ）、を搬送することができる。ＰＵＳＣＨは、データのみ又はデータとＵＣＩの両方を搬送することができる。
【００２７】
公に入手可能な３ＧＰＰ  ＴＳ  ３６．２１１“Evolved Universal Terrestrial Radio Access(E-UTRA); Physical Channels and Modulation”（エボルブドユニバーサル地上無線アクセス（Ｅ−ＵＴＲＡ）；物理チャネル及び変調）ではＬＴＥにおける様々な信号およびチャネルについて記述されている。
【００２８】
図３Ａは、ＨＡＲＱを有するダウンリンクでのデータ送信例を示す。ｅＮＢは、ダウンリンクでのデータ送信に関してＵＥをスケジューリングすることができる。ｅＮＢは、サブフレームｔＤ１においてＵＥに対してＰＤＣＣＨでダウンリンク（ＤＬ）許可を及びＰＤＳＣＨで１つ以上のトランスポートブロックのデータ送信を送信することができる。ＵＥは、ダウンリンク許可を受信することができ及びダウンリンク許可に基づいてＰＤＳＣＨで受信されたデータ送信を処理（例えば、復調及び復号）することができる。ＵＥは、各トランスポートブロックが正しく復号されたか又は誤って復号されたかに基づいてＡＣＫ／ＮＡＣＫを決定することができる。ＡＣＫ／ＮＡＣＫは、ＡＣＫ／ＮＡＣＫフィードバック、ＨＡＲＱフィードバック、等と呼ばれることもある。ＡＣＫ／ＮＡＣＫは、正しく復号された各トランスポートブロックに関するＡＣＫと、誤って復号された各トランスポートブロックに関するＮＡＣＫと、を含むことができる。ＡＣＫ／ＮＡＣＫは、その他の情報を含むこともできる。ＵＥは、サブフレームｔＤ２においてｅＮＢに対してＰＵＣＣＨ又はＰＵＳＣＨでＡＣＫ／ＮＡＣＫを送信することができる。ｅＮＢは、ＵＥからＡＣＫ／ＮＡＣＫを受信することができる。ｅＮＢは、正しく復号された各トランスポートブロックの送信を終了することができ及びサブフレームｔＤ３においてＵＥによって誤って復号された各トランスポートブロックの他の送信を送信することができる。
【００２９】
図３Ｂは、ＨＡＲＱを有するアップリンクでのデータ送信例を示す。ｅＮＢは、アップリンクでのデータ送信に関してＵＥをスケジューリングすることができる。ｅＮＢは、サブフレームｔＵ１においてＵＥに対してＰＤＣＣＨでアップリンク（ＵＬ）許可を送信することができる。ＵＥは、アップリンク許可を受信することができ及びサブフレームｔＵ２においてＰＵＳＣＨで１つ以上のトランスポートブロックのデータ送信を送信することができる。ｅＮＢは、アップリンク許可に基づいてＰＵＳＣＨで受信されたデータ送信を処理（例えば、復調及び復号）することができる。ｅＮＢは、各トランスポートブロックが正しく復号されたか又は誤って復号されたかに基づいてＡＣＫ／ＮＡＣＫを決定することができる。ｅＮＢは、サブフレームｔＵ３においてＵＥに対してＰＨＩＣＨでＡＣＫ／ＮＡＣＫを送信することができる。ｅＮＢは、ｅＮＢによって誤って復号された各トランスポートブロックのデータ送信に関してＵＥをスケジューリングすることができる（図３Ｂには示されていない）。
【００３０】
図３Ａ及び３Ｂに示されるように、データは、ＣＣに関して適用可能なＨＡＲＱタイムラインに基づいて所定のＣＣで送信することができ、ＣＣのために利用可能なダウンリンクサブフレーム及びアップリンクサブフレームに依存することができる。図３Ａに示されるダウンリンクでのデータ送信に関して、基地局／ｅＮＢは、ダウンリンクサブフレームｔＤ１でダウンリンク許可及びデータを送信することができ、ＵＥは、アップリンクサブフレームｔＤ２＝ｔＤ１＋ＴＵＬ_ＡＣＫでＡＣＫ／ＮＡＣＫを送信することができ、ここで、ＬＴＥリリース１０ではＦＤＤに関してはＴＵＬ_ＡＣＫ＝４、ＴＤＤに関してはＴＵＬ_ＡＣＫ≧４である。図３Ｂに示されるアップリンクでのデータ送信に関して、基地局は、ダウンリンクサブフレームｔＵ１でアップリンク許可を送信することができ、ＵＥは、アップリンクサブフレームｔＵ２＝ｔＵ１＋ＴＵＬ_Ｄａｔａでデータを送信することができ、及び、基地局は、サブフレームｔＵ３＝ｔＵ２＋ＴＤＬ_ＡＣＫでＡＣＫ／ＮＡＣＫを送信することができ、ここで、ＬＴＥ  Ｒｅｌｅａｓｅ１０では、ＦＤＤに関してはＴＵＬ_Ｄａｔａ＝ＴＤＬ_ＡＣＫ＝４、ＴＤＤに関してはＴＵＬ_Ｄａｔａ≧４及びＴＤＬ_ＡＣＫ≧４である。
【００３１】
ＦＤＤ  ＣＣに関して、ダウンリンクサブフレーム及びアップリンクサブフレームは両方とも各１ｍｓ期間で利用可能であり、ＡＣＫ／ＮＡＣＫは、データ送信後の４つのサブフレーム後に送信することができる。ＴＤＤ  ＣＣに関しては、ダウンリンクサブフレーム又はアップリンクサブフレームのいずれかが各１ｍｓ期間で利用可能であり、ＡＣＫ／ＮＡＣＫは、データ送信後の少なくとも４つのサブフレーム後であるダウンリンク（又はアップリンク）に関して最初の利用可能なサブフレームにおいてダウンリンク（又はアップリンク）で送信することができる。
【００３２】
ＴＤＤに関して、各アップリンク−ダウンリンク構成の各アップリンクサブフレームは、アップリンクでのデータ送信のための特定のＨＡＲＱタイムラインと関連付けることができ、それは、アップリンクＨＡＲＱタイムラインと呼ぶことができる。各アップリンクサブフレームに関するアップリンクＨＡＲＱタイムラインは、（ｉ）ＰＤＣＣＨでアップリンク許可を送信するための特定のダウンリンクサブフレーム及び（ｉｉ）そのアップリンクサブフレームにおけるＰＵＳＣＨでのデータ送信をサポートするためにＰＨＩＣＨでＡＣＫ／ＮＡＣＫを送信するための特定のダウンリンクサブフレームを示す。図３Ｂに示されるように、アップリンク許可は、データがＰＵＳＣＨで送信されるアップリンクサブフレームよりもｎＵＬ_Ｄａｔａサブフレームだけ早いダウンリンクサブフレームにおいてＰＤＣＣＨで送信することができる。
【００３３】
表２は、表１に示される７つのアップリンク−ダウンリンク構成に関してアップリンク許可をＰＤＣＣＨで送信することができる異なるダウンリンクサブフレームに関するｎＵＬ_Ｄａｔａの値を記載する。一例として、アップリンク−ダウンリンク構成０に関しては、アップリンク許可は、（ｉ）アップリンクサブフレーム４でＰＵＩＳＣＨでのデータ送信をサポートするためにダウンリンクサブフレーム０において又は（ｉｉ）アップリンクサブフレーム７におけるＰＵＳＣＨでのデータ送信をスケジューリングするためにダウンリンクサブフレーム１においてＰＤＣＣＨで送信することができる。アップリンク−ダウンリンク構成１乃至５に関しては、データを送信するために利用可能なアップリンクサブフレームの数よりも多くのダウンリンクサブフレームをＤＣＩを送信するために利用可能である。従って、アップリンク許可を送信するために幾つかのダウンリンクサブフレームは利用されない。
【表２】
2014526196.tif 000004
【００３４】
同じく図３Ｂに示されるように、ＡＣＫ／ＮＡＣＫは、ＰＵＳＣＨでデータが送信されるアップリンクサブフレームよりもｎＤＬ_ＡＣＫサブフレームだけ遅いダウンリンクサブフレームにおいてＰＨＩＣＨで送信することができ、ここで、ＬＴＥ  Ｒｅｌｅａｓｅ１０ではｎＤＬ_ＡＣＫ≧４である。表３は、表１に示される７つのアップリンク−ダウンリンク構成に関してＡＣＫ／ＮＡＣＫをＰＨＩＣＨで送信することができる異なるダウンリンクサブフレームに関するｎＤＬ_ＡＣＫの値を記載する。一例として、アップリンク−ダウンリンク構成０に関しては、ＡＣＫ／ＮＡＣＫは、（ｉ）前の無線フレームのアップリンクサブフレーム８においてＰＵＳＣＨで送信されたデータ送信に関するダウンリンクサブフレーム５で又は（ｉｉ）アップリンクサブフレーム２においてＰＵＳＣＨで送信されたデータ送信に関してダウンリンクサブフレーム６においてＰＨＩＣＨで送信することができる。ＡＣＫ／ＮＡＣＫをＰＨＩＣＨで送信することができるサブフレームは、ＰＨＩＣＨサブフレーム、非ゼロＰＨＩＣＨサブフレーム、等と呼ぶことができる。ＰＨＩＣＨサブフレームは、表３においてゼロでないｎＤＬ_ＡＣＫ値を有するサブフレームである。
【表３】
2014526196.tif 000005
【００３５】
ＴＤＤに関しては、各アップリンク−ダウンリンク構成の各ダウンリンクサブフレームは、ダウンリンクでのデータ送信のための特定のＨＡＲＱタイムラインとも関連付けられ、それは、ダウンリンクＨＡＲＱタイムラインと呼ぶことができる。各ダウンリンクサブフレームに関するダウンリンクＨＡＲＱタイムラインは、そのダウンリンクサブフレームにおいてＰＤＳＣＨで送信されたデータ送信に関してＰＵＣＣＨ又はＰＵＳＣＨでＡＣＫ／ＮＡＣＫを送信する特定のアップリンクサブフレームを示す。図３Ａに示されるように、ＡＣＫ／ＮＡＣＫは、ＰＤＳＣＨでデータが送信されるダウンリンクサブフレームよりもｎＵＬ_ＡＣＫサブフレームだけ遅いアップリンクサブフレームにおいてＰＵＣＣＨ又はＰＵＳＣＨで送信することができ、ここで、ＬＴＥ  Ｒｅｌｅａｓｅ１０ではｎＵＬ_ＡＣＫ≧４である。
【００３６】
表４は、表１に示される７つのアップリンク−ダウンリンク構成に関してＰＵＣＣＨ又はＰＵＳＣＨでＡＣＫ／ＮＡＣＫを送信することができる異なるアップリンクサブフレームに関するｎＵＬ_ＡＣＫの値を記載する。一例として、アップリンク−ダウンリンク構成０に関しては、ＡＣＫ／ＮＡＣＫは、（ｉ）前の無線フレームのダウンリンクサブフレーム６においてＰＤＳＣＨで送信されたデータ送信に関してはアップリンクサブフレーム２において又は（ｉｉ）ダウンリンクサブフレーム０においてＰＤＳＣＨで送信されたデータ送信に関してはアップリンクサブフレーム４においてＰＵＣＣＨ又はＰＵＳＣＨで送信することができる。
【表４】
2014526196.tif 000006
【００３７】
図４Ａは、アップリンク−ダウンリンク構成１の場合のＴＤＤ  ＣＣでのダウンリンクデータ送信を示す。アップリンク−ダウンリンク構成１に関して、各無線フレームは、ダウンリンクサブフレーム０、１、４、５、６及び９（“Ｄ”及び“Ｓ”で表される）及びアップリンクサブフレーム２、３、７及び８（“Ｕ”で表される）を含む。ダウンリンクでのデータ送信に関して、ｅＮＢは、ダウンリンク（ＤＬ）許可及びデータをダウンリンクサブフレーム０、１、４、５、６及び９において送信することができ、ＵＥは、ＡＣＫ／ＮＡＣＫをアップリンクサブフレーム７、７、８、２、２及び３においてそれぞれ送信することができる。
【００３８】
図４Ｂは、アップリンク−ダウンリンク構成１の場合のＴＤＤ  ＣＣでのアップリンクデータ送信を示す。ｅＮＢは、アップリンク（ＵＬ）許可をダウンリンクサブフレーム１、４、６及び９において送信することができ、ＵＥは、データをアップリンクフレーム７、８、２及び３においてそれぞれ送信することができ、及びｅＮＢは、ＡＣＫ／ＮＡＣＫをダウンリンクサブフレーム１、４、６及び９でそれぞれ送信することができる。         
図５Ａは、アップリンク−ダウンリンク構成２の場合のＴＤＤ  ＣＣでのダウンリンクデータ送信を示す。アップリンク−ダウンリンク構成２に関して、各無線フレームは、ダウンリンクサブフレーム０、１、３、４、５、６、８及び９及びアップリンクサブフレーム２及び７を含む。ダウンリンクでのデータ送信に関して、ｅＮＢは、ＤＬ許可及びデータをダウンリンクサブフレーム０、１、３、４、５、６、８及び９において送信することができ、ＵＥは、ＡＣＫ／ＮＡＣＫをアップリンクサブフレーム７、７、７、２、２、２、２及び７においてそれぞれ送信することができる。         
図５Ｂは、アップリンク−ダウンリンク構成２の場合のＴＤＤ  ＣＣでのアップリンクデータ送信を示す。ｅＮＢは、ＵＬ許可をダウンリンクサブフレーム３及び８において送信することができ、ＵＥは、データをアップリンクサブフレーム７及び２においてそれぞれ送信することができ、及びｅＮＢは、ＡＣＫ／ＮＡＣＫをダウンリンクサブフレーム３及び８においてそれぞれ送信することができる。
【００３９】
無線ネットワーク１００は、ダウンリンク及びアップリンクの各々に関して単一の搬送波又は複数のＣＣでの動作をサポートすることができる。複数のＣＣでの動作は、キャリアアグリゲーション（ＣＡ）、多搬送波動作、等と呼ばれることがある。
【００４０】
図６Ａは、連続的なキャリアアグリゲーションの例を示す。ＫのＣＣを利用可能であり及び互いに隣接することができ、ここで、概して、Ｋは、あらゆる整数値であることができる。ＬＴＥでは、各ＣＣは２０ＭＨｚ以下の帯域幅を有することができる。
【００４１】
図６Ｂは、非連続的なキャリアアグリゲーションの例を示す。ＫのＣＣを利用可能であり及び互いに分離していることができる。ＬＴＥでは、各ＣＣは２０ＭＨｚ以下の帯域幅を有することができる。
【００４２】
一設計では、データ及び制御情報は、各ＣＣで独立して送信及び受信することができる。これは、（ｉ）送信エンティティにおいて各ＣＣに関して別々の逆高速フーリエ変換（ＩＦＦＴ）及び別々の送信機を及び（ｉｉ）受信エンティティにおいて各ＣＣに関して別々の受信機及び別々の高速フーリエ変換（ＦＦＴ）を使用することによって達成することができる。１つのシンボル期間において最大でＫのＣＣで最大でＫのＯＦＤＭシンボル又はＳＣ−ＦＤＭＡシンボルを同時並行して送信することができる。
【００４３】
他の設計では、データ及び制御情報は、すべてのＣＣでいっしょに送信及び受信することができる。これは、（ｉ）送信エンティティにおいてすべてのＫのＣＣに関して単一のＩＦＦＴ及び単一の送信機を及び（ｉｉ）受信エンティティにおいてすべてのＫのＣＣに関して単一の受信機及び単一のＦＦＴを使用することによって達成することができる。１つのシンボル期間において最大でＫのＣＣで単一のＯＦＤＭシンボル又はＳＣ−ＦＤＭＡシンボルを送信することができる。
【００４４】
ＬＴＥ  Ｒｅｌｅａｓｅ１０では、ＵＥは、キャリアアグリゲーションのために最大で５つのＣＣを用いて構成することができる。各ＣＣは、最大で２０ＭＨｚの帯域幅を有することができ及びＬＴＥ  Ｒｅｌｅａｓｅ８と後方互換可能である。従って、ＵＥは、最大で５つのＣＣに関して最大で１００ＭＨｚを用いて構成することができる。一設計では、１つのＣＣをダウンリンクに関するプライマリＣＣ（ＰＣＣ）として指定することができ及びダウンリンクＰＣＣと呼ぶことができる。ダウンリンクＰＣＣは、幾つかのＤＣＩ、例えば、ダウンリンク許可、アップリンク許可、ＡＣＫ／ＮＡＣＫ、等を搬送することができる。一設計では、１つのＣＣをアップリンクに関するプライマリＣＣとして指定することができ及びアップリンクＰＣＣと呼ぶことができる。アップリンクＰＣＣは、幾つかのＵＣＩ、例えば、ＡＣＫ／ＮＡＣＫ、等を搬送することができる。一設計では、ダウンリンクＰＣＣは、アップリンクＰＣＣと同じであることができ、両方ともＰＣＣと呼ぶことができる。他の設計では、ダウンリンクＰＣＣは、アップリンクＰＣＣと異なることができる。
【００４５】
キャリアアグリゲーションに関して、ＵＥは、ダウンリンクにおける１つのＰＣＣ及び１つ以上のセカンダリＣＣ（ＳＣＣ）での動作をサポートすることができる。ＵＥは、アップリンクにおける１つのＰＣＣ及びゼロ以上のＳＣＣでの動作をサポートすることもできる。ＳＣＣは、ＰＣＣでないＣＣである。
【００４６】
ＵＥは、キャリアアグリゲーションのための複数のＣＣを用いて構成することができる。これらの複数のＣＣは、異なるシステム構成と関連付けることができ及び（ｉ）ＴＤＤ及びＦＤＤ  ＣＣの組み合わせ及び／又は（ｉｉ）異なるアップリンク−ダウンリンク構成を有するＣＣを含むことができる。異なるＣＣに関する異なるアップリンク−ダウンリンク構成は、様々な理由、例えば、（ｉ）例えば、表１に示されるように、ＴＤＤに関して異なるアップリンク−ダウンリンク構成、（ｉｉ）中継器の動作をサポートするためのダウンリンクサブフレームとアップリンクサブフレームの分割、ホームｅＮＢ、ピコｅＮＢ、等をサポートするためのダウンリンクサブフレーム及びアップリンクサブフレームの割り当て、及び／又は（ｉｖ）その他の理由に起因することができる。異なるアップリンク−ダウンリンク構成は、ダウンリンク及びアップリンクに関して利用可能な異なるサブフレームと関連付けることができる。従って、複数のＣＣを、（ｉ）ダウンリンクでデータ及びＤＣＩを送信するために利用可能な異なるダウンリンクサブフレーム及び（ｉｉ）アップリンクでデータ及びＤＣＩを送信するために利用可能な異なるアップリンクサブフレームと関連付けることができる。異なるシステム構成を有する複数のＣＣをサポートすることは、配備の柔軟性を高めることができるが、複数のＣＣでの動作を複雑にすることがある。
【００４７】
明確化を目的として、ここにおける説明では次の用語が使用される。
【００４８】
・ＰＣＣ−ダウンリンク及び／又はアップリンクで制御情報を搬送するように指定されたＣＣ
・ＳＣＣ−ＰＣＣでないＣＣ
・ＰＣＣ構成−ＰＣＣに関するアップリンク−ダウンリンク構成
・ＳＣＣ構成−ＳＣＣに関するアップリンク−ダウンリンク構成
・ＰＣＣタイムライン−ＰＣＣに関するＨＡＲＱタイムライン
・ＳＣＣタイムライン−ＳＣＣに関するＨＡＲＱタイムライン
一例として、ＵＥは、３つのＣＣ、ＣＣ１、ＣＣ２及びＣＣ３で構成することができ、各ＣＣは、ＤＬ  ＣＣとＵＬ  ＣＣとを含む。ＣＣ１、ＣＣ２及びＣＣ３のためのＵＣＩは、ＵＣＩがＰＵＣＣＨを用いて送信される場合はＵＬ  ＣＣ１で送信することができる。その結果、ＵＬ  ＣＣ１は、ＵＬ  ＰＣＣと呼ぶことができ、他方、ＵＬ  ＣＣ２及びＵＬ  ＣＣ３は、ＵＬ  ＳＣＣと呼ぶことができる。ＤＬ  ＣＣ１は、ＤＬ  ＰＣＣとして指定することができ、ＤＬ  ＣＣ２は、ＤＬ  ＳＣＣとして指定することができる。この場合は、ＣＣ２のためのＤＣＩは、ＤＬ  ＣＣ１で送信することができる。代替として、ＣＣ２のためのＤＣＩは、ＤＬ  ＣＣ３で送信することができ、その場合は、ＤＬ  ＣＣ３は、ＣＣ２に関するダウンリンク及び／又はアップリンクデータ送信をスケジューリングすることができ、ＤＬ  ＣＣ２に関するＤＬ  ＰＣＣと呼ぶことができる。
【００４９】
制御情報は、複数のＣＣでの動作をサポートするために様々な方法で送信することができ、ＴＤＤ配備において異なるアップリンク−ダウンリンク構成を有する。一設計では、複数のＣＣに関してクロスキャリア（ｃｒｏｓｓ−ｃａｒｒｉｅｒ）制御をサポートすることができる。クロスキャリア制御に関しては、制御情報は、他のＣＣでのデータ送信をサポートするために１つのＣＣで送信することができる。
【００５０】
一設計では、制御情報は、各ＣＣに関するＨＡＲＱタイムラインに基づいてそのＣＣのために送信することができる。この設計では、ＰＣＣでのデータ送信は、そのＰＣＣに関するＨＡＲＱタイムラインに基づいてサポートすることができ、それは、そのＰＣＣに関するアップリンク−ダウンリンク構成に依存することができる。ＰＣＣでのデータ送信は、単一のＣＣの場合と同じ方法で生じることができる。
【００５１】
ＳＣＣでのデータ送信は、ＳＣＣに関するＨＡＲＱタイムラインに基づいてダウンリンクＰＣＣではＤＣＩを及びアップリンクＰＣＣではＵＣＩを送信することによってサポートすることができ、それは、そのＳＣＣに関するアップリンク−ダウンリンク構成に依存することができる。しかしながら、ＳＣＣに関するアップリンク−ダウンリンク構成がＰＣＣに関するアップリンク−ダウンリンク構成と異なる場合は、制御情報を送信する上でのＰＣＣでのサブフレームがないことに起因して幾つかのサブフレームではＳＣＣでのデータ送信をスケジューリングすることができないことがある。これは、様々な理由による。第１に、許可を送信するために使用されるスケジューリング用ＣＣがアップリンクヘビーであり、ダウンリンクサブフレームよりも多くのアップリンクサブフレームを含んでいることがある。この場合は、許可を送信する上でのスケジューリング用ＣＣでのダウンリンクサブフレームがないことに起因して幾つかのダウンリンクサブフレーム及び／又はアップリンクサブフレームではＳＣＣでのデータ送信をスケジューリングすることができないことがある。第２に、ＰＣＣがダウンリンクヘビーであり、アップリンクサブフレームよりも多くのダウンリンクサブフレームを含むことがある。この場合は、ＡＣＫ／ＮＡＣＫを送信する上でのＰＣＣでのアップリンクサブフレームがないことに起因して幾つかのダウンリンクサブフレームではＳＣＣでのデータ送信をスケジューリングすることができないことがある。第３に、ＰＣＣでのダウンリンクサブフレームがないことに起因してＰＨＩＣＨでＡＣＫ／ＮＡＣＫを送信するのが困難なことがある。
【００５２】
図７Ａ及び７Ｂは、ＳＣＣに関するＨＡＲＱタイムラインに基づいてＰＣＣで制御情報を送信することによってＳＣＣでのデータ送信をサポートする例を示す。この例では、ＵＥは、２つのＣＣ、ＣＣ１及びＣＣ２で構成され、ＣＣ１は、アップリンク−ダウンリンク１を有するＳＣＣであり、ＣＣ２は、アップリンク−ダウンリンク構成２を有するＰＣＣである。ＰＣＣに関するダウンリンクサブフレーム及びアップリンクサブフレームは、アップリンク−ダウンリンク構成２によって決定され、図７Ａ及び７Ｂにおいてラベルが付されている。ＳＣＣに関するダウンリンクサブフレーム及びアップリンクサブフレームは、アップリンク−ダウンリンク構成１によって決定され、同じく図７Ａ及び７Ｂにおいてラベルが付されている
ＰＣＣでのデータ送信は、ＰＣＣのアップリンク−ダウンリンク構成２に関するＨＡＲＱタイムラインに基づいてサポートすることができる。ＳＣＣでのデータ送信は、以下において説明されるように、ＳＣＣのアップリンク−ダウンリンク構成１に関するＨＡＲＱタイムラインに基づいてサポートすることができる。
【００５３】
図７Ａは、ＳＣＣでのダウンリンクデータ送信を示し、制御情報は、ＳＣＣに関するＨＡＲＱタイムラインに基づいてＰＣＣで送信される。ＳＣＣの場合は、アップリンク−ダウンリンク構成１に関して、６つのサブフレーム０、１、４、５、６及び９はダウンリンクサブフレームであり、４つのサブフレーム２、３、７及び８は、アップリンクサブフレームである。ダウンリンクサブフレーム０、１、５及び６におけるＳＣＣでのダウンリンクデータ送信は、（ｉ）ダウンリンクサブフレーム０、１、５及び６においてＰＣＣでダウンリンク許可をそれぞれ送信し及び（ｉｉ）７、７、２及び２においてＰＣＣでＡＣＫ／ＮＡＣＫを送信することによって達成することができる。図７Ａでは、ＰＣＣでのダウンリンクサブフレームからＳＣＣでのダウンリンクサブフレームまでの単一の矢印を有する線は、ＳＣＣでのダウンリンクデータ送信に関してＰＣＣで送信されたダウンリンク許可を示す。線の中央の数字は、ＨＡＲＱプロセス番号を示す。ＳＣＣでのダウンリンクサブフレームからＰＣＣでのアップリンクサブフレームまでの単一の矢印を有する線は、ＳＣＣでのダウンリンクデータ送信に関するＡＣＫ／ＮＡＣＫフィードバックを示す。
【００５４】
ダウンリンクサブフレーム４及び９におけるＳＣＣでのダウンリンクデータ送信は、ＡＣＫ／ＮＡＣＫを送信するためのアップリンクサブフレームがないことに起因してサポートすることができない。特に、ダウンリンクサブフレーム４でのデータ送信に関しては、ＡＣＫ／ＮＡＣＫは、ＳＣＣに関するアップリンク−ダウンリンク構成１に基づいてアップリンクサブフレーム８においてＰＣＣで送信されるべきである。しかしながら、サブフレーム８は、ＰＣＣに関するアップリンク−ダウンリンク構成２に起因するＰＣＣでのダウンリンクサブフレームであり、ＡＣＫ／ＮＡＣＫは、ダウンリンクサブフレーム８においてＰＣＣでアップリンクでは送信することができない。
【００５５】
図７Ｂは、ＳＣＣでのアップリンクデータ送信を示し、制御情報は、ＳＣＣに関するＨＡＲＱタイムラインに基づいてＰＣＣで送信される。アップリンクサブフレーム２、３、７及び８におけるＳＣＣでのアップリンクデータ送信は、（ｉ）ダウンリンクサブフレーム６、９、１及び４においてＰＣＣでアップリンク許可をそれぞれ送信し及び（ｉｉ）ダウンリンクサブフレーム６、９、１及び４においてＰＣＣでＡＣＫ／ＮＡＣＫをそれぞれ送信することによって達成することができる。
【００５６】
概して、異なるアップリンク−ダウンリンク構成を有する複数のＣＣのアグリゲーションは、その結果として、幾つかのサブフレームがＳＣＣに関するＨＡＲＱタイムラインに基づいてスケジューリング不能になることがある。幾つかのアップリンク−ダウンリンク構成は特に問題である。例えば、ダウンリンクサブフレーム数とアップリンクサブフレーム数の点で非対称性が非常に高いアップリンク−ダウンリンク構成（例えば、アップリンク−ダウンリンク構成１及び５）は、サブフレームをスケジューリングできない可能性が高くなる。幾つかのサブフレームがある１つのＣＣでのダウンリンクサブフレームであり、他のＣＣでのアップリンクサブフレームであるアップリンク−ダウンリンク構成（例えば、アップリンク−ダウンリンク構成１及び３、アップリンク−ダウンリンク構成２及び３、及びアップリンク−ダウンリンク構成２及び４）も問題になることがある。ＳＣＣに関するアップリンク−ダウンリンク構成のＨＡＲＱタイムラインに基づいたＳＣＣでのデータ送信は、スケジューリング不能なサブフレームに起因してピークのデータレートに悪影響を及ぼすことがある。
【００５７】
異なるアップリンク−ダウンリンク構成を有する複数のＣＣでのデータ送信をサポートするために様々な方式を使用することができる。これらの方式は、以下の方式のうちの１つ以上を含むことができる。
【００５８】
方式１−ＳＣＣのためのＤＣＩ及び／又はＵＣＩをＰＣＣに関するＨＡＲＱタイムラインに基づいてＰＣＣで送信する
方式２−クロスサブフレームスケジューリングを使用する
方式３−個々のＵＥごとのダウンリンクＰＣＣ及びアップリンクＰＣＣを使用する
方式４−複数のＣＣでＵＣＩを送信する
上記の４つの方式が以下においてさらに詳細に説明される。
【００５９】
第１の方式では、ＳＣＣのための制御情報は、ＰＣＣに関するＨＡＲＱタイムラインに基づいてＰＣＣで送信することができる。第１の方式は、ＤＣＩのみ、又はＵＣＩのみ、又はＤＣＩとＵＣＩの両方に対して適用可能である。従って、ＳＣＣのための制御情報は、制御情報が意図されるＳＣＣに関するＨＡＲＱタイムラインに基づくのではなく、制御情報が送信されるＰＣＣに関するＨＡＲＱタイムラインに基づいて送信することができる。ＵＥは、複数のＣＣを用いて構成することができる。ＵＥは、ＰＣＣに関するＨＡＲＱタイムラインをサポートすることができ及びＳＣＣに関して同じＨＡＲＱタイムラインを使用することができる。
【００６０】
第１の方式では、ＳＣＣでのデータ送信に関するスケジューリングは、ＳＣＣに関するＨＡＲＱに従うことができる。クロスキャリアスケジューリング（制御情報がＰＣＣで送信され、データがＳＣＣで送信される）及び同一搬送波スケジューリング（制御情報およびデータの両方がＳＣＣで送信される）を介してのＳＣＣでのデータ送信に関するスケジューリングを時間的に整合させることができる。ダウンリンクデータ送信の場合は、ダウンリンク許可はＰＤＣＣＨで送信することができ、ＡＣＫ／ＮＡＣＫは、ＰＣＣに関するアップリンク−ダウンリンク構成に関するＨＡＲＱタイムラインに基づいてＰＵＣＣＨで送信することができる。アップリンクデータ送信の場合は、アップリンク許可は、ＰＤＣＣＨで送信することができ、ＡＣＫ／ＮＡＣＫは、ＰＣＣに関するアップリンク−ダウンリンク構成に関するＨＡＲＱタイムラインに基づいてＰＨＩＣＨで送信することができる。ＳＣＣのためのＤＣＩは、ＰＣＣのためのＤＣＩの部分組であることができ、ＰＣＣで簡単に送信することができる。代替として、ＰＣＣに関するＨＡＲＱタイムラインは、ＳＣＣでのすべてのアップリンクサブフレームに関しては定義することができない、この場合は、これらのアップリンクサブフレームに関するスケジューリングは、ＳＣＣに関するＨＡＲＱタイムライン又は新しいＨＡＲＱタイムラインに基づくことができる。
【００６１】
図８Ａ及び８Ｂは、第１の方式に基づいて複数のＣＣでのデータ送信をサポートする例を示す。この例では、ＵＥは、２つのＣＣ、ＣＣ１及びＣＣ２で構成され、ＣＣ１は、アップリンク−ダウンリンク構成１を有するＳＣＣであり、ＣＣ２は、アップリンク−ダウンリンク構成２を有するＰＣＣである。各ＣＣに関するダウンリンクサブフレーム及びアップリンクサブフレームは、図８Ａ及び８Ｂにおいてラベルが付されている。ＰＣＣに関しては、アップリンク−ダウンリンク構成２に関して８つのサブフレーム０、１、３、４、５、６、８及び９がダウンリンクサブフレームであり、４つのフレーム２及び７がアップリンクサブフレームである。ＳＣＣに関しては、アップリンク−ダウンリンク構成１に関して６つのサブフレーム０、１、４、５、６及び９がダウンリンクサブフレームであり、４つのフレーム２、３、７及び８がアップリンクサブフレームである。
【００６２】
図８Ａは、ＳＣＣでのダウンリンクデータ送信を示し、制御情報は、ＰＣＣに関するＨＡＲＱタイムラインに基づいてＰＣＣで送信される。ＳＣＣでのダウンリンクデータ送信に関して、ダウンリンク許可は、ダウンリンクサブフレーム１、４、５、６及び９におけるＳＣＣでのデータ送信に関してダウンリンクサブフレーム１、４、５、６及び９においてＰＣＣでそれぞれ送信することができる。ダウンリンクサブフレーム０、１、４、５、６及び９におけるＳＣＣでのデータ送信に関するＡＣＫ／ＮＡＣＫは、ダウンリンクサブフレーム７、７、２、２、２及び７においてＰＣＣでそれぞれ送信することができ、それは、ＰＣＣに関するアップリンク−ダウンリンク構成２に基づいて決定することができる。
【００６３】
図８Ａに示されるように、第１の方式は、ＰＣＣがＳＣＣよりもダウンリンクヘビーであるときにダウンリンクデータ送信に関して特に適用可能である。この場合は、ＤＣＩを送信する上でＳＣＣよりもＰＣＣにおいてより多くのダウンリンクサブフレームが存在し、ＳＣＣで利用可能なダウンリンクサブフレーム数のほうが少ない。ＳＣＣでのダウンリンクサブフレームは、ＰＣＣでのダウンリンクサブフレームの部分組であることができる。
【００６４】
図８Ｂは、ＳＣＣでのアップリンクデータ送信を示し、制御情報は、ＰＣＣに関するＨＡＲＱタイムラインに基づいてＰＣＣで送信される。ＳＣＣでのアップリンクデータ送信に関して、アップリンク許可は、アップリンクサブフレーム７、８、２及び３におけるＳＣＣでのデータ送信に関してダウンリンクサブフレーム３、４、８及び９においてＰＣＣでそれぞれ送信することができる。アップリンクサブフレーム７、８、２及び３におけるＳＣＣでのデータ送信に関するＡＣＫ／ＮＡＣＫは、ダウンリンクサブフレーム３、３、８及び８においてＰＣＣでそれぞれ送信することができ、それは、ＰＣＣに関するアップリンク−ダウンリンク構成に基づいて決定することができる。
【００６５】
図８Ｂに示される一設計では、ＳＣＣでのアップリンクデータ送信に関するＡＣＫ／ＮＡＣＫは、ＰＣＣに関するゼロでないＰＨＩＣＨサブフレームのみにおいてＰＣＣでＰＨＩＣＨで送信することができ、それは、ＰＣＣに関するアップリンク−ダウンリンク構成に基づいて決定することができる。表３に示されるように、ＰＣＣに関するアップリンク−ダウンリンク構成２に基づきサブフレーム３及び８のみがＰＣＣに関するゼロでないＰＨＩＣＨサブフレームである。この場合は、サブフレーム７、８、２及び３でのアップリンクデータ送信に関するＡＣＫ／ＮＡＣＫは、図８Ｂに示されるように、ダウンリンクサブフレーム３、３、８及び８においてＰＣＣでそれぞれ送信することができる。ＳＣＣに関するゼロでないＰＨＩＣＨサブフレームは、ＰＣＣに関するゼロのＰＨＩＣＨサブフレームに対応することができるため、ＡＣＫ／ＮＡＣＫは、ＳＣＣのＨＡＲＱタイムラインに基づいては送信されない。
【００６６】
図８Ｃ及び８Ｄは、第１の方式に基づいて複数のＣＣでのデータ送信をサポートする他の例を示す。この例では、ＵＥは、２つのＣＣ、ＣＣ１及びＣＣ２で構成され、ＣＣ１は、アップリンク−ダウンリンク１を有するＰＣＣであり、ＣＣ２は、アップリンク−ダウンリンク構成２を有するＳＣＣである。
【００６７】
図８Ｃは、ＳＣＣでのダウンリンクデータ送信を示し、制御情報は、ＰＣＣに関するＨＡＲＱタイムラインに基づいてＰＣＣで送信される。ダウンリンクでのデータ送信に関しては、ｅＮＢは、ダウンリンク許可はダウンリンクサブフレーム０、１、１、４、５、６、６及び９で、データはダウンリンクサブフレーム０、１、３、４、５、６、８及び３でそれぞれ送信することができ、ＵＥは、ＡＣＫ／ＮＡＣＫを、ＰＣＣに関するアップリンク−ダウンリンク構成１に基づいて、アップリンクサブフレーム７、７、８、８、２、２、３及び３でそれぞれ送信することができる。複数のダウンリンクサブフレーム（例えば、サブフレーム１及び３）をスケジューリングするために複数のダウンリンク許可を同じダウンリンクサブフレーム（例えば、サブフレーム１）で送信するためにクロスサブフレーム（ｃｒｏｓｓ−ｓｕｂｆｒａｍｅ）スケジューリングを使用することができる。
【００６８】
図８Ｄは、ＳＣＣでのアップリンクデータ送信を示し、制御情報は、ＰＣＣに関するＨＡＲＱタイムラインに基づいてＰＣＣで送信される。この例では、ｅＮＢは、ダウンリンクサブフレーム１及び６でアップリンク許可を送信することができ、ＵＥは、アップリンクサブフレーム７及び２でデータをそれぞれ送信することができ、ｅＮＢは、ＰＣＣに関するアップリンク−ダウンリンク構成１に基づいてダウンリンクサブフレーム１及び６においてＡＣＫ／ＮＡＣＫをそれぞれ送信することができる。
【００６９】
図８Ｄに示されるように、第１の方式は、ＰＣＣがＳＣＣよりもアップリンクヘビーであるときにアップリンクでのデータ送信に関して特に適用可能である。この場合は、（図８Ｄにおいて破線で示されるように、ＳＣＣに関するＨＡＲＱタイムラインに基づいてＰＣＣのアップリンクサブフレームにマッピングされる代わりに）ＰＣＣに関するＨＡＲＱタイムラインに基づいてＰＣＣでダウンリンクサブフレームにおいて送信することができる。
【００７０】
第１の方式では、ダウンリンクでのデータ送信に関しては、ダウンリンク許可は、ＳＣＣでのデータ送信をスケジューリングするためにＰＣＣのＨＡＲＱタイムラインに基づいてＰＣＣで送信することができる。ＡＣＫ／ＮＡＣＫは、ＰＣＣのＨＡＲＱタイムラインに基づいてＰＣＣでＰＵＣＣＨ又はＰＵＳＣＨで送信することができる。アップリンクでのデータ送信に関しては、アップリンク許可は、ＳＣＣでのデータ送信をスケジューリングするためにＰＣＣのＨＡＲＱタイムライン（又はＳＣＣのＨＡＲＱタイムライン）に基づいてＰＣＣで送信することができる。ＡＣＫ／ＮＡＣＫは、ＰＣＣのＨＡＲＱタイムラインに基づいてＰＣＣでＰＨＩＣＨで送信することができる。クロスキャリアスケジューリング及び同一搬送波スケジューリングによるＳＣＣのスケジューリングは、時間を整合させることができる。
【００７１】
第１の方式では、ＳＣＣでのダウンリンクサブフレームは、例えば、図８Ａ及び８Ｂに示されるように、ＰＣＣでのダウンリンクサブフレームの部分組であることができる。この場合は、例えば、８Ａに示されるように、ＳＣＣのすべてのダウンリンクサブフレームをＰＣＣのダウンリンクサブフレームでスケジューリングすることができる。例えば、図８Ａ及び８Ｂに示されるように、ＰＣＣでのアップリンクサブフレームは、ＳＣＣでのアップリンクサブフレームの部分組であることができる。ＰＣＣのダウンリンクサブフレームに対応するＳＣＣでのアップリンクサブフレーム（例えば、図８Ｂにおけるアップリンクサブフレーム３及び８）は、ＳＣＣのＨＡＲＱタイムライン又は新しいＨＡＲＱタイムラインに基づいてスケジューリングすることができる。
【００７２】
ＵＥは、ＰＣＣでＰＵＣＣＨでＣＳＩフィードバックを送信することができ、それは、ＳＣＣよりもダウンリンクヘビーであることができる。ＣＳＩフィードバックは、チャネル品質インジケータ（ＣＱＩ）、プリコーディングマトリクスインジケータ（ＰＭＩ）、ランクインジケータ（ＲＩ）、等を含むことができる。ＵＥは、ＣＳＩを報告する周期性及びＣＳＩを報告する特定のサブフレームを示すことができるＣＳＩ構成を有することができる。ＵＥのＣＳＩ構成は、ＰＣＣに関するアップリンク−ダウンリンク構成に基づいて決定することができる。周期的なＣＳＩ報告に関しては、各アップリンク−ダウンリンク構成に関して幾つかの周期性値を利用可能である。例えば、アップリンク−ダウンリンク構成０、１、３、４及び６に関しては１ｍｓの報告周期を適用可能であり、無線フレーム内のすべてのアップリンクサブフレームをＣＳＩ報告のために使用することができる。アップリンク−ダウンリンク構成０、１、２及び６に関しては５ｍｓの報告周期を適用可能である。すべてのアップリンク−ダウンリンク構成に関して１０、２０、４０、８０及び１６０ｍｓの報告周期を適用可能である。例えば、ＰＣＣがアップリンク−ダウンリンク構成２と関連付けられ、ＳＣＣがアップリンク−ダウンリンク構成１と関連付けられる場合、ＵＥのＣＳＩ構成は、ＣＳＩがＳＣＣの代わりにＰＣＣで送信された場合は１ｍｓのＣＳＩ報告周期性をサポートすることはできない。
【００７３】
例えば、図８Ａに示されるように、ダウンリンクデータ送信は、ＳＣＣで送信することができ、ＡＣＫ／ＮＡＣＫは、ＰＣＣで送信することができる。一設計では、ＬＴＥ  Ｒｅｌｅａｓｅ１０で定義されたＡＣＫ／ＮＡＣＫマッピング規則を再使用することができる。ＬＴＥではＡＣＫ／ＮＡＣＫは様々な方法で送信することができる。ＡＣＫ／ＮＡＣＫを送信するためにチャネル選択を有するＰＵＣＣＨ形式１ｂが使用される場合は、ＵＥに関して構成された全ＣＣにわたるＭの最大値に関してＡＣＫ／ＮＡＣＫマッピングテーブルを選択することができ、ここで、Ｍは、単一のアップリンクサブフレームと関連付けられたダウンリンクサブフレーム数である。Ｍは、異なるＣＣに関する異なるアップリンク−ダウンリンク構成に関して異なることができる。Ｍの最大値は、ＵＥに関して構成された全ＣＣの間で最もダウンリンクヘビーになる可能性があるＰＣＣに関するものである。一設計では、ＡＣＫは、より小さいＭを有するＣＣの仮想サブフレームに関して仮定することができる。仮想サブフレームは、ダウンリンクサブフレームではないがＡＣＫ／ＮＡＣＫマッピングテーブルの観点から１つのダウンリンクサブフレームとして計算されるＣＣのサブフレームである。ＡＣＫ／ＮＡＣＫを送信するためにＰＵＣＣＨ形式３が使用される場合は、適用可能なＣＣ及びサブフレームのみに関するＡＣＫ／ＮＡＣＫを多重化することができる。
【００７４】
第２の方式では、異なるアップリンク−ダウンリンク構成を有する複数のＣＣでのデータ送信をサポートするためにクロスサブフレームスケジューリングを使用することができる。クロスサブフレームスケジューリングに関しては、許可は、クロスサブフレームスケジューリングなしのＨＡＲＱタイムラインによって指定されたサブフレームと異なるサブフレームで送信することができる。複数のサブフレームでのデータ送信をスケジューリングするために複数の許可を同じダウンリンクサブフレームで送信することができる。クロスサブフレームスケジューリングは、スケジューリングＣＣ（すなわち、許可を送信するために使用されるＣＣ）がアップリンクヘビーのときに特に適用可能である。ここにおける説明では、アップリンクスケジューリングは、アップリンクでのデータ送信をスケジューリングするためのアップリンク許可の送信を意味する。ダウンリンクスケジューリングは、ダウンリンクでのデータ送信をスケジューリングするためのダウンリンク許可の送信を意味する。
【００７５】
第２の方式では、ＳＣＣのためのＵＣＩをＰＣＣで送信することができ、及び、ＳＣＣのＨＡＲＱタイムラインに従うことができる。ＤＣＩ（例えば、アップリンク許可及びＡＣＫ／ＮＡＣＫ）は、ＰＣＣのＨＡＲＱタイムラインに基づいてＰＣＣで送信することができる。これは、ＳＣＣに関するＨＡＲＱタイムラインに従う上でＰＣＣでのダウンリンクサブフレームがないことに起因することができる。
【００７６】
図９Ａ及び９Ｂは、第２の方式に基づいて複数のＣＣでのデータ送信をサポートする例を示す。この例では、ＵＥは、２つのＣＣ、ＣＣ１及びＣＣ２、で構成され、ＣＣ１は、アップリンク−ダウンリンク構成１を有するＰＣＣであり、ＣＣ２は、アップリンク−ダウンリンク構成２を有するＳＣＣである。ＰＣＣに関しては、アップリンク−ダウンリンク構成１に関して、６つのサブフレーム０、１、４、５、６及び９がダウンリンクサブフレームであり、４つのサブフレーム２、３、７及び８がアップリンクサブフレームである。ＳＣＣに関しては、アップリンク−ダウンリンク構成２に関して、８つのサブフレーム０、１、３、４、５、６、８及び９がダウンリンクサブフレームであり、２つのサブフレーム２及び７がアップリンクサブフレームである。
【００７７】
図９Ａは、クロスサブフレームスケジューリングを有するＳＣＣでのダウンリンクデータ送信を示す。ＳＣＣでのダウンリンクデータ送信に関しては、ダウンリンク許可は、ダウンリンクサブフレーム０、１、３、４、５、６、８及び９におけるＳＣＣでのデータ送信のためのダウンリンクサブフレーム０、１、１、４、５、６、６及び９のそれぞれにおいてＰＣＣで送信することができる。クロスサブフレームスケジューリングを用いたダウンリンクサブフレーム１及び３におけるＳＣＣでのデータ送信のためにダウンリンクサブフレーム１においてＰＣＣで複数のダウンリンク許可を送信することができる。ダウンリンクサブフレーム０、１及び３におけるＳＣＣでのデータ送信に関するＡＣＫ／ＮＡＣＫは、アップリンクサブフレーム７においてＰＣＣで送信することができる。ダウンリンクサブフレーム４、５、６及び８におけるＳＣＣでのデータ送信に関するＡＣＫ／ＮＡＣＫは、次の無線フレームのアップリンクサブフレーム２においてＰＣＣで送信することができる。ダウンリンクサブフレーム９におけるＳＣＣでのデータ送信に関するＡＣＫ／ＮＡＣＫは、次の無線フレームのアップリンクサブフレーム７においてＰＣＣで送信することができる。
【００７８】
図９Ｂは、クロスサブフレームスケジューリングを有するＳＣＣでのアップリンクデータ送信を示す。ＳＣＣでのアップリンクデータ送信に関しては、アップリンク許可は、アップリンクサブフレーム７及び２におけるＳＣＣでのデータ送信のためにダウンリンクサブフレーム１及び６においてＰＣＣで送信することができる。アップリンクサブフレーム７及び２におけるＳＣＣでのデータ送信に関するＡＣＫ／ＮＡＣＫは、それぞれダウンリンクサブフレーム１及び６においてＰＣＣで送信することができる。
【００７９】
第２の方式では、例えば、図９Ａに示されるように、ＰＣＣでのダウンリンクサブフレームに対応するＳＣＣでのサブフレームに関するダウンリンクスケジューリングは、ＰＣＣ又はＳＣＣのＨＡＲＱタイムラインに従うことができる。ＳＣＣに関してはダウンリンクサブフレームであるがＰＣＣに関してはアップリンクサブフレームであるサブフレームに関してはクロスサブフレームスケジューリングを使用することができる。クロスサブフレームスケジューリングは、クロスサブフレームスケジューリングに関する静的又は半静的構成に基づいて、ＰＤＣＣＨで許可を動的に送信することによって達成することができる。例えば、ＵＥは、特定のサブフレームでのデータ送信に関する許可を指定されたサブフレームで及び／又は指定されたＣＣで送信できるように構成することができる。
【００８０】
一設計では、ダウンリンク許可は、次の無線フレームの同じサブフレームにおける次のスケジューリング機会まで十分な時間（例えば、少なくとも３ｍｓ）を許容することができる他のＣＣでのダウンリンクサブフレームにおけるデータ送信をスケジューリングするためにダウンリンクサブフレーム又は特別なサブフレームｎで送信することができる。例えば、ダウンリンク許可は、サブフレームｎ、ｎ＋１、ｎ＋２、ｎ＋３、ｎ＋４、ｎ＋５、又はｎ＋６でのデータ送信をスケジューリングするためにサブフレームｎで送信することができる。
【００８１】
表５は、クロスサブフレームスケジューリングのために使用することができるすべての可能なダウンリンクサブフレームを記載する。表５において、各アップリンク−ダウンリンク構成に関するダウンリンクサブフレームは、灰色の陰影によって表される。各々の記入された数字は、ダウンリンク許可を搬送するダウンリンクサブフレームとデータ送信用にスケジューリングされたダウンリンクサブフレームとの間のオフセットを示す。表５に示されるように、各ダウンリンクサブフレーム（又は特別なサブフレーム）は、０のエントリを含む。この０のエントリは、ダウンリンク許可は同じダウンリンクサブフレームでのスケジューリングされたデータ送信にダウンリンクサブフレームで送信できることを意味する。クロスサブフレームスケジューリングのために使用することができるダウンリンクサブフレームは、１つ以上のゼロでないエントリを含む。各々のゼロでないエントリは、クロスサブフレームスケジューリングでスケジューリングすることができる他のダウンリンクサブフレームのオフセットを示す。例えば、アップリンク−ダウンリンク構成３に関するダウンリンクサブフレーム１は、０、１、２及び３の４つのエントリを含み、それは、ダウンリンク許可は、他のＣＣでのサブフレーム１、２、３又は４におけるスケジューリングされたデータ送信に対してダウンリンクサブフレーム１で送信できることを意味する。
【表５】
2014526196.tif 000007
【００８２】
表５は、所定のダウンリンクサブフレームでのデータ送信をスケジューリングする上で一組のダウンリンクサブフレームのうちのいずれか１つでダウンリンク許可が送信されるのを可能にすることによってスケジューリング上の最大の柔軟性を提供することができる。しかしながら、各ダウンリンクサブフレームに関するクロスサブフレームスケジューリングのために使用することができるダウンリンクサブフレーム数を制限することによって動作を簡略化することができる。
【００８３】
表６は、スケジューリングＣＣがアップリンク−ダウンリンク構成１を有する例に関してクロスサブフレームスケジューリングのために使用することができるダウンリンクサブフレームを記載する。スケジューリングＣＣは、６つのダウンリンクサブフレーム０、１、４、５、６及び９及び４つのアップリンクサブフレーム２、３、７及び８を有する。表６において、ＳＣＣに関する各アップリンク−ダウンリンク構成に関するダウンリンクサブフレームは灰色の陰影によって表される。表内の各々の数字のエントリは、特定のアップリンク−ダウンリンク構成に関するスケジューリングＣＣでのダウンリンクサブフレームとＳＣＣでのダウンリンクサブフレームとの間のオフセットを示す。例えば、アップリンク−ダウンリンク構成に関するサブフレーム６は、０、１及び２の３つの値を含む。このことは、アップリンク−ダウンリンク構成３を有するＳＣＣでダウンリンクサブフレーム６、７又は８においてデータ送信をスケジューリングするためにダウンリンクサブフレーム６においてスケジューリングＣＣでダウンリンク許可を送信できることを意味する。
【表６】
2014526196.tif 000008
【００８４】
一設計では、静的又は半静的構成が、所定のダウンリンクサブフレームをスケジューリングするためのダウンリンク許可を送信するために使用することができるダウンリンクサブフレーム数を（例えば、１つのダウンリンクサブフレームのみに）制限することができる。すべての可能な選択肢の部分組に制限することは、動作を簡略化することができる。例えば、サブフレームは、特定のＣＣで特定のサブフレームにおいて送信された許可によってスケジューリングすることができる。この制限は、各対のアップリンク−ダウンリンク構成に関して定義することができ、それは、例えば、表６に示されるように、スケジューリングＣＣのアップリンク−ダウンリンク構成に関するものであることができる。
【００８５】
一設計では、ＵＥは、同一サブフレームスケジューリング及びクロスサブフレームスケジューリングに関して互いに重なり合わない個々のＵＥごとの探索空間（ｓｅａｒｃｈ  ｓｐａｃｅ）を用いて構成することができる。ＵＥは、例えば、ＰＣＣでのデータ送信のために、クロスサブフレームスケジューリングなしで許可を送信することができる第１の個々のＵＥごとの探索空間を用いて構成することができる。ＵＥは、例えば、ＳＣＣでのデータ送信のために、クロスサブフレームスケジューリングを用いて許可を送信することができる第２の個々のＵＥごとの探索空間を用いて構成することができる。他の設計では、同一サブフレームスケジューリング及びクロスサブフレームスケジューリングの両方に関して単一の個々のＵＥごとの探索空間を使用することができる。両設計に関して、ＵＥは、ＵＥに送信された許可に関して検出するためのそれ自体の探索空間内で探索することができる。
【００８６】
第３の方式では、ダウンリンクＰＣＣ及びアップリンクＰＣＣは、ＵＥに関して独立して選択することができる。例えば、ダウンリンクＰＣＣは、ダウンリンクヘビーであることができ（例えば、ＵＥに関して構成されたすべてのＣＣ間でダウンリンクが最もヘビー）、アップリンクＰＣＣは、アップリンクヘビーであることができる（例えば、ＵＥに関して構成されたすべてのＣＣ間でアップリンクが最もヘビー）。この場合は、ＤＣＩは、十分な数のダウンリンクサブフレームにおいてダウンリンクＰＣＣで送信することができ、ＵＣＩは、十分な数のアップリンクサブフレームにおいてアップリンクＰＣＣで送信することができる。一設計では、異なるＵＥに関するアップリンクＰＣとして異なるＣＣを選択することができる。他の設計では、セル内のすべてのＵＥに関して共通のアップリンクＰＣＣ（例えば、アップリンクヘビー又は最もアップリンクヘビーであるＣＣ）を使用することができる。
【００８７】
第３の方式では、ＳＣＣ（すなわち、ダウンリンクＰＣＣでないＣＣ）でのデータ送信に関するスケジューリングは、そのＳＣＣに関するＨＡＲＱタイムラインに従うことができる。クロスキャリア（ｃｒｏｓｓ−ｃａｒｒｉｅｒ）スケジューリング及び同一搬送波スケジューリングによるＳＣＣでのデータ送信に関するスケジューリングは、時間的に整合させることができる。ダウンリンクＰＣＣのＨＡＲＱタイムラインは、ＳＣＣでのすべてのアップリンクサブフレームに関して定義することができない。一設計では、ダウンリンクデータ送信に関しては、ＡＣＫ／ＮＡＣＫは、アップリンクＰＣＣに関するアップリンク−ダウンリンク構成に関するＨＡＲＱタイムラインに基づいてＰＵＣＣＨで送信することができる。一設計では、アップリンクデータ送信に関しては、ＡＣＫ／ＮＡＣＫは、ダウンリンクＰＣＣに関するアップリンク−ダウンリンク構成に基づいて決定されたＰＨＩＣＨサブフレームで送信することができる。
【００８８】
図１０Ａ及び１０Ｂは、第３の方式に基づいて複数のＣＣでのデータ送信をサポートする例を示す。この例では、ＵＥは、２つのＣＣ、ＣＣ１及びＣＣ２、を用いて構成され、ＣＣ１は、アップリンク−ダウンリンク構成１を有するアップリンクＰＣＣであり、ＣＣ２は、アップリンク−ダウンリンク構成２を有するダウンリンクＰＣＣである。ＣＣ１は、ＳＣＣとみなすこともできる。ダウンリンクＰＣＣに関しては、アップリンク−ダウンリンク構成２に関して、８つのサブフレーム０、１、３、４、５、６、８及び９がダウンリンクサブフレームであり、２つのサブフレーム２及び７がアップリンクサブフレームである。アップリンクＰＣＣ／ＳＣＣに関しては、アップリンク−ダウンリンク構成１に関して、６つのサブフレーム０、１、４、５、６及び９がダウンリンクサブフレームであり、４つのサブフレーム２、３、７及び８がアップリンクサブフレームである。
【００８９】
図１０Ａは、別々のダウンリンクＰＣＣ及びアップリンクＰＣＣを有するＳＣＣでのダウンリンクデータ送信を示す。ＳＣＣ（又はアップリンクＰＣＣ）でのダウンリンクデータ送信に関して、ダウンリンク許可は、ダウンリンクサブフレーム０、１、４、５、６及び９のそれぞれにおけるＳＣＣでのデータ送信に関してダウンリンクサブフレーム０、１、４，５、６及び９においてダウンリンクＰＣＣで送信することができる。ダウンリンクサブフレーム１、４、５、６及び９におけるＳＣＣでのデータ送信に関するＡＣＫ／ＮＡＣＫは、それぞれアップリンクサブフレーム７、７、８、２、２及び３においてＳＣＣ（又はアップリンクＰＣＣ）で送信することができ、それは、ＳＣＣに関するアップリンク−ダウンリンク構成１に関するＨＡＲＱタイムラインに基づいて決定することができる。
【００９０】
図１０Ｂは、別々のダウンリンクＰＣＣ及びアップリンクＰＣＣを有するＳＣＣでのアップリンクデータ送信を示す。ＳＣＣでのアップリンクデータ送信に関しては、アップリンク許可は、アップリンクサブフレーム７、８、２及び３のそれぞれにおけるＳＣＣでのデータ送信に関してダウンリンクサブフレーム１、４，６及び９においてダウンリンクＰＣＣで送信することができる。アップリンクサブフレーム７、８、２及び３におけるＳＣＣでのデータ送信に関するＡＣＫ／ＮＡＣＫは、それぞれダウンリンクサブフレーム３、３、８、及び８においてダウンリンクＰＣＣで送信することができ、それは、ダウンリンクＰＣＣに関するアップリンク−ダウンリンク構成２に関するＨＡＲＱタイムラインに基づいて決定することができる。
【００９１】
第３の方式では、アップリンクデータ送信に関しては、ＡＣＫ／ＮＡＣＫは、（ＳＣＣのアップリンク−ダウンリンク構成に基づく代わりに）ダウンリンクＰＣＣのアップリンク−ダウンリンク構成に基づいて決定されたＰＨＩＣＨサブフレームで送信することができる。例えば、図１０Ｂに示されるように、アップリンクデータ送信は、ＳＣＣでのアップリンクサブフレーム８に関してスケジューリングすることができる。アップリンクサブフレーム８でのデータ送信に関するＡＣＫ／ＮＡＣＫは、ＳＣＣに関するアップリンク−ダウンリンク構成１に基づいてダウンリンクサブフレーム４においてＰＨＩＣＨで送信することができる。しかしながら、ダウンリンクサブフレーム３（ダウンリンクサブフレーム４ではない）は、ダウンリンクＰＣＣに関するアップリンク−ダウンリンク構成２に基づくダウンリンクＰＣＣでのＰＨＩＣＨサブフレームである。この場合は、ＡＣＫ／ＮＡＣＫは、アップリンクサブフレーム８でのデータ送信に関して（ダウンリンクサブフレーム４の代わりに）ダウンリンクサブフレーム３においてＰＨＩＣＨで送信することができる。従って、ＡＣＫ／ＮＡＣＫは、ダウンリンクＰＣＣに関するアップリンク−ダウンリンク構成に関するＰＨＩＣＨサブフレームで送信することができ（ただし、ＨＡＲＱタイムラインに従うことはできない）。
【００９２】
第４の方式では、ＵＥは、様々な方法で複数のＣＣでＰＵＣＣＨでＵＣＩを送信することができる。一設計では、ＵＣＩは、同じサブフレームにおいて複数のＣＣで複数のＰＵＣＣＨで送信することができる。所定のＣＣでのデータ送信のためのＵＣＩは、そのＣＣで送信することができる。例えば、ＰＣＣでのデータ送信のためのＵＣＩは、ＰＣＣで送信することができ、ＳＣＣでのデータ送信のためのＵＣＩは、ＳＣＣで送信することができる。他の設計では、ＵＣＩは、１つのサブフレームにおいて１つのＣＣで１つのＰＵＣＣＨで送信することができ及び異なるサブフレームにおいて複数のＣＣで送信することができる。例えば、ＵＣＩは、可能なときは常にＰＣＣで送信することができ及びＳＣＣに関してはアップリンクサブフレームであるがＰＣＣに関してはダウンリンクサブフレームであるサブフレームにおいてＳＣＣで送信することができる。
【００９３】
第４の方式では、ＳＣＣでのアップリンクデータ送信に関するスケジューリングは、ＳＣＣに関するＨＡＲＱタイムラインに従うことができる。クロスキャリアスケジューリング及び同一搬送波スケジューリングによるＳＣＣでのデータ送信に関するスケジューリングは、時間的に整合させることができる。ＰＣＣのＨＡＲＱタイムラインは、ＳＣＣでのすべてのアップリンクサブフレームに関して定義することができない。アップリンクデータ送信に関しては、ＡＣＫ／ＮＡＣＫは、ＰＣＣに関するアップリンク−ダウンリンク構成に関するＨＡＲＱタイムラインに基づいてＰＨＩＣＨで送信することができる。概して、ＰＣＣは、ダウンリンクヘビー又はアップリンクヘビーであることができる。ＰＣＣがダウンリンクヘビーである場合は、ダウンリンク及びアップリンクでのデータ送信のためのスケジューリングは、影響を受けないであろう。ＡＣＫ／ＮＡＣＫは、ＰＣＣに関するアップリンク−ダウンリンク構成に基づいて決定されたＰＨＩＣＨサブフレームにおいてＰＨＩＣＨで送信することができる。アップリンクでのＵＣＩの送信は影響を受けることがある。第２、第３、又は第４の方式は、アップリンクでのＵＣＩの送信を容易にするために使用することができる。逆に、ＰＣＣがアップリンクヘビーである場合は、ダウンリンクでのデータ送信のためのスケジューリングが影響を受けることがあり、それは、第２の方式でクロスサブフレームスケジューリングを用いることによって解決することができる。アップリンクでのデータ送信のためのスケジューリング及びＰＨＩＣＨでのＡＣＫ／ＮＡＣＫフィードバックは、ＰＣＣに関するＨＡＲＱタイムラインに従うことができる。これは、ＳＣＣに関するＨＡＲＱタイムラインに基づくダウンリンクサブフレーム及びＰＨＣＩＨサブフレームがないことに起因して好ましい。
【００９４】
上記の第１乃至第４の方式において、クロスキャリアスケジューリングは、複数のＣＣでのデータ送信をサポートするために使用することができる。代替設計では、クロスキャリアスケジューリングは、複数のＣＣでのデータ送信をサポートするために利用されない。この代替設計では、すべてのＣＣに関するアップリンクでの共通のＰＵＣＣＨの送信に起因して複数のＣＣ間での動作を結合させることができる。（例えば、負荷の均衡化、異なるＣＣが異なるＵＥに関するＰＣＣとして選択される、ことに起因して）ＰＣＣがアップリンクヘビーでない場合は、第１又は第４の方式を使用することができる。第１の方式に関しては、ＳＣＣのためのＵＣＩは、ＰＣＣのＨＡＲＱタイムラインに基づいてＰＣＣで送信することができる。第４の方式に関しては、ＵＥのためのＵＣＩは、２つ以上のＣＣでＰＵＣＣＨで送信することができる。
【００９５】
図１１は、複数のＣＣでの動作をサポートするためのプロセス１１００の設計を示す。プロセス１１００は、ｅＮＢ／基地局によって（後述）又は何らかのその他のエンティティによって実施することができる。ｅＮＢは、キャリアアグリゲーションのためにＵＥに関して構成された第１のＣＣ及び第２のＣＣを識別することができ、第１及び第２のＣＣは、異なるシステム構成と関連付けられる（ブロック１１１２）。第１のＣＣは、ＰＣＣであることができ、第２のＣＣは、ＵＥに関するＳＣＣであることができる。ｅＮＢは、第２のＣＣでのデータ送信に関してＥＵをスケジューリングするために第１のＣＣでダウンリンク許可を送信することができる（ブロック１１１４）。ダウンリンク許可は、第２のＣＣに関するものであることができ、及び、第１のＣＣに関するダウンリンク許可送信タイムラインに基づいて送信することができる。ｅＮＢは、データ送信を第２のＣＣでＵＥに送ることができる（ブロック１１１６）。ｅＮＢは、第２のＣＣでデータ送信のためのＵＣＩを受信することができる（ブロック１１１８）。ＵＣＩは、第２のＣＣに関するものであることができ、及び、第１のＣＣに関するＵＣＩ送信タイムラインに基づいてＵＥによって第１のＣＣで送信することができる。ダウンリンク許可送信タイムライン及びＵＣＩ送信タイムラインは、第１のＣＣに関するＨＡＲＱタイムラインの一部であることができる。
【００９６】
一設計では、第１及び第２のＣＣは、異なる複信モード、例えば、ＦＤＤ及びＴＤＤ、と関連付けることができる。他の設計では、第１及び第２のＣＣは、例えば、ＴＤＤに関して、異なるアップリンク−ダウンリンク構成と関連付けることができる。例えば、第１のＣＣは、第１のアップリンク−ダウンリンク構成と関連付けることができ、第２のＣＣは、第２のアップリンク−ダウンリンク構成と関連付けることができる。第１のＣＣに関するＵＣＩ送信タイムラインは、第１のＣＣに関する第１のアップリンク−ダウンリンク構成に基づいて決定することができる。一設計では、第１のＣＣは、第２のＣＣよりも多くのダウンリンクサブフレームと関連付けることができる。
【００９７】
一設計では、ＵＣＩは、ＵＥに対して第２のＣＣで送られたデータ送信に関するＡＣＫ／ＮＡＣＫを備えることができる。一設計では、ＡＣＫ／ＮＡＣＫは、チャネル選択を有するＰＵＣＣＨ形式１ｂに基づいてＵＥによって送信することができる。ＡＣＫ／ＮＡＣＫに関するマッピングテーブルは、ＵＥに関して構成されたすべてのＣＣに関して単一のアップリンクサブフレームと関連付けられた最大数のダウンリンクサブフレームに基づいて決定することができる。他の設計では、ＡＣＫ／ＮＡＣＫは、ＰＵＣＣＨ形式３又は何らかのその他のＰＵＣＣＨ形式に基づいて送信することができる。ＡＣＫ／ＮＡＣＫは、ＰＵＳＣＨでデータとともに送信することもできる。
【００９８】
他の設計では、ＵＣＩは、ＵＥに関するＣＳＩ構成に基づいてＵＥによって送信されたＣＳＩを備えることができる。ｅＮＢは、第２のＣＣに関するＣＳＩをＵＥから周期的に受信することができる。ＣＳＩは、第１のＣＣに関する第１のアップリンク−ダウンリンク構成に基づいて決定された周期性でＵＥによって送信することができる。
【００９９】
一設計では、ｅＮＢは、第１のＣＣ又は第２のＣＣでのアップリンクデータ送信に関してＵＥをスケジューリングするためのアップリンク許可を送信することができる。アップリンク許可は、第１のＣＣに関するアップリンク許可送信タイムラインに基づいて第１のＣＣで送信することができる。
【０１００】
他の設計では、ｅＮＢは、第２のＣＣでのアップリンクデータ送信に関してＥＵをスケジューリングするためのアップリンク許可を送信することができる。第２のＣＣに関するアップリンク許可は、（ｉ）第２のＣＣに関するアップリンク許可送信タイムラインに基づく第１のＣＣ、又は（ｉｉ）第１のＣＣに関するアップリンク許可送信タイムラインに基づく第１のＣＣ、又は（ｉｉｉ）第３のＣＣに関するアップリンク許可送信タイムラインに基づく第３のＣＣで送信することができる。ｅＮＢは、ＵＥから第２のＣＣでアップリンクデータ送信を受信することができる。ｅＮＢは、第２のＣＣでのアップリンクデータ送信に関するＡＣＫ／ＮＡＣＫを決定することができる。ｅＮＢは、第１のＣＣに関するダウンリンクＡＣＫ／ＮＡＣＫ送信タイムラインに基づいて決定されたサブフレームにおいて第１のＣＣでＡＣＫ／ＮＡＣＫを送信することができる。
【０１０１】
図１２は、複数のＣＣで動作するためのプロセス１２００の設計を示す。プロセス１２００は、ＵＥによって（後述）又は何らかのその他のエンティティによって実施することができる。ＵＥは、ＵＥに関して構成された第１のＣＣ及び第２のＣＣを決定することができ、第１及び第２のＣＣは、異なるシステム構成、例えば、異なるアップリンク−ダウンリンク構成、と関連付けられる（ブロック１２１２）。ＵＥは、第２のＣＣでのデータ送信に関してＵＥをスケジューリングするために第１のＣＣで送信されたダウンリンク許可を受信することができる（ブロック１２１４）。ダウンリンク許可は、第２のＣＣに関するものであることができ及び第１のＣＣに関するダウンリンク許可送信タイムラインに基づいて送信することができる。ＵＥは、第２のＣＣでのデータ送信を受信することができる（ブロック１２１６）。ＵＥは、第２のＣＣでデータ送信のためのＵＣＩを送信することができる（１２１８）。ＵＣＩは、第２のＣＣに関するものであることができ及び第１のＣＣに関するＵＣＩ送信タイムラインに基づいて第１のＣＣで送信することができる。ＵＣＩは、第２のＣＣでＵＥに送信されたデータ送信に関するＡＣＫ／ＮＡＣＫを備えることができる。ＵＣＩは、ＣＳＩを備えることもでき、それは、第２のＣＣでデータ送信を送信するために使用することができる。
【０１０２】
一設計では、ＵＥは、第１のＣＣ又は第２のＣＣでのアップリンクデータ送信に関してＵＥをスケジューリングするアップリンク許可を受信することができる。アップリンク許可は、第１のＣＣに関するアップリンク許可送信タイムラインに基づいて第１のＣＣで送信することができる。他の設計では、ＵＥは、第２のＣＣでのアップリンクデータ送信に関してＵＥをスケジューリングするアップリンク許可を受信することができる。アップリンク許可は、（ｉ）第２のＣＣに関するアップリンク許可送信タイムラインに基づく第１のＣＣ又は（ｉｉ）第３のＣＣに関するアップリンク許可送信タイムラインに基づく第３のＣＣで送信することができる。ＵＥは、第２のＣＣでアップリンクデータ送信を送信することができる。その後、ＵＥは、第２のＣＣでアップリンクデータ送信に関するＡＣＫ／ＮＡＣＫを受信することができる。ＡＣＫ／ＮＡＣＫは、第１のＣＣに関するダウンリンクＡＣＫ／ＮＡＣＫ送信タイムラインに基づいて決定されたサブフレームにおいて第１のＣＣで送信することができる。
【０１０３】
図１３は、複数のＣＣでの動作をサポートするためのプロセス１３００の設計を示す。プロセス１３００は、ｅＮＢ／基地局によって（後述）又は何らかのその他のエンティティによって実施することができる。ｅＮＢは、キャリアアグリゲーションのためにＵＥに関して構成された第１のＣＣ及び第２のＣＣを識別することができ、第１及び第２のＣＣは、異なるシステム構成、例えば、異なるアップリンク−ダウンリンク構成、と関連付けられる（ブロック１３１２）。ｅＮＢは、第２のＣＣでのアップリンクデータ送信に関してＥＵをスケジューリングするために第１のＣＣでアップリンク許可を送信することができる（ブロック１３１４）。アップリンク許可は、第２のＣＣに関するものであることができ、及び、第１のＣＣに関するアップリンク許可送信タイムラインに基づいて第１のＣＣで送信することができる。
【０１０４】
ｅＮＢは、アップリンク許可に基づいてＵＥによって第２のＣＣで送信されたアップリンクデータ送信を受信することができる（ブロック１３１６）。ｅＮＢは、アップリンクデータ送信に関するＡＣＫ／ＮＡＣＫを決定することができる（ブロック１３１８）。ｅＮＢは、第１のＣＣに関するＡＣＫ／ＮＡＣＫ送信タイムラインに基づいて決定されたサブフレームにおいて第１のＣＣでＡＣＫ／ＮＡＣＫを送信することができる（ブロック１３２０）。一設計では、決定されたサブフレームは、第１のＣＣに関するＰＨＩＣＨサブフレームであることができ、それは、第１のＣＣに関するアップリンク−ダウンリンク構成に基づいて第１のＣＣでＡＣＫ／ＮＡＣＫを送信することができるサブフレームであることができる。アップリンク許可送信タイムライン及びＡＣＫ／ＮＡＣＫ送信タイムラインは、第１のＣＣに関するＨＡＲＱタイムラインの一部であることができる。
【０１０５】
一設計では、第１のＣＣは、ＵＥに関するプライマリＣＣであることができ、及び第２のＣＣは、ＵＥに関するセカンダリＣＣであることができる。第１のＣＣは、第１のアップリンク−ダウンリンク構成と関連付けることができ、第２のＣＣは、第２のアップリンク−ダウンリンク構成と関連付けることができる。第１のＣＣに関するアップリンク許可送信タイムラインは、第１のＣＣに関する第１のアップリンク−ダウンリンク構成に基づいて決定することができる。一設計では、第１のＣＣは、第２のＣＣよりも多くのアップリンクサブフレームと関連付けることができる。
【０１０６】
一設計では、ｅＮＢは、第１のＣＣでのアップリンクデータ送信に関してＵＥをスケジューリングするために第１のＣＣで第２のアップリンク許可を送信することができる。第２のアップリンク許可は第１のＣＣに関するものであることができ、及び、第１のＣＣに関するアップリンク許可送信タイムラインに基づいて送信することができる。ｅＮＢは、第２のアップリンク許可に基づいてＵＥによって第２のＣＣで送信されたアップリンクデータ送信を受信することができる。
【０１０７】
図１４は、複数のＣＣで動作するためのプロセス１４００の設計を示す。プロセス１４００は、ＵＥによって（後述）又は何らかのその他のエンティティによって実施することができる。ＵＥは、ＵＥに関して構成された第１のＣＣ及び第２のＣＣを決定することができ、第１及び第２のＣＣは、異なるシステム構成、例えば、異なるアップリンク−ダウンリンク構成、と関連付けられる（ブロック１４１２）。ＵＥは、第２のＣＣでのアップリンクデータ送信に関してＥＵをスケジューリングするために第１のＣＣで送信されたアップリンク許可を受信することができる（ブロック１４１４）。アップリンク許可は、第２のＣＣに関するものであることができ、及び、第１のＣＣに関するアップリンク許可送信タイムラインに基づいて第１のＣＣで送信することができる。ＵＥは、アップリンク許可に基づいて第２のＣＣでアップリンクデータ送信を送信することができる（ブロック１４１６）。ＵＥは、第１のＣＣに関するＡＣＫ／ＮＡＣＫ送信タイムラインに基づいて決定されたサブフレームにおいて第１のＣＣでアップリンクデータ送信に関するＡＣＫ／ＮＡＣＫを受信することができる（ブロック１４１８）。
【０１０８】
ＵＥは、第１のＣＣでのアップリンクデータ送信に関してＵＥをスケジューリングするために第１のＣＣで送信された第２のアップリンク許可を受信することもできる。第２のアップリンク許可は、第１のＣＣに関するものであることができ、及び、第１のＣＣに関するアップリンク許可送信タイムラインに基づいて送信することができる。ＵＥは、第２のアップリンク許可に基づいて第１のＣＣでアップリンクデータ送信を送信することができる。
【０１０９】
図１５は、複数のＣＣでの動作をサポートするためのプロセス１５００の設計を示す。プロセス１５００は、ｅＮＢ／基地局によって（後述）又は何らかのその他のエンティティによって実施することができる。ｅＮＢは、キャリアアグリゲーションのためにＵＥに関して構成された第１のＣＣ及び第２のＣＣを識別することができ、第１及び第２のＣＣは、異なるシステム構成、例えば、異なるアップリンク−ダウンリンク構成、と関連付けられる（ブロック１５１２）。クロスサブフレームスケジューリングに関しては、ｅＮＢは、第１のサブフレームと異なる第２のサブフレームにおける第２のＣＣでのダウンリンクデータ送信をスケジューリングするために第１のサブフレームにおいて第１のＣＣでダウンリンク許可を送信することができる（ブロック１５１４）。同一サブフレームスケジューリングに関しては、ｅＮＢは、第１のサブフレームにおける第２のＣＣでのダウンリンクデータ送信をスケジューリングするために第１のサブフレームにおいて第１のＣＣで第２のダウンリンク許可を送信することができる（ブロック１５１６）。
【０１１０】
一設計では、クロスサブフレームスケジューリングに関しては、例えば、図６に示されるように、第２のＣＣに関する各ダウンリンクサブフレームは、第１のＣＣに関する１つのダウンリンクサブフレームのみを介してスケジューリング可能である。他の設計では、第２のＣＣに関する各ダウンリンクサブフレームは、第１のＣＣに関する１つ以上のダウンリンクサブフレームを介してスケジューリング可能である。
【０１１１】
一設計では、ｅＮＢは、第１のＣＣで第２のＣＣのためのＵＣＩを受信することができる。第２のＣＣのためのＵＣＩは、第２のＣＣに関するＵＣＩ送信タイムライン（例えば、ＨＡＲＱタイムライン）に基づいて第１のＣＣで送信することができる。
【０１１２】
一設計では、ｅＮＢは、第２のＣＣでのアップリンクデータ送信に関してＵＥをスケジューリングするために第１のＣＣでアップリンク許可を送信することができる。第２のＣＣでのアップリンクデータ送信に関するアップリンク許可は、第１のＣＣに関するアップリンク許可送信タイムライン（例えば、ＨＡＲＱタイムライン）に基づいて第１のＣＣで送信することができる。ｅＮＢは、第２のＣＣでアップリンクデータ送信を受信することができ及びアップリンクデータ送信に関するＡＣＫ／ＮＡＣＫを決定することができる。ｅＮＢは、第１のＣＣに関するＡＣＫ／ＮＡＣＫ送信タイムラインに基づいて決定されたサブフレームにおいて第１のＣＣでＡＣＫ／ＮＡＣＫを送信することができる。
【０１１３】
図１６は、複数のＣＣで動作するためのプロセス１６００の設計を示す。プロセス１６００は、ＵＥによって（後述）又は何らかのその他のエンティティによって実施することができる。ＵＥは、ＵＥに関して構成された第１のＣＣ及び第２のＣＣを決定することができ、第１及び第２のＣＣは、異なるシステム構成、例えば、異なるアップリンク−ダウンリンク構成、と関連付けられる（ブロック１６１２）。第１のＣＣは、第２のＣＣよりも多くのアップリンクサブフレームと関連付けることができる。クロスサブフレームスケジューリングに関しては、ＵＥは、第１のサブフレームと異なる第２のサブフレームにおける第２のＣＣでのダウンリンクデータ送信に関して第１のサブフレームにおいて第１のＣＣで送信されたダウンリンク許可を受信することができる（ブロック１６１４）。同一サブフレームスケジューリングに関しては、ＵＥは、第１のサブフレームにおける第２のＣＣでのダウンリンクデータ送信に関して第１のサブフレームにおいて第１のＣＣで送信された第２のダウンリンク許可を受信することができる（１６１６）。一設計では、ＵＥは、第２のＣＣに関するＵＣＩ送信タイムラインに基づいて第１のＣＣで第２のＣＣに関するＵＣＩを送信することができる。
【０１１４】
一設計では、ＵＥは、第２のＣＣでのアップリンクデータ送信に関してＵＥをスケジューリングするために第１のＣＣでアップリンク許可を受信することができる。第２のＣＣでのアップリンクデータ送信のためのアップリンク許可は、第１のＣＣに関するアップリンク許可送信タイムラインに基づいて第１のＣＣで送信することができる。ＵＥは、第２のＣＣでアップリンクデータ送信を送信することができる。その後は、ＵＥは、アップリンクデータ送信に関してＡＣＫ／ＮＡＣＫを受信することができる。ＡＣＫ／ＮＡＣＫは、第１のＣＣに関するＡＣＫ／ＮＡＣＫ送信タイムラインに基づいて決定されたサブフレームにおいて第１のＣＣで送信することができる。
【０１１５】
図１７は、複数のＣＣでの動作をサポートするためのプロセス１７００の設計を示す。プロセス１７００は、ｅＮＢ／基地局によって（後述）又は何らかのその他のエンティティによって実施することができる。ｅＮＢは、キャリアアグリゲーションのためにＵＥに関して構成された第１のＣＣ及び第２のＣＣを識別することができ、第１及び第２のＣＣは、異なるシステム構成、例えば、異なるアップリンク−ダウンリンク構成、と関連付けられる（ブロック１７１２）。第１のＣＣは、第２のＣＣよりも多くのサブフレームと関連付けることができる。第２のＣＣは、ダウンリンクサブフレームよりも多くのアップリンクサブフレーム及び／又は第１のＣＣよりも多くのアップリンクサブフレームと関連付けることができる。ｅＮＢは、第２のＣＣでのアップリンクデータ送信に関してＵＥをスケジューリングするために第１のＣＣでアップリンク許可を送信することができる（ブロック１７１４）。アップリンク許可は、第２のＣＣに関するアップリンク許可送信タイムライン（例えば、ＨＡＲＱタイムライン）に基づいて第１のＣＣで送信することができる。ｅＮＢは、第１のＣＣでのアップリンクデータ送信に関してＵＥをスケジューリングするために第１のＣＣで第２のアップリンク許可を送信することができる（ブロック１７１６）。第２のアップリンク許可は、第１のＣＣに関するアップリンク許可送信タイムラインに基づいて送信することができる。
【０１１６】
一設計では、ｅＮＢは、第２のＣＣでアップリンクデータ送信を受信することができ及びアップリンクデータ送信に関するＡＣＫ／ＮＡＣＫを決定することができる。ｅＮＢは、第１のＣＣに関するＡＣＫ／ＮＡＣＫ送信タイムラインに基づいて決定されたサブフレームにおいて第１のＣＣでＡＣＫ／ＮＡＣＫを送信することができる。
【０１１７】
ｅＮＢは、第２のＣＣでのダウンリンクデータ送信に関してＵＥをスケジューリングするために第１のＣＣでダウンリンク許可を送信することができる。ダウンリンク許可は、第２のＣＣに関するダウンリンク許可送信タイムラインに基づいて送信することができる（例えば、クロスサブフレームダウンリンクスケジューリングを除く）。ｅＮＢは、第２のＣＣでダウンリンクデータ送信を送信することができ及びダウンリンクデータ送信に関するＡＣＫ／ＮＡＣＫを受信することができる。
【０１１８】
一設計では、上記の第１の方式に関しては、第１のＣＣはＰＣＣであることができ及び第２のＣＣはＵＥに関するＳＣＣであることができる。ｅＮＢは、第２のＣＣでデータ送信のためのＵＣＩを受信することができ、ＵＣＩは、第１のＣＣに関するＵＣＩ送信タイムラインに基づいて第１のＣＣで送信される。
【０１１９】
一設計では、上記の第３の方式に関しては、第１のＣＣはダウンリンクＰＣＣであることができ及び第２のＣＣはＵＥに関するアップリンクＰＣＣであることができる。ｅＮＢは、ＵＥに対してダウンリンクＰＣＣでＤＣＩを送信することができ及びＵＥからアップリンクＰＣＣでＵＣＩを受信することができる。
【０１２０】
第４の方式に関して、ｅＮＢは、ＵＥから第１のＣＣで第１のＵＣＩを受信することができ及びＵＥから第２のＣＣで第２のＵＣＩを受信することができる。一設計では、第１のＵＣＩは、第１のＣＣでのデータ送信のためのものであることができ、第２のＵＣＩは、第２のＣＣでのデータ送信のためのものであることができる。一設計では、第１のＵＣＩは、第１のＣＣで送信することができ、第２のＵＣＩは、同じサブフレームにおいて第２のＣＣで送信することができる。他の設計では、第１のＵＣＩは、第１のＣＣで送信することができ、第２のＵＣＩは、異なるサブフレームにおいて第２のＣＣで送信することができる。例えば、第２のＵＣＩは、第２のＣＣに関してはアップリンクサブフレームであるが第１のＣＣに関してはダウンリンクサブフレームであるサブフレームで送信することができる。
【０１２１】
図１８は、複数のＣＣで動作するためのプロセス１８００の設計を示す。プロセス１８００は、ＵＥによって（後述）又は何らかのその他のエンティティによって実施することができる。ＵＥは、ＵＥに関して構成された第１のＣＣ及び第２のＣＣを決定することができ、第１及び第２のＣＣは、異なるシステム構成、例えば、異なるアップリンク−ダウンリンク構成、と関連付けられる（ブロック１８１２）。第１のＣＣは、第２のＣＣよりも多くのサブフレームと関連付けることができる。第２のＣＣは、ダウンリンクサブフレームよりも多くのアップリンクサブフレーム及び／又は第１のＣＣよりも多くのアップリンクサブフレームと関連付けることができる。ＵＥは、第２のＣＣでのアップリンクデータ送信に関して第１のＣＣで送信されたアップリンク許可を受信することができる（１８１４）。アップリンク許可は、第２のＣＣに関するアップリンク許可送信タイムラインに基づいて第１のＣＣで送信することができる。ＵＥは、第１のＣＣでのアップリンクデータ送信に関して第１のＣＣで送信された第２のアップリンク許可を受信することができる（ブロック１８１６）。第２のアップリンク許可は、第１のＣＣに関するアップリンク許可送信タイムラインに基づいて送信することができる。
【０１２２】
一設計では、ＵＥは、第２のＣＣでアップリンクデータ送信を送信することができる。ＵＥは、第１のＣＣに関するＡＣＫ／ＮＡＣＫ送信タイムラインに基づいて決定されたサブフレームにおいて第１のＣＣでアップリンクデータ送信に関するＡＣＫ／ＮＡＣＫを受信することができる。
【０１２３】
ＵＥは、第２のＣＣでのダウンリンクデータ送信に関してＵＥをスケジューリングするために第１のＣＣで送信されたダウンリンク許可を受信することができる。ダウンリンク許可は、第２のＣＣに関するダウンリンク許可送信タイムラインに基づいて送信することができる（例えば、クロスサブフレームダウンリンクスケジューリングを除く）。ＵＥは、第２のＣＣでダウンリンクデータ送信を受信することができ及びダウンリンクデータ送信に関するＡＣＫ／ＮＡＣＫを送信することができる。
【０１２４】
一設計では、上記の第１の方式に関しては、第１のＣＣはＰＣＣであることができ及び第２のＣＣはＵＥに関するＳＣＣであることができる。ＵＥは、第１のＣＣに関するＵＣＩ送信タイムラインに基づいて第１のＣＣで第２のＣＣでのデータ送信のためのＵＣＩを送信することができる。
【０１２５】
一設計では、上記の第３の方式に関しては、第１のＣＣはダウンリンクＰＣＣであることができ及び第２のＣＣはＵＥに関するアップリンクＰＣＣであることができる。ＵＥは、ダウンリンクＰＣＣでＤＣＩを受信することができ及びアップリンクＣＣでＵＣＩを送信することができる。
【０１２６】
第４の方式に関して、ＵＥは、第１のＣＣで第１のＵＣＩを送信することができ及び第２のＣＣで第２のＵＣＩを送信することができる。一設計では、第１のＵＣＩは、第１のＣＣでのデータ送信のためのものであることができ、第２のＵＣＩは、第２のＣＣでのデータ送信のためのものであることができる。一設計では、第１のＵＣＩは、第１のＣＣで送信することができ、第２のＵＣＩは、同じサブフレームにおいて第２のＣＣで送信することができる。他の設計では、第１のＵＣＩは、第１のＣＣで送信することができ、第２のＵＣＩは、異なるサブフレームにおいて第２のＣＣで送信することができる。例えば、第２のＵＣＩは、第２のＣＣに関してはアップリンクサブフレームであるが第１のＣＣに関してはダウンリンクサブフレームであるサブフレームで送信することができる。
【０１２７】
図１９は、複数のＣＣでの動作をサポートするためのプロセス１９００の設計を示す。プロセス１９００は、ｅＮＢ／基地局によって（後述）又は何らかのその他のエンティティによって実施することができる。ｅＮＢは、キャリアアグリゲーションのためにＵＥに関して構成された第１のＣＣ及び第２のＣＣを識別することができ、第１及び第２のＣＣは、異なるシステム構成、例えば、異なるアップリンク−ダウンリンク構成、と関連付けられる（ブロック１９１２）。第１のＣＣはＵＥに関するダウンリンクＰＣＣであることができ及び第２のＣＣはＵＥに関するアップリンクＰＣＣであることができる。一設計では、ダウンリンクＰＣＣは、アップリンクＰＣＣよりも多くのダウンリンクサブフレームと関連付けることができ、アップリンクＰＣＣは、ダウンリンクＰＣＣよりも多くのアップリンクサブフレームと関連付けることができる。ｅＮＢは、ＵＥに対してダウンリンクＰＣＣでＤＣＩを送信することができる（ブロック１９１４）。ｅＮＢは、ＵＥからアップリンクＰＣＣでＵＣＩを受信することができる（ブロック１９１６）。
【０１２８】
ブロック１９１４の一設計では、ｅＮＢは、アップリンクＰＣＣでのアップリンクデータ送信に関してＵＥをスケジューリングするためにダウンリンクＰＣＣで第１のアップリンク許可を送信することができる。第１のアップリンク許可は、アップリンクＰＣＣに関するアップリンク許可送信タイムラインに基づいてダウンリンクＰＣＣで送信することができる。ｅＮＢは、アップリンクＰＣＣでアップリンクデータ送信を受信することができる。ｅＮＢは、アップリンクデータ送信に関するＡＣＫ／ＮＡＣＫを決定することができ及びダウンリンクＰＣＣに関するＡＣＫ／ＮＡＣＫ送信タイムラインに基づいて決定されたサブフレームにおいてダウンリンクＰＣＣでＡＣＫ／ＮＡＣＫを送信することができる。
【０１２９】
ブロック１９１４の他の設計では、ｅＮＢは、ダウンリンクＰＣＣでのアップリンクデータ送信に関してＵＥをスケジューリングするためにダウンリンクＰＣＣで第２のアップリンク許可を送信することができる。第２のアップリンク許可は、ダウンリンクＰＣＣに関するアップリンク許可送信タイムラインに基づいて送信することができる。
【０１３０】
図２０は、複数のＣＣで動作するためのプロセス２０００の設計を示す。プロセス２０００は、ＵＥによって（後述）又は何らかのその他のエンティティによって実施することができる。ＵＥは、ＵＥに関して構成された第１のＣＣ及び第２のＣＣを決定することができ、第１及び第２のＣＣは、異なるシステム構成、例えば、異なるアップリンク−ダウンリンク構成、と関連付けられる（ブロック２０１２）。第１のＣＣはＵＥに関するダウンリンクＰＣＣであることができ及び第２のＣＣはＵＥに関するアップリンクＰＣＣであることができる。ＵＥは、ダウンリンクＰＣＣでＤＣＩを受信することができる（ブロック２０１４）。ＵＥは、アップリンクＰＣＣでＵＣＩを送信することができる（ブロック２０１６）。
【０１３１】
ブロック２０１４の一設計では、ＵＥは、アップリンクＰＣＣでのアップリンクデータ送信に関してＵＥをスケジューリングするためにダウンリンクＰＣＣで送信された第１のアップリンク許可を受信することができる。アップリンク許可は、アップリンクＰＣＣに関するアップリンク許可送信タイムラインに基づいてダウンリンクＰＣＣで送信することができる。ＵＥは、アップリンクＰＣＣでアップリンクデータ送信を送信することができる。ＵＥは、ダウンリンクＰＣＣに関するＡＣＫ／ＮＡＣＫ送信タイムラインに基づいて決定されたサブフレームにおいてダウンリンクＰＣＣでアップリンクデータ送信に関するＡＣＫ／ＮＡＣＫを受信することができる。
【０１３２】
ブロック２０１４の他の設計では、ＵＥは、ダウンリンクＰＣＣでのアップリンクデータ送信に関してＵＥをスケジューリングするためにダウンリンクＰＣＣで送信された第２のアップリンク許可を受信することができる。第２のアップリンク許可は、ダウンリンクＰＣＣに関するアップリンク許可送信タイムラインに基づいて送信することができる。
【０１３３】
図２１は、複数のＣＣでの動作をサポートするためのプロセス２１００の設計を示す。プロセス２１００は、ｅＮＢ／基地局によって（後述）又は何らかのその他のエンティティによって実施することができる。ｅＮＢは、キャリアアグリゲーションのためにＵＥに関して構成された第１のＣＣ及び第２のＣＣを識別することができ、第１及び第２のＣＣは、異なるシステム構成、例えば、異なるアップリンク−ダウンリンク構成、と関連付けられる（ブロック２１１２）。第１のＣＣはＰＣＣであることができ及び第２のＣＣはＵＥに関するＳＣＣであることができる。ＰＣＣは、ＳＣＣよりも多くのダウンリンクサブフレームと関連付けることができる。ｅＮＢは、ＵＥから第１のＣＣで第１のＵＣＩを受信することができる（ブロック２１１４）。ｅＮＢは、ＵＥから第２のＣＣで第２のＵＣＩを受信することができる（ブロック２１１６）。
【０１３４】
一設計では、第１のＵＣＩは、第１のＣＣで送信することができ、第２のＵＣＩは、同じサブフレームにおいて第２のＣＣで送信することができる。第１のＣＣで送信された第１のＵＣＩは、第１のＣＣでのダウンリンクデータ送信に関して適用可能である。第２のＣＣで送信された第２のＵＣＩは、第２のＣＣでのダウンリンクデータ送信に関して適用可能である。他の設計では、第１のＵＣＩは、第１のサブフレームにおいて第１のＣＣで送信することができ、第２のＵＣＩは、第１のサブフレームと異なる第２のサブフレームにおいて第２のＣＣで送信することができる。第２のサブフレームは、第１のＣＣに関するダウンリンクサブフレーム及び第２のＣＣに関するアップリンクサブフレームであることができる。
【０１３５】
一設計では、ｅＮＢは、第２のＣＣでのアップリンクデータ送信に関してＵＥをスケジューリングするために第１のＣＣでアップリンク許可を送信することができる。アップリンク許可は、第２のＣＣに関するアップリンク許可送信タイムラインに基づいて第１のＣＣで送信することができる。ｅＮＢは、第２のＣＣでアップリンクデータ送信を受信することができ及びアップリンクデータ送信に関するＡＣＫ／ＮＡＣＫを決定することができる。ｅＮＢは、第１のＣＣに関するＡＣＫ／ＮＡＣＫ送信タイムラインに基づいて決定されたサブフレームにおいて第１のＣＣでアップリンクデータ送信に関するＡＣＫ／ＮＡＣＫを送信することができる。
【０１３６】
図２２は、複数のＣＣで動作するためのプロセス２２００の設計を示す。プロセス２２００は、ＵＥによって（後述）又は何らかのその他のエンティティによって実施することができる。ＵＥは、ＵＥに関して構成された第１のＣＣ及び第２のＣＣを決定することができ、第１及び第２のＣＣは、異なるシステム構成、例えば、異なるアップリンク−ダウンリンク構成、と関連付けられる（ブロック２２１２）。第１のＣＣはＰＣＣであることができ及び第２のＣＣはＵＥに関するＳＣＣであることができる。ＰＣＣは、ＳＣＣよりも多くのダウンリンクサブフレームと関連付けることができる。ＵＥは、第１のＣＣで第１のＵＣＩを送信することができる（ブロック２２１４）。ＵＥは、第２のＣＣで第２のＵＣＩを送信することができる（ブロック２２１６）。
【０１３７】
一設計では、第１のＵＣＩは、第１のＣＣで送信することができ、及び、第２のＵＣＩは、同じサブフレームにおいて第２のＣＣで送信することができる。第１のＣＣで送信された第１のＵＣＩは、第１のＣＣでのダウンリンクデータ送信に関して適用可能である。第２のＣＣで送信された第２のＵＣＩは、第２のＣＣでのダウンリンクデータ送信に関して適用可能である。他の設計では、第１のＵＣＩは、第１のサブフレームにおいて第１のＣＣで送信することができ、第２のＵＣＩは、第１のサブフレームと異なる第２のサブフレームにおいて第２のＣＣで送信することができる。第２のサブフレームは、第１のＣＣに関するダウンリンクサブフレーム及び第２のＣＣに関するアップリンクサブフレームであることができる。
【０１３８】
ＵＥは、第２のＣＣでのアップリンクデータ送信に関してＵＥをスケジューリングするために第１のＣＣでアップリンク許可を受信することができる。アップリンク許可は、第２のＣＣに関するアップリンク許可送信タイムラインに基づいて第１のＣＣで送信することができる。ＵＥは、第２のＣＣでアップリンクデータ送信を送信することができる。ＵＥは、第１のＣＣに関するＡＣＫ／ＮＡＣＫ送信タイムラインに基づいて決定されたサブフレームにおいて第１のＣＣで送信されたアップリンクデータ送信に関するＡＣＫ／ＮＡＣＫを受信することができる。
【０１３９】
図２３は、ＵＥ１２０ｘｘ及び基地局／ｅＮＢ１１０ｘｘの設計のブロック図であり、それらは、図１のＵＥのうちの１つ及びｅＮＢのうちの１つであることができる。ＵＥ１２００ｘｘ内では、受信機２３１０は、基地局、中継器、等によって送信された信号を受信することができる。モジュール２３１２は、受信された信号を処理して復号されたデータ及びＤＣＩを提供することができる。モジュール２３１４は、復号されたＤＣＩを処理し、ＵＥ１２０ｘｘを対象とするＤＣＩを決定することができる。モジュール２３１２及び／又は２３１４は、ＵＥ１２０ｘｘに関して適用可能なＨＡＲＱタイムライン（例えば、ダウンリンク許可及びＡＣＫ／ＮＡＣＫ送信タイムライン）に基づいてＤＣＩを処理することができ、それは、ＵＥ１２０ｘｘに関するＣＣ構成に依存することができる。モジュール２３１６は、ＵＣＩを送信のために生成することができる。モジュール２３１８は、データ及び／又はＵＣＩを備えるアップリンク信号を生成することができる。送信機２３２０は、アップリンク信号をコンディショニングして送信することができる。モジュール２３２２は、キャリアアグリゲーションのためにＵＥ１２０ｘｘに関して構成された複数のＣＣを決定することができる。モジュール２３２４は、ＵＥ１２０ｘｘに関して構成されたＣＣに関するアップリンク−ダウンリンク構成に基づいてＵＥ１２０ｘｘに関する許可及びＡＣＫ／ＮＡＣＫ送信タイムラインを決定することができる。ＵＥ１２０ｘｘに関する送信タイムラインは、ＤＣＩを受信するためにモジュール２３１２及び／又は２３１４によって及びＵＣＩを送信するためにモジュール２３１６及び／又は２３１８によって使用することができる。モジュール２３２６は、ダウンリンク及びアップリンクデータ送信のためにデータを処理することができる。ＵＥ１２００ｘｘ内の様々なモジュールが上述されるように動作することができる。コントローラ／プロセッサ２３３０は、ＵＥ１２０ｘｘ内の様々なモジュールの動作を指示することができる。メモリ２３２８は、ＵＥ１２０ｘｘに関するデータ及びプログラムコードを格納することができる。
【０１４０】
基地局１１０ｘｘ内において、モジュール２３５０は、ＤＣＩを送信のために生成することができる。モジュール２３５２は、データ及び／又はＤＣＩを備えるダウンリンク信号を生成することができる。送信機２３５４は、ダウンリンク信号をコンディショニングして送信することができる。受信機２３５６は、ＵＥによって送信された信号を受信することができる。モジュール２３５８は、受信された信号を処理して復号されたデータ及びＵＣＩを提供することができる。モジュール２３６０は、復号されたＵＣＩを処理し、ＵＥ１２０ｘｘ及びその他のＵＥによって送信されたＵＣＩを決定することができる。モジュール２３６２は、ダウンリンク及びアップリンクデータ送信のためにデータを処理することができる。モジュール２３６４は、キャリアアグリゲーションのためにＵＥ１２０ｘｘに関して構成された複数のＣＣを決定することができる。モジュール２３６６は、ＵＥ１２０ｘｘに関して構成されたＣＣに関するアップリンク−ダウンリンク構成に基づいてＵＥ１２０ｘｘに関する許可及びＡＣＫ／ＮＡＣＫ送信タイムラインを決定することができる。ＵＥ１２０ｘｘに関する送信タイムラインは、ＵＥ１２０ｘｘにＤＣＩを送信するためにモジュール２３５０及び／又は２３５２によって及びＵＥ１２０ｘｘからＵＣＩを受信するためにモジュール２３５８及び／又は２３６０によって使用することができる。基地局１１０ｘｘ内の様々なモジュールが上述されるように動作することができる。コントローラ／プロセッサ２３３０は、基地局１１０ｘｘ内の様々なモジュールの動作を指示することができる。メモリ２３６８は、基地局１１０ｘｘに関するデータ及びプログラムコードを格納することができる。スケジューリングモジュール２３７２は、ダウンリンク及び／又はアップリンクでのデータ送信に関してＵＥをスケジューリングすることができる。
【０１４１】
図２３のモジュールは、プロセッサ、電子デバイス、ハードウェアデバイス、電子コンポーネント、論理回路、メモリ、ソフトウェア／ファームウェアコード、等、又はそれらの組み合わせを備えることができる。
【０１４２】
図２４は、基地局／ｅＮＢ１１０ｙｙ及びＵＥ１２０ｙｙの設計のブロック図であり、それらは、図１の基地局／ｅＮＢのうちの１つ及びＵＥのうちの１つであることができる。基地局１１０ｙｙは、Ｔのアンテナ２４３４ａ乃至２４３４ｔを装備することができ、ＵＥ１２０ｙｙは、Ｒのアンテナ２４５２ａ乃至２４５２ｒを装備することができ、概して、Ｔ≧１及びＲ≧１である。
【０１４３】
基地局１１０ｙｙにおいて、送信プロセッサ２４２０は、１つ以上のＣＣでの１つ以上のＵＥへの送信のためにデータソース２４１２からデータを受信し、各ＵＥに関して選択された１つ以上の変調及びコーディング方式に基づいてそのＵＥに関してデータを処理（例えば、符号化及び変調）し、すべてのＵＥに関するデータシンボルを提供することができる。送信プロセッサ２４２０は、ＤＣＩ（例えば、ダウンリンク許可、アップリンク許可、ＡＣＫ／ＮＡＣＫ、構成メッセージ、等）を処理し、制御シンボルを提供することもできる。プロセッサ２４２０は、基準信号に関する基準シンボルを生成することもできる。送信（ＴＸ）多入力多出力（ＭＩＭＯ）プロセッサ２４３０は、データシンボル、制御シンボル、及び／又は基準シンボル（該当する場合）をプリコーディングすることができ及びＴの出力シンボルストリームをＴの変調器（ＭＯＤ）２４３２ａ乃至２４３２ｔに提供することができる。各変調器２４３２は、（例えば、ＯＦＤＭに関する）それの出力シンボルストリームを処理して出力サンプルストリームを得ることができる。各変調器２４３２は、それの出力サンプルストリームをさらにコンディショニング（例えば、アナログへの変換、増幅、フィルタリング、及びアップコンバージョン）してダウンリンク信号を得ることができる。変調器２４３２ａ乃至２４３２ｔからのＴのダウンリンク信号を、Ｔのアンテナ２４３４ａ乃至２４３４ｔをそれぞれ介して送信することができる。
【０１４４】
ＵＥ１２０ｙｙにおいて、アンテナ２４５２ａ乃至２４５２ｒは、基地局１１０ｙｙ及び／又はその他の基地局からダウンリンク信号を受信することができ及び受信された信号を復調器（ＤＥＭＯＤ）２４５４ａ乃至２４５４ｒにそれぞれ提供することができる。各復調器２４５４は、それの受信された信号をコンディショニング（例えば、フィルタリング、増幅、ダウンコンバージョン、及びデジタル化）して入力サンプルを得ることができる。各復調器２４５４は、（例えば、ＯＦＤＭ、等に関する）入力サンプルをさらに処理して受信されたシンボルを得ることができる。ＭＩＭＯ検出器２４５６は、すべてのＲの復調器２４５４ａ乃至２４５４ｒから受信されたシンボルを入手し、該当する場合は受信されたシンボルに関するＭＩＭＯ検出を行い、検出されたシンボルを提供することができる。受信プロセッサ２４５８は、検出されたシンボルを処理（例えば、復調及び復号）し、ＵＥ１２０ｙｙに関する復号されたデータをデータシンク２４６０に提供し、復号されたＤＣＩをコントローラ／プロセッサ２４８０に提供することができる。
【０１４５】
アップリンクにおいて、ＵＥ１２０ｙｙで、送信プロセッサ２４６４は、データソース２４６２からデータを及びコントローラ／プロセッサ２４８０からＵＣＩ（例えば、ＡＣＫ／ＮＡＣＫ、ＣＳＩ、等）を受信して処理することができる。プロセッサ２４６４は、１つ以上の基準信号に関する基準シンボルを生成することもできる。送信プロセッサ２４６４からのシンボルは、該当する場合はＴＸ  ＭＩＭＯプロセッサ２４６６によってプリコーディングし、（例えば、ＳＣ−ＦＤＭ、ＯＦＤＭ、等に関して）変調器２４５４ａ乃至２４５４ｒによってさらに処理し、基地局１１０ｙｙに送信することができる。基地局１１０ｙｙにおいて、ＵＥ１２０ｙｙ及びその他のＵＥからのアップリンク信号をアンテナ２４３４によって受信し、復調器２４３２によって処理し、該当する場合はＭＩＭＯ検出器２４３６によって検出し、受信プロセッサ２４３８によってさらに処理し、ＵＥ１２０ｙｙ及びその他のＵＥによって送信された復号されたデータ及び制御情報を得ることができる。プロセッサ２４３８は、復号されたデータをデータシンク２４３９に及び復号されたＵＣＩをコントローラ／プロセッサ２４４０に提供することができる。
【０１４６】
コントローラ／プロセッサ２４４０及び２４８０は、基地局１１０ｙｙ及びＵＥ１２０ｙｙのそれぞれにおける動作を指示することができる。基地局１１０ｙｙにおけるプロセッサ２４４０及び／又はその他のプロセッサ及びモジュールは、は、図１１のプロセス１１００、図１３のプロセス１３００、図１５のプロセス１５００、図１７のプロセッサ１７００、図１９のプロセス１９００、図２１のプロセス２１００、及び／又はここにおいて説明される技法に関するその他のロセスを実施又は指示することができる。ＵＥ１２０ｙｙにおけるプロセッサ２４８０及び／又はその他のプロセッサ及びモジュールは、図１２のプロセス１２００、図１４のプロセス１４００、図１６のプロセス１６００、図１８のプロセス１８００、図２０のプロセス２０００、図２２のプロセス２２００、及び／又はここにおいて説明される技法に関するその他のロセスを実施又は指示することができる。メモリ２４４２及び２４８２は、基地局１１０ｙｙ及びＵＥ１２０ｙｙのそれぞれに関するデータ及びプログラムコードを格納することができる。スケジューラ２４４４は、ダウンリンク及び／又はアップリンクでのデータ送信に関してＵＥをスケジューリングすることができる。
【０１４７】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１４８】
ここにおける開示と関係させて説明される様々な例示的な論理ブロック、モジュール、回路、及びアルゴリズムのステップは、電子ハードウェア、ソフトウェア／ファームウェア、又はそれらの組み合わせとして実装可能であることを当業者はさらに評価するであろう。ハードウェアとソフトウェア／ファームウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェア／ファームウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【０１４９】
ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１５０】
ここにおける開示と関係させて説明される方法又はアルゴリズムのステップは、直接ハードウェア内において、プロセッサによって実行されるソフトウェア／ファームウェアモジュール内において、又はそれらの組み合わせ内において具現化することが可能である。ソフトウェア／ファームウェアモジュールは、ランダムアクセスメモリ（ＲＡＭ）、フラッシュメモリ、読み取り専用メモリ（ＲＯＭ）、消去可能プログラマブルＲＯＭ（ＥＰＲＯＭ）、電気的ＥＰＲＯＭ（ＥＥＰＲＯＭ）、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサが記憶媒体から情報を読み出すこと及び記憶媒体に情報を書き込むことができるようにプロセッサに結合される。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【０１５１】
１つ以上の典型的な設計において、説明される機能は、ハードウェア、ソフトウェア／ファームウェア、又はそれらの組み合わせにおいて実装することができる。ソフトウェア／ファームウェアにおいて実装される場合は、これらの機能は、コンピュータによって読み取り可能な媒体において１つ以上の命令又はコードとして格納すること又は送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、汎用又は専用コンピュータによってアクセス可能なあらゆる利用可能な媒体であることができる。コンピュータによって読み取り可能な媒体は、非一時的なコンピュータによって読み取り可能な媒体であることができる。一例として、及び制限することなしに、該非一時的なコンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコード手段を命令又はデータ構造の形態で搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェア／ファームウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。コンピュータによって読み取り可能な媒体は、コンピュータプログラム製品において具現化することができる。一例として、コンピュータプログラム製品は、パッケージング材料内のコンピュータによって読み取り可能な媒体を含むことができる。上記の組合せも、コンピュータによって読み取り可能な媒体の適用範囲に含めるべきである。
【０１５２】
本開示に関する前の説明は、当業者が本開示を製造又は使用することを可能にするために提供される。本開示に対する様々な修正は、当業者にとって容易に明確になるであろう、及びここにおいて定められる一般原理は、本開示の適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
【図１】
2014526196.tif 000009
【図２】
2014526196.tif 000010
【図３Ａ】
2014526196.tif 000011
【図３Ｂ】
2014526196.tif 000012
【図４Ａ】
2014526196.tif 000013
【図４Ｂ】
2014526196.tif 000014
【図５Ａ】
2014526196.tif 000015
【図５Ｂ】
2014526196.tif 000016
【図６Ａ】
2014526196.tif 000017
【図６Ｂ】
2014526196.tif 000018
【図７Ａ】
2014526196.tif 000019
【図７Ｂ】
2014526196.tif 000020
【図８Ａ】
2014526196.tif 000021
【図８Ｂ】
2014526196.tif 000022
【図８Ｃ】
2014526196.tif 000023
【図８Ｄ】
2014526196.tif 000024
【図９Ａ】
2014526196.tif 000025
【図９Ｂ】
2014526196.tif 000026
【図１０Ａ】
2014526196.tif 000027
【図１０Ｂ】
2014526196.tif 000028
【図１１】
2014526196.tif 000029
【図１２】
2014526196.tif 000030
【図１３】
2014526196.tif 000031
【図１４】
2014526196.tif 000032
【図１５】
2014526196.tif 000033
【図１６】
2014526196.tif 000034
【図１７】
2014526196.tif 000035
【図１８】
2014526196.tif 000036
【図１９】
2014526196.tif 000037
【図２０】
2014526196.tif 000038
【図２１】
2014526196.tif 000039
【図２２】
2014526196.tif 000040
【図２３】
2014526196.tif 000041
【図２４】
2014526196.tif 000042
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
キャリアアグリゲーションのためにユーザ装置（ＵＥ）に関して構成された第１のコンポーネントキャリア（ＣＣ）及び第２のＣＣを識別することであって、前記第１及び第２のＣＣは、異なるシステム構成と関連付けられることと、
前記ＵＥに対して前記第２のＣＣでデータ送信を送信することと、
前記第２のＣＣで前記データ送信のためのアップリンク制御情報（ＵＣＩ）を受信することであって、前記ＵＣＩは前記第２のＣＣに関するものであり及び前記第１のＣＣに関するＵＣＩ送信タイムラインに基づいて前記ＵＥによって前記第１のＣＣで送信されることと、を備える、無線通信のための方法。
【請求項２】
前記第１のＣＣは、前記ＵＥに関するプライマリＣＣ（ＰＣＣ）であり、前記第２のＣＣは、セカンダリＣＣ（ＳＣＣ）である請求項１に記載の方法。
【請求項３】
前記第１のＣＣは、第１のアップリンク−ダウンリンク構成と関連付けられ、前記第２のＣＣは、第２のアップリンク−ダウンリンク構成と関連付けられ、前記第１のＣＣに関する前記ＵＣＩ送信タイムラインは、前記第１のＣＣに関する前記第１のアップリンク−ダウンリンク構成に基づいて決定される請求項１に記載の方法。
【請求項４】
前記第１のＣＣは、前記第２のＣＣよりも多くのダウンリンクサブフレームと関連付けられる請求項１に記載の方法。
【請求項５】
前記ＵＣＩは、前記ＵＥに前記第２のＣＣで送信された前記データ送信に関する肯定応答／否定応答（ＡＣＫ／ＮＡＣＫ）を備える請求項１に記載の方法。
【請求項６】
キャリアアグリゲーションのためにユーザ装置（ＵＥ）に関して構成された第１のコンポーネントキャリア（ＣＣ）及び第２のＣＣを識別することであって、前記第１及び第２のＣＣは、異なるシステム構成と関連付けられることと、
前記ＵＥに対して前記第２のＣＣでデータ送信を送信することと、
前記第２のＣＣで前記データ送信のためのアップリンク制御情報（ＵＣＩ）を受信することであって、前記ＵＣＩは前記第２のＣＣに関するものであり及び前記第１のＣＣに関するＵＣＩ送信タイムラインに基づいて前記ＵＥによって前記第１のＣＣで送信されることと
を備え、
前記ＵＣＩは、前記ＵＥに前記第２のＣＣで送信された前記データ送信に関する肯定応答／否定応答（ＡＣＫ／ＮＡＣＫ）を備える、前記ＡＣＫ／ＮＡＣＫは、チャネル選択を有する物理アップリンク制御チャネル（ＰＵＣＣＨ）形式１ｂに基づいて前記ＵＥによって送信され、前記ＡＣＫ／ＮＡＣＫに関するマッピングテーブルは、前記ＵＥに関して構成された全ＣＣに関する単一のアップリンクサブフレームと関連付けられた最大数のダウンリンクサブフレームに基づいて決定される、無線通信のための方法。
【請求項７】
前記ＵＣＩは、前記ＵＥに関するチャネル状態情報（ＣＩＳ）構成に基づいて前記ＵＥによって送信されるＣＳＩを備える請求項１に記載の方法。
【請求項８】
前記第２のＣＣのためのチャネル状態情報（ＣＳＩ）を前記ＵＥから周期的に受信することであって、前記ＣＳＩは、前記第１のＣＣに関するアップリンク−ダウンリンク構成に基づいて決定された周期性で前記ＵＥによって送信されること、をさらに備える請求項１に記載の方法。
【請求項９】
前記第２のＣＣでの前記データ送信に関して前記ＵＥをスケジューリングするために前記第１のＣＣでダウンリンク許可を送信することであって、前記ダウンリンク許可は、前記第２のＣＣに関するものであり及び前記第１のＣＣに関するダウンリンク許可送信タイムラインに基づいて送信されること、をさらに備える請求項１に記載の方法。
【請求項１０】
前記第１のＣＣ又は前記第２のＣＣでのアップリンクデータ送信に関して前記ＵＥをスケジューリングするためのアップリンク許可を送信することであって、前記アップリンク許可は、前記第１のＣＣに関するアップリンク許可送信タイムラインに基づいて前記第１のＣＣで送信されること、をさらに備える請求項１に記載の方法。
【請求項１１】
前記第２のＣＣでのアップリンクデータ送信に関して前記ＵＥをスケジューリングするためのアップリンク許可を送信することであって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信されることをさらに備える請求項１に記載の方法。
【請求項１２】
前記ＵＥから前記第２のＣＣでアップリンクデータ送信を受信することと、
前記第２のＣＣでの前記アップリンクデータ送信に関する肯定応答／否定応答（ＡＣＫ／ＮＡＣＫ）を決定することと、
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信することと、をさらに備える請求項１に記載の方法。
【請求項１３】
キャリアアグリゲーションのためにユーザ装置（ＵＥ）に関して構成された第１のコンポーネントキャリア（ＣＣ）及び第２のＣＣを識別するための手段であって、前記第１及び第２のＣＣは、異なるシステム構成と関連付けられる手段と、
前記ＵＥに対して前記第２のＣＣでデータ送信を送信するための手段と、
前記第２のＣＣで前記データ送信のためのアップリンク制御情報（ＵＣＩ）を受信するための手段であって、前記ＵＣＩは前記第２のＣＣに関するものであり及び前記第１のＣＣに関するＵＣＩ送信タイムラインに基づいて前記ＵＥによって前記第１のＣＣで送信される手段と、を備える、無線通信のための装置。
【請求項１４】
前記第１のＣＣ又は前記第２のＣＣでのアップリンクデータ送信に関して前記ＵＥをスケジューリングするためのアップリンク許可を送信するための手段であって、前記アップリンク許可は、前記第１のＣＣに関するアップリンク許可送信タイムラインに基づいて前記第１のＣＣで送信される手段、をさらに備える請求項１３に記載の装置。
【請求項１５】
前記第２のＣＣでのアップリンクデータ送信に関して前記ＵＥをスケジューリングするためのアップリンク許可を送信するための手段であって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信される手段、をさらに備える請求項１３に記載の装置。
【請求項１６】
前記ＵＥから前記第２のＣＣでアップリンクデータ送信を受信するための手段と、
前記第２のＣＣでの前記アップリンクデータ送信に関する肯定応答／否定応答（ＡＣＫ／ＮＡＣＫ）を決定するための手段と、
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信するための手段と、をさらに備える請求項１３に記載の装置。
【請求項１７】
キャリアアグリゲーションのためにユーザ装置（ＵＥ）に関して構成された第１のコンポーネントキャリア（ＣＣ）及び第２のＣＣを識別し、
前記ＵＥに対して前記第２のＣＣでデータ送信を送信し、及び
前記第２のＣＣで前記データ送信のためのアップリンク制御情報（ＵＣＩ）を受信するように構成された少なくとも１つのプロセッサを備え、
前記第１及び第２のＣＣは、異なるシステム構成と関連付けられ、
前記ＵＣＩは前記第２のＣＣに関するものであり及び前記第１のＣＣに関するＵＣＩ送信タイムラインに基づいて前記ＵＥによって前記第１のＣＣで送信される、無線通信のための装置。
【請求項１８】
前記少なくとも１つのプロセッサは、前記第１のＣＣ又は前記第２のＣＣでのアップリンクデータ送信に関して前記ＵＥをスケジューリングするためのアップリンク許可を送信するようにさらに構成され、前記アップリンク許可は、前記第１のＣＣに関するアップリンク許可送信タイムラインに基づいて前記第１のＣＣで送信される請求項１７に記載の装置。
【請求項１９】
前記少なくとも１つのプロセッサは、前記第２のＣＣでのアップリンクデータ送信に関してＵＥをスケジューリングするためのアップリンク許可を送信するようにさらに構成され、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信される請求項１７に記載の装置。
【請求項２０】
前記少なくとも１つのプロセッサは、
前記ＵＥから前記第２のＣＣでアップリンクデータ送信を受信し、
前記第２のＣＣでの前記アップリンクデータ送信に関する肯定応答／否定応答（ＡＣＫ／ＮＡＣＫ）を決定し、及び
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信するようにさらに構成される請求項１７に記載の装置。
【請求項２１】
キャリアアグリゲーションのためにユーザ装置（ＵＥ）に関して構成された第１のコンポーネントキャリア（ＣＣ）及び第２のＣＣを識別することを少なくとも１つのプロセッサに行わせるためのコードであって、前記第１及び第２のＣＣは、異なるシステム構成と関連付けられるコードと、
前記ＵＥに対して前記第２のＣＣでデータ送信を送信することを前記少なくとも１つのプロセッサに行わせるためのコードと、
前記第２のＣＣで前記データ送信のためのアップリンク制御情報（ＵＣＩ）を受信することを前記少なくとも１つのプロセッサに行わせるためのコードであって、
前記ＵＣＩは前記第２のＣＣに関するものであり及び前記第１のＣＣに関するＵＣＩ送信タイムラインに基づいて前記ＵＥによって前記第１のＣＣで送信されるコードと、
を備える、非一時的なコンピュータによって読み取り可能な媒体、を備える、コンピュータプログラム製品。
【請求項２２】
キャリアアグリゲーションのためにユーザ装置（ＵＥ）に関して構成された第１のコンポーネントキャリア（ＣＣ）及び第２のＣＣを決定することであって、前記第１及び第２のＣＣは、異なるシステム構成と関連付けられることと、
前記第２のＣＣでデータ送信を受信することと、
前記第２のＣＣで前記データ送信のためのアップリンク制御情報（ＵＣＩ）を送信することであって、前記ＵＣＩは前記第２のＣＣに関するものであり及び前記第１のＣＣに関するＵＣＩ送信タイムラインに基づいて前記第１のＣＣで送信されることと、を備える、無線通信のための方法。
【請求項２３】
前記ＵＣＩは、前記ＵＥに対して前記第２のＣＣで送信された前記データ送信に関する肯定応答／否定応答（ＡＣＫ／ＮＡＣＫ）を備える請求項２２に記載の方法。
【請求項２４】
前記第２のＣＣでの前記データ送信に関して前記ＵＥをスケジューリングするために前記第１のＣＣで送信されたダウンリンク許可を受信することであって、前記ダウンリンク許可は、前記第２のＣＣに関するものであり及び前記第１のＣＣに関するダウンリンク許可送信タイムラインに基づいて送信されること、をさらに備える請求項２２に記載の方法。
【請求項２５】
前記第１のＣＣ又は前記第２のＣＣでのアップリンクデータ送信に関して前記ＵＥをスケジューリングするアップリンク許可を受信することであって、前記アップリンク許可は、前記第１のＣＣに関するアップリンク許可送信タイムラインに基づいて前記第１のＣＣで送信されること、をさらに備える請求項２２に記載の方法。
【請求項２６】
前記第２のＣＣでのアップリンクデータ送信に関して前記ＵＥをスケジューリングするアップリンク許可を受信することであって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信されること、をさらに備える請求項２２に記載の方法。
【請求項２７】
前記ＵＥによって前記第２のＣＣでアップリンクデータ送信を送信することと、
前記第２のＣＣでの前記アップリンクデータ送信に関する肯定応答／否定応答（ＡＣＫ／ＮＡＣＫ）を受信することであって、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信されることと、をさらに備える請求項２２に記載の方法。
【請求項２８】
キャリアアグリゲーションのためにユーザ装置（ＵＥ）に関して構成された第１のコンポーネントキャリア（ＣＣ）及び第２のＣＣを決定するための手段であって、前記第１及び第２のＣＣは、異なるシステム構成と関連付けられる手段と、
前記第２のＣＣでデータ送信を受信するための手段と、
前記第２のＣＣで前記データ送信のためのアップリンク制御情報（ＵＣＩ）を送信するための手段であって、前記ＵＣＩは前記第２のＣＣに関するものであり及び前記第１のＣＣに関するＵＣＩ送信タイムラインに基づいて前記第１のＣＣで送信される手段と、を備える、無線通信のための装置。
【請求項２９】
前記第１のＣＣ又は前記第２のＣＣでのアップリンクデータ送信に関して前記ＵＥをスケジューリングするアップリンク許可を受信するための手段であって、前記アップリンク許可は、前記第１のＣＣに関するアップリンク許可送信タイムラインに基づいて前記第１のＣＣで送信される手段、をさらに備える請求項２８に記載の装置。
【請求項３０】
前記第２のＣＣでのアップリンクデータ送信に関して前記ＵＥをスケジューリングするアップリンク許可を受信するための手段であって、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信される手段、をさらに備える請求項２８に記載の装置。
【請求項３１】
前記ＵＥによって前記第２のＣＣでアップリンクデータ送信を送信するための手段と、
前記第２のＣＣでの前記アップリンクデータ送信に関する肯定応答／否定応答（ＡＣＫ／ＮＡＣＫ）を受信するための手段であって、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信される手段と、をさらに備える請求項２８に記載の装置。
【請求項３２】
キャリアアグリゲーションのためにユーザ装置（ＵＥ）に関して構成された第１のコンポーネントキャリア（ＣＣ）及び第２のＣＣを決定し、
前記第２のＣＣでデータ送信を受信し、及び
前記第２のＣＣで前記データ送信のためのアップリンク制御情報（ＵＣＩ）を送信するように構成された少なくとも１つのプロセッサを備え、
前記第１及び第２のＣＣは、異なるシステム構成と関連付けられ、
前記ＵＣＩは前記第２のＣＣに関するものであり及び前記第１のＣＣに関するＵＣＩ送信タイムラインに基づいて前記第１のＣＣで送信される、無線通信のための装置。
【請求項３３】
前記少なくとも１つのプロセッサは、前記第１のＣＣ又は前記第２のＣＣでのアップリンクデータ送信に関して前記ＵＥをスケジューリングするアップリンク許可を受信するようにさらに構成され、前記アップリンク許可は、前記第１のＣＣに関するアップリンク許可送信タイムラインに基づいて前記第１のＣＣで送信される請求項３２に記載の装置。
【請求項３４】
前記少なくとも１つのプロセッサは、
前記第２のＣＣでのアップリンクデータ送信に関して前記ＵＥをスケジューリングするアップリンク許可を受信するようにさらに構成され、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信される請求項３２に記載の装置。
【請求項３５】
前記少なくとも１つのプロセッサは、
前記ＵＥによって前記第２のＣＣでアップリンクデータ送信を送信し、及び
前記第２のＣＣでの前記アップリンクデータ送信に関する肯定応答／否定応答（ＡＣＫ／ＮＡＣＫ）を受信するようにさらに構成され、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信される請求項３２に記載の装置。
【請求項３６】
キャリアアグリゲーションのためにユーザ装置（ＵＥ）に関して構成された第１のコンポーネントキャリア（ＣＣ）及び第２のＣＣを決定することを少なくとも１つのプロセッサに行わせるためのコードと、
前記第２のＣＣでデータ送信を受信することを前記少なくとも１つのプロセッサに行わせるためのコードと、
前記第２のＣＣで前記データ送信のためのアップリンク制御情報（ＵＣＩ）を送信することを前記少なくとも１つのプロセッサに行わせるためのコードと、を備える非一時的なコンピュータによって読み取り可能な媒体を備え、
前記第１及び第２のＣＣは、異なるシステム構成と関連付けられ、
前記ＵＣＩは前記第２のＣＣに関するものであり及び前記第１のＣＣに関するＵＣＩ送信タイムラインに基づいて前記第１のＣＣで送信される、コンピュータプログラム製品。
【請求項３７】
キャリアアグリゲーションのためにユーザ装置（ＵＥ）に関して構成された第１のコンポーネントキャリア（ＣＣ）及び第２のＣＣを識別することであって、前記第１及び第２のＣＣは、異なるシステム構成と関連付けられることと、
前記第２のＣＣでのアップリンクデータ送信に関して前記ＵＥをスケジューリングするために前記第１のＣＣでアップリンク許可を送信することであって、前記アップリンク許可は、前記第２のＣＣに関するものであり及び前記第１のＣＣに関するアップリンク許可送信タイムラインに基づいて前記第１のＣＣで送信されることと、を備える、無線通信のための方法。
【請求項３８】
前記第１のＣＣは、前記ＵＥに関するプライマリＣＣであり、前記第２のＣＣは、前記ＵＥに関するセカンダリＣＣである請求項３７に記載の方法。
【請求項３９】
前記第１のＣＣは、第１のアップリンク−ダウンリンク構成と関連付けられ、前記第２のＣＣは、第２のアップリンク−ダウンリンク構成と関連付けられ、前記第１のＣＣに関する前記アップリンク許可送信タイムラインは、前記第１のＣＣに関する前記第１のアップリンク−ダウンリンク構成に基づいて決定される請求項３７に記載の方法。
【請求項４０】
前記第１のＣＣは、前記第２のＣＣよりも多くのアップリンクサブフレームと関連付けられる請求項３７に記載の方法。
【請求項４１】
前記アップリンク許可に基づいて前記ＵＥによって前記第２のＣＣで送信されたアップリンクデータ送信を受信することと、
前記アップリンクデータ送信に関する肯定応答／否定応答（ＡＣＫ／ＮＡＣＫ）を決定することと、
前記第１のＣＣに関するＡＣＫ／ＮＡＣＫ送信タイムラインに基づいて決定されたサブフレームにおいて前記第１のＣＣで前記ＡＣＫ／ＮＡＣＫを送信することと、をさらに備える請求項３７に記載の方法。
【請求項４２】
前記決定されたサブフレームは、前記第１のＣＣに関するアップリンク−ダウンリンク構成に基づいて前記第１のＣＣでＡＣＫ／ＮＡＣＫを送信することができるサブフレームである請求項４１に記載の方法。
【請求項４３】
前記第１のＣＣでのアップリンクデータ送信に関して前記ＵＥをスケジューリングするために前記第１のＣＣで第２のアップリンク許可を送信することであって、前記第２のアップリンク許可は、前記第１のＣＣに関するものであり及び前記第１のＣＣに関する前記アップリンク許可送信タイムラインに基づいて送信されること、をさらに備える請求項３７に記載の方法。
【請求項４４】
キャリアアグリゲーションのためにユーザ装置（ＵＥ）に関して構成された第１のコンポーネントキャリア（ＣＣ）及び第２のＣＣを識別するための手段であって、前記第１及び第２のＣＣは、異なるシステム構成と関連付けられる手段と、
前記第２のＣＣでのアップリンクデータ送信に関して前記ＵＥをスケジューリングするために前記第１のＣＣでアップリンク許可を送信するための手段であって、前記アップリンク許可は、前記第２のＣＣに関するものであり及び前記第１のＣＣに関するアップリンク許可送信タイムラインに基づいて前記第１のＣＣで送信される手段と、を備える、無線通信のための装置。
【請求項４５】
前記アップリンク許可に基づいて前記ＵＥによって前記第２のＣＣで送信されたアップリンクデータ送信を受信するための手段と、
前記アップリンクデータ送信に関する肯定応答／否定応答（ＡＣＫ／ＮＡＣＫ）を決定するための手段と、
前記第１のＣＣに関するＡＣＫ／ＮＡＣＫ送信タイムラインに基づいて決定されたサブフレームにおいて前記第１のＣＣで前記ＡＣＫ／ＮＡＣＫを送信するための手段と、をさらに備える請求項４４に記載の装置。
【請求項４６】
前記第１のＣＣでのアップリンクデータ送信に関して前記ＵＥをスケジューリングするために前記第１のＣＣで第２のアップリンク許可を送信するための手段であって、前記第２のアップリンク許可は、前記第１のＣＣに関するものであり及び前記第１のＣＣに関する前記アップリンク許可送信タイムラインに基づいて送信される手段、をさらに備える請求項４４に記載の装置。
【請求項４７】
キャリアアグリゲーションのためにユーザ装置（ＵＥ）に関して構成された第１のコンポーネントキャリア（ＣＣ）及び第２のＣＣを識別し、及び
前記第２のＣＣでのアップリンクデータ送信に関して前記ＵＥをスケジューリングするために前記第１のＣＣでアップリンク許可を送信するように構成された少なくとも１つのプロセッサを備え、
前記第１及び第２のＣＣは、異なるシステム構成と関連付けられ、
前記アップリンク許可は、前記第２のＣＣに関するものであり及び前記第１のＣＣに関するアップリンク許可送信タイムラインに基づいて前記第１のＣＣで送信される、無線通信のための装置。
【請求項４８】
前記少なくとも１つのプロセッサは、
前記アップリンク許可に基づいて前記ＵＥによって前記第２のＣＣで送信されたアップリンクデータ送信を受信し、
前記アップリンクデータ送信に関する肯定応答／否定応答（ＡＣＫ／ＮＡＣＫ）を決定し、及び
前記第１のＣＣに関するＡＣＫ／ＮＡＣＫ送信タイムラインに基づいて決定されたサブフレームにおいて前記第１のＣＣで前記ＡＣＫ／ＮＡＣＫを送信するようにさらに構成される請求項４７に記載の装置。
【請求項４９】
前記少なくとも１つのプロセッサは、前記第１のＣＣでのアップリンクデータ送信に関して前記ＵＥをスケジューリングするために前記第１のＣＣで第２のアップリンク許可を送信するようにさらに構成され、前記第２のアップリンク許可は、前記第１のＣＣに関するものであり及び前記第１のＣＣに関する前記アップリンク許可送信タイムラインに基づいて送信される請求項４７に記載の装置。
【請求項５０】
キャリアアグリゲーションのためにユーザ装置（ＵＥ）に関して構成された第１のコンポーネントキャリア（ＣＣ）及び第２のＣＣを識別することを少なくとも１つのプロセッサに行わせるためのコードと、
前記第２のＣＣでのアップリンクデータ送信に関して前記ＵＥをスケジューリングするために前記第１のＣＣでアップリンク許可を送信することを前記少なくとも１つのプロセッサに行わせるためのコードと、を備える非一時的なコンピュータによって読み取り可能な媒体を備え、
前記第１及び第２のＣＣは、異なるシステム構成と関連付けられ、
前記アップリンク許可は、前記第２のＣＣに関するものであり及び前記第１のＣＣに関するアップリンク許可送信タイムラインに基づいて前記第１のＣＣで送信される、コンピュータプログラム製品。
【請求項５１】
キャリアアグリゲーションのためにユーザ装置（ＵＥ）に関して構成された第１のコンポーネントキャリア（ＣＣ）及び第２のＣＣを決定することであって、前記第１及び第２のＣＣは、異なるシステム構成と関連付けられることと、
前記第２のＣＣでのアップリンクデータ送信に関して前記ＵＥをスケジューリングするために前記第１のＣＣで送信されたアップリンク許可を受信することであって、前記アップリンク許可は、前記第２のＣＣに関するものであり及び前記第１のＣＣに関するアップリンク許可送信タイムラインに基づいて前記第１のＣＣで送信されることと、を備える、無線通信のための方法。
【請求項５２】
前記アップリンク許可に基づいて前記第２のＣＣでアップリンクデータ送信を送信することと、
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信することと、をさらに備える請求項５１に記載の方法。
【請求項５３】
前記第１のＣＣでのアップリンクデータ送信に関して前記ＵＥをスケジューリングするために前記第１のＣＣで第２のアップリンク許可を受信することであって、前記第２のアップリンク許可は、前記第１のＣＣに関するものであり及び前記第１のＣＣに関する前記アップリンク許可送信タイムラインに基づいて送信されること、をさらに備える請求項５１に記載の方法。
【請求項５４】
キャリアアグリゲーションのためにユーザ装置（ＵＥ）に関して構成された第１のコンポーネントキャリア（ＣＣ）及び第２のＣＣを決定するための手段であって、前記第１及び第２のＣＣは、異なるシステム構成と関連付けられる手段と、
前記第２のＣＣでのアップリンクデータ送信に関して前記ＵＥをスケジューリングするために前記第１のＣＣで送信されたアップリンク許可を受信するための手段であって、前記アップリンク許可は、前記第２のＣＣに関するものであり及び前記第１のＣＣに関するアップリンク許可送信タイムラインに基づいて前記第１のＣＣで送信される手段と、を備える、無線通信のための装置。
【請求項５５】
前記アップリンク許可に基づいて前記第２のＣＣでアップリンクデータ送信を送信するための手段と、
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信するための手段と、をさらに備える請求項５４に記載の装置。
【請求項５６】
前記第１のＣＣでのアップリンクデータ送信に関して前記ＵＥをスケジューリングするために前記第１のＣＣで送信された第２のアップリンク許可を受信するための手段であって、前記第２のアップリンク許可は、前記第１のＣＣに関するものであり及び前記第１のＣＣに関する前記アップリンク許可送信タイムラインに基づいて送信される手段、をさらに備える請求項５４に記載の装置。
【請求項５７】
キャリアアグリゲーションのためにユーザ装置（ＵＥ）に関して構成された第１のコンポーネントキャリア（ＣＣ）及び第２のＣＣを決定し、及び
前記第２のＣＣでのアップリンクデータ送信に関して前記ＵＥをスケジューリングするために前記第１のＣＣで送信されたアップリンク許可を受信するように構成された少なくとも１つのプロセッサを備え、
前記第１及び第２のＣＣは、異なるシステム構成と関連付けられ、
前記アップリンク許可は、前記第２のＣＣに関するものであり及び前記第１のＣＣに関するアップリンク許可送信タイムラインに基づいて前記第１のＣＣで送信される、無線通信のための装置。
【請求項５８】
前記少なくとも１つのプロセッサは、
前記アップリンク許可に基づいて前記第２のＣＣでアップリンクデータ送信を送信し、及び
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信するようにさらに構成される請求項５７に記載の装置。
【請求項５９】
前記少なくとも１つのプロセッサは、前記第１のＣＣでのアップリンクデータ送信に関して前記ＵＥをスケジューリングするために前記第１のＣＣで送信された第２のアップリンク許可を受信するようにさらに構成され、前記第２のアップリンク許可は、前記第１のＣＣに関するものであり及び前記第１のＣＣに関する前記アップリンク許可送信タイムラインに基づいて送信される請求項５７に記載の装置。
【請求項６０】
キャリアアグリゲーションのためにユーザ装置（ＵＥ）に関して構成された第１のコンポーネントキャリア（ＣＣ）及び第２のＣＣを決定することを少なくとも１つのプロセッサに行わせるためのコードと、
前記第２のＣＣでのアップリンクデータ送信に関して前記ＵＥをスケジューリングするために前記第１のＣＣで送信されたアップリンク許可を受信することを前記少なくとも１つのプロセッサに行わせるためのコードと、を備える非一時的なコンピュータによって読み取り可能な媒体、を備え、
前記第１及び第２のＣＣは、異なるシステム構成と関連付けられ、
前記アップリンク許可は、前記第２のＣＣに関するものであり及び前記第１のＣＣに関するアップリンク許可送信タイムラインに基づいて前記第１のＣＣで送信される、コンピュータプログラム製品。
【請求項６１】
前記第１のＣＣ及び前記第２のＣＣは、時分割複信（ＴＤＤ）システム構成と関連づけられる、請求項１に記載の方法。
【請求項６２】
前記第１のＣＣまたは前記第２のＣＣうちの１つは、時分割複信（ＴＤＤ）システム構成と関連づけられ、他方のＣＣは、周波数分割複信（ＦＤＤ）システム構成と関連づけられる、請求項１に記載の方法。
【請求項６３】
前記第１のＣＣ及び前記第２のＣＣは、時分割複信（ＴＤＤ）システム構成と関連づけられる、請求項２２に記載の方法。
【請求項６４】
前記第１のＣＣまたは前記第２のＣＣうちの１つは、時分割複信（ＴＤＤ）システム構成と関連づけられ、他方のＣＣは、周波数分割複信（ＦＤＤ）システム構成と関連づけられる、請求項２２に記載の方法。
【請求項６５】
前記第１のＣＣ及び前記第２のＣＣは、時分割複信（ＴＤＤ）システム構成と関連づけられる、請求項３７に記載の方法。
【請求項６６】
前記第１のＣＣまたは前記第２のＣＣうちの１つは、時分割複信（ＴＤＤ）システム構成と関連づけられ、他方のＣＣは、周波数分割複信（ＦＤＤ）システム構成と関連づけられる、請求項３７に記載の方法。
【請求項６７】
前記第１のＣＣ及び前記第２のＣＣは、時分割複信（ＴＤＤ）システム構成と関連づけられる、請求項５１に記載の方法。
【請求項６８】
前記第１のＣＣまたは前記第２のＣＣうちの１つは、時分割複信（ＴＤＤ）システム構成と関連づけられ、他方のＣＣは、周波数分割複信（ＦＤＤ）システム構成と関連づけられる、請求項５１に記載の方法。
【請求項６９】
前記第１のＣＣ及び前記第２のＣＣは、時分割複信（ＴＤＤ）システム構成と関連づけられる、請求項６に記載の方法。
【請求項７０】
前記第１のＣＣまたは前記第２のＣＣうちの１つは、時分割複信（ＴＤＤ）システム構成と関連づけられ、他方のＣＣは、周波数分割複信（ＦＤＤ）システム構成と関連づけられる、請求項６に記載の方法。
【手続補正２】
【補正対象書類名】明細書
【補正対象項目名】０１５２
【補正方法】変更
【補正の内容】
【０１５２】
本開示に関する前の説明は、当業者が本開示を製造又は使用することを可能にするために提供される。本開示に対する様々な修正は、当業者にとって容易に明確になるであろう、及びここにおいて定められる一般原理は、本開示の適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
以下に、本願出願の当初の特許請求の範囲に記載された発明を付記する。
[Ｃ１]
キャリアアグリゲーションのためにユーザ装置（ＵＥ）に関して構成された第１のコンポーネントキャリア（ＣＣ）及び第２のＣＣを識別することであって、前記第１及び第２のＣＣは、異なるシステム構成と関連付けられることと、
前記ＵＥに対して前記第２のＣＣでデータ送信を送信することと、
前記第２のＣＣで前記データ送信のためのアップリンク制御情報（ＵＣＩ）を受信することであって、前記ＵＣＩは前記第２のＣＣに関するものであり及び前記第１のＣＣに関するＵＣＩ送信タイムラインに基づいて前記ＵＥによって前記第１のＣＣで送信されることと、を備える、無線通信のための方法。
[Ｃ２]
前記第１のＣＣは、前記ＵＥに関するプライマリＣＣ（ＰＣＣ）であり、前記第２のＣＣは、セカンダリＣＣ（ＳＣＣ）であるＣ１に記載の方法。
[Ｃ３]
前記第１のＣＣは、第１のアップリンク−ダウンリンク構成と関連付けられ、前記第２のＣＣは、第２のアップリンク−ダウンリンク構成と関連付けられ、前記第１のＣＣに関する前記ＵＣＩ送信タイムラインは、前記第１のＣＣに関する前記第１のアップリンク−ダウンリンク構成に基づいて決定されるＣ１に記載の方法。
[Ｃ４]
前記第１のＣＣは、前記第２のＣＣよりも多くのダウンリンクサブフレームと関連付けられるＣ１に記載の方法。
[Ｃ５]
前記ＵＣＩは、前記ＵＥに前記第２のＣＣで送信された前記データ送信に関する肯定応答／否定応答（ＡＣＫ／ＮＡＣＫ）を備えるＣ１に記載の方法。
[Ｃ６]
前記ＡＣＫ／ＮＡＣＫは、チャネル選択を有する物理アップリンク制御チャネル（ＰＵＣＣＨ）形式１ｂに基づいて前記ＵＥによって送信され、前記ＡＣＫ／ＮＡＣＫに関するマッピングテーブルは、前記ＵＥに関して構成された全ＣＣに関する単一のアップリンクサブフレームと関連付けられた最大数のダウンリンクサブフレームに基づいて決定されるＣ５に記載の方法。
[Ｃ７]
前記ＵＣＩは、前記ＵＥに関するチャネル状態情報（ＣＩＳ）構成に基づいて前記ＵＥによって送信されるＣＳＩを備えるＣ１に記載の方法。
[Ｃ８]
前記第２のＣＣのためのチャネル状態情報（ＣＳＩ）を前記ＵＥから周期的に受信することであって、前記ＣＳＩは、前記第１のＣＣに関するアップリンク−ダウンリンク構成に基づいて決定された周期性で前記ＵＥによって送信されること、をさらに備えるＣ１に記載の方法。
[Ｃ９]
前記第２のＣＣでの前記データ送信に関して前記ＵＥをスケジューリングするために前記第１のＣＣでダウンリンク許可を送信することであって、前記ダウンリンク許可は、前記第２のＣＣに関するものであり及び前記第１のＣＣに関するダウンリンク許可送信タイムラインに基づいて送信されること、をさらに備えるＣ１に記載の方法。
[Ｃ１０]
前記第１のＣＣ又は前記第２のＣＣでのアップリンクデータ送信に関して前記ＵＥをスケジューリングするためのアップリンク許可を送信することであって、前記アップリンク許可は、前記第１のＣＣに関するアップリンク許可送信タイムラインに基づいて前記第１のＣＣで送信されること、をさらに備えるＣ１に記載の方法。
[Ｃ１１]
前記第２のＣＣでのアップリンクデータ送信に関して前記ＵＥをスケジューリングするためのアップリンク許可を送信することであって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信されることをさらに備えるＣ１に記載の方法。
[Ｃ１２]
前記ＵＥから前記第２のＣＣでアップリンクデータ送信を受信することと、
前記第２のＣＣでの前記アップリンクデータ送信に関する肯定応答／否定応答（ＡＣＫ／ＮＡＣＫ）を決定することと、
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信することと、をさらに備えるＣ１に記載の方法。
[Ｃ１３]
キャリアアグリゲーションのためにユーザ装置（ＵＥ）に関して構成された第１のコンポーネントキャリア（ＣＣ）及び第２のＣＣを識別するための手段であって、前記第１及び第２のＣＣは、異なるシステム構成と関連付けられる手段と、
前記ＵＥに対して前記第２のＣＣでデータ送信を送信するための手段と、
前記第２のＣＣで前記データ送信のためのアップリンク制御情報（ＵＣＩ）を受信するための手段であって、前記ＵＣＩは前記第２のＣＣに関するものであり及び前記第１のＣＣに関するＵＣＩ送信タイムラインに基づいて前記ＵＥによって前記第１のＣＣで送信される手段と、を備える、無線通信のための装置。
[Ｃ１４]
前記第１のＣＣ又は前記第２のＣＣでのアップリンクデータ送信に関して前記ＵＥをスケジューリングするためのアップリンク許可を送信するための手段であって、前記アップリンク許可は、前記第１のＣＣに関するアップリンク許可送信タイムラインに基づいて前記第１のＣＣで送信される手段、をさらに備えるＣ１３に記載の装置。
[Ｃ１５]
前記第２のＣＣでのアップリンクデータ送信に関して前記ＵＥをスケジューリングするためのアップリンク許可を送信するための手段であって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信される手段、をさらに備えるＣ１３に記載の装置。
[Ｃ１６]
前記ＵＥから前記第２のＣＣでアップリンクデータ送信を受信するための手段と、
前記第２のＣＣでの前記アップリンクデータ送信に関する肯定応答／否定応答（ＡＣＫ／ＮＡＣＫ）を決定するための手段と、
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信するための手段と、をさらに備えるＣ１３に記載の装置。
[Ｃ１７]
キャリアアグリゲーションのためにユーザ装置（ＵＥ）に関して構成された第１のコンポーネントキャリア（ＣＣ）及び第２のＣＣを識別し、
前記ＵＥに対して前記第２のＣＣでデータ送信を送信し、及び
前記第２のＣＣで前記データ送信のためのアップリンク制御情報（ＵＣＩ）を受信するように構成された少なくとも１つのプロセッサを備え、前記第１及び第２のＣＣは、異なるシステム構成と関連付けられ、前記ＵＣＩは前記第２のＣＣに関するものであり及び前記第１のＣＣに関するＵＣＩ送信タイムラインに基づいて前記ＵＥによって前記第１のＣＣで送信される、無線通信のための装置。
[Ｃ１８]
前記少なくとも１つのプロセッサは、前記第１のＣＣ又は前記第２のＣＣでのアップリンクデータ送信に関して前記ＵＥをスケジューリングするためのアップリンク許可を送信するようにさらに構成され、前記アップリンク許可は、前記第１のＣＣに関するアップリンク許可送信タイムラインに基づいて前記第１のＣＣで送信されるＣ１７に記載の装置。
[Ｃ１９]
前記少なくとも１つのプロセッサは、前記第２のＣＣでのアップリンクデータ送信に関してＵＥをスケジューリングするためのアップリンク許可を送信するようにさらに構成され、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信されるＣ１７に記載の装置。
[Ｃ２０]
前記少なくとも１つのプロセッサは、
前記ＵＥから前記第２のＣＣでアップリンクデータ送信を受信し、
前記第２のＣＣでの前記アップリンクデータ送信に関する肯定応答／否定応答（ＡＣＫ／ＮＡＣＫ）を決定し、及び
前記第１のＣＣに関するダウンリンクＡＣＫ／ＮＡＣＫ送信タイムラインに基づいて決定されたサブフレームにおいて前記第１のＣＣで前記ＡＣＫ／ＮＡＣＫを送信するようにさらに構成されるＣ１７に記載の装置。
[Ｃ２１]
キャリアアグリゲーションのためにユーザ装置（ＵＥ）に関して構成された第１のコンポーネントキャリア（ＣＣ）及び第２のＣＣを識別することを少なくとも１つのプロセッサに行わせるためのコードであって、前記第１及び第２のＣＣは、異なるシステム構成と関連付けられるコードと、
前記ＵＥに対して前記第２のＣＣでデータ送信を送信することを前記少なくとも１つのプロセッサに行わせるためのコードと、
前記第２のＣＣで前記データ送信のためのアップリンク制御情報（ＵＣＩ）を受信することを前記少なくとも１つのプロセッサに行わせるためのコードであって、前記ＵＣＩは前記第２のＣＣに関するものであり及び前記第１のＣＣに関するＵＣＩ送信タイムラインに基づいて前記ＵＥによって前記第１のＣＣで送信されるコードと、を備える、非一時的なコンピュータによって読み取り可能な媒体、を備える、コンピュータプログラム製品。
[Ｃ２２]
キャリアアグリゲーションのためにユーザ装置（ＵＥ）に関して構成された第１のコンポーネントキャリア（ＣＣ）及び第２のＣＣを決定することであって、前記第１及び第２のＣＣは、異なるシステム構成と関連付けられることと、
前記第２のＣＣでデータ送信を受信することと、
前記第２のＣＣで前記データ送信のためのアップリンク制御情報（ＵＣＩ）を送信することであって、前記ＵＣＩは前記第２のＣＣに関するものであり及び前記第１のＣＣに関するＵＣＩ送信タイムラインに基づいて前記第１のＣＣで送信されることと、を備える、無線通信のための方法。
[Ｃ２３]
前記ＵＣＩは、前記ＵＥに対して前記第２のＣＣで送信された前記データ送信に関する肯定応答／否定応答（ＡＣＫ／ＮＡＣＫ）を備えるＣ２２に記載の方法。
[Ｃ２４]
前記第２のＣＣでの前記データ送信に関して前記ＵＥをスケジューリングするために前記第１のＣＣで送信されたダウンリンク許可を受信することであって、前記ダウンリンク許可は、前記第２のＣＣに関するものであり及び前記第１のＣＣに関するダウンリンク許可送信タイムラインに基づいて送信されること、をさらに備えるＣ２２に記載の方法。
[Ｃ２５]
前記第１のＣＣ又は前記第２のＣＣでのアップリンクデータ送信に関して前記ＵＥをスケジューリングするアップリンク許可を受信することであって、前記アップリンク許可は、前記第１のＣＣに関するアップリンク許可送信タイムラインに基づいて前記第１のＣＣで送信されること、をさらに備えるＣ２２に記載の方法。
[Ｃ２６]
前記第２のＣＣでのアップリンクデータ送信に関して前記ＵＥをスケジューリングするアップリンク許可を受信することであって、前記アップリンク許可は、前記第２のＣＣに関するアップリンク許可送信タイムラインに基づいて前記第１のＣＣで又は第３のＣＣに関するアップリンク許可送信タイムラインに基づいて前記第３のＣＣで送信されること、をさらに備えるＣ２２に記載の方法。
[Ｃ２７]
前記ＵＥによって前記第２のＣＣでアップリンクデータ送信を送信することと、
前記第２のＣＣでの前記アップリンクデータ送信に関する肯定応答／否定応答（ＡＣＫ／ＮＡＣＫ）を受信することであって、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信されることと、をさらに備えるＣ２２に記載の方法。
[Ｃ２８]
キャリアアグリゲーションのためにユーザ装置（ＵＥ）に関して構成された第１のコンポーネントキャリア（ＣＣ）及び第２のＣＣを決定するための手段であって、前記第１及び第２のＣＣは、異なるシステム構成と関連付けられる手段と、
前記第２のＣＣでデータ送信を受信するための手段と、
前記第２のＣＣで前記データ送信のためのアップリンク制御情報（ＵＣＩ）を送信するための手段であって、前記ＵＣＩは前記第２のＣＣに関するものであり及び前記第１のＣＣに関するＵＣＩ送信タイムラインに基づいて前記第１のＣＣで送信される手段と、を備える、無線通信のための装置。
[Ｃ２９]
前記第１のＣＣ又は前記第２のＣＣでのアップリンクデータ送信に関して前記ＵＥをスケジューリングするアップリンク許可を受信するための手段であって、前記アップリンク許可は、前記第１のＣＣに関するアップリンク許可送信タイムラインに基づいて前記第１のＣＣで送信される手段、をさらに備えるＣ２８に記載の装置。
[Ｃ３０]
前記第２のＣＣでのアップリンクデータ送信に関して前記ＵＥをスケジューリングするアップリンク許可を受信するための手段であって、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信される手段、をさらに備えるＣ２８に記載の装置。
[Ｃ３１]
前記ＵＥによって前記第２のＣＣでアップリンクデータ送信を送信するための手段と、
前記第２のＣＣでの前記アップリンクデータ送信に関する肯定応答／否定応答（ＡＣＫ／ＮＡＣＫ）を受信するための手段であって、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信される手段と、をさらに備えるＣ２８に記載の装置。
[Ｃ３２]
キャリアアグリゲーションのためにユーザ装置（ＵＥ）に関して構成された第１のコンポーネントキャリア（ＣＣ）及び第２のＣＣを決定し、
前記第２のＣＣでデータ送信を受信し、及び
前記第２のＣＣで前記データ送信のためのアップリンク制御情報（ＵＣＩ）を送信するように構成された少なくとも１つのプロセッサを備え、前記第１及び第２のＣＣは、異なるシステム構成と関連付けられ、前記ＵＣＩは前記第２のＣＣに関するものであり及び前記第１のＣＣに関するＵＣＩ送信タイムラインに基づいて前記第１のＣＣで送信される、無線通信のための装置。
[Ｃ３３]
前記少なくとも１つのプロセッサは、前記第１のＣＣ又は前記第２のＣＣでのアップリンクデータ送信に関して前記ＵＥをスケジューリングするアップリンク許可を受信するようにさらに構成され、前記アップリンク許可は、前記第１のＣＣに関するアップリンク許可送信タイムラインに基づいて前記第１のＣＣで送信されるＣ３２に記載の装置。
[Ｃ３４]
前記少なくとも１つのプロセッサは、
前記第２のＣＣでのアップリンクデータ送信に関して前記ＵＥをスケジューリングするアップリンク許可を受信するようにさらに構成され、前記アップリンク許可は、前記第２のＣＣに関するアップリンク許可送信タイムラインに基づいて前記第１のＣＣで又は第３のＣＣに関するアップリンク許可送信タイムラインにもとづいて前記第３のＣＣで送信されるＣ３２に記載の装置。
[Ｃ３５]
前記少なくとも１つのプロセッサは、
前記ＵＥによって前記第２のＣＣでアップリンクデータ送信を送信し、及び
前記第２のＣＣでの前記アップリンクデータ送信に関する肯定応答／否定応答（ＡＣＫ／ＮＡＣＫ）を受信するようにさらに構成され、前記ＡＣＫ／ＮＡＣＫは、前記第１のＣＣに関するダウンリンクＡＣＫ／ＮＡＣＫ送信タイムラインに基づいて決定されたサブフレームにおいて前記第１のＣＣで送信されるＣ３２に記載の装置。
[Ｃ３６]
キャリアアグリゲーションのためにユーザ装置（ＵＥ）に関して構成された第１のコンポーネントキャリア（ＣＣ）及び第２のＣＣを決定することを少なくとも１つのプロセッサに行わせるためのコードと、
前記第２のＣＣでデータ送信を受信することを前記少なくとも１つのプロセッサに行わせるためのコードと、
前記第２のＣＣで前記データ送信のためのアップリンク制御情報（ＵＣＩ）を送信することを前記少なくとも１つのプロセッサに行わせるためのコードと、を備える非一時的なコンピュータによって読み取り可能な媒体を備え、前記第１及び第２のＣＣは、異なるシステム構成と関連付けられ、前記ＵＣＩは前記第２のＣＣに関するものであり及び前記第１のＣＣに関するＵＣＩ送信タイムラインに基づいて前記第１のＣＣで送信される、コンピュータプログラム製品。
[Ｃ３７]
キャリアアグリゲーションのためにユーザ装置（ＵＥ）に関して構成された第１のコンポーネントキャリア（ＣＣ）及び第２のＣＣを識別することであって、前記第１及び第２のＣＣは、異なるシステム構成と関連付けられることと、
前記第２のＣＣでのアップリンクデータ送信に関して前記ＵＥをスケジューリングするために前記第１のＣＣでアップリンク許可を送信することであって、前記アップリンク許可は、前記第２のＣＣに関するものであり及び前記第１のＣＣに関するアップリンク許可送信タイムラインに基づいて前記第１のＣＣで送信されることと、を備える、無線通信のための方法。
[Ｃ３８]
前記第１のＣＣは、前記ＵＥに関するプライマリＣＣであり、前記第２のＣＣは、前記ＵＥに関するセカンダリＣＣであるＣ３７に記載の方法。
[Ｃ３９]
前記第１のＣＣは、第１のアップリンク−ダウンリンク構成と関連付けられ、前記第２のＣＣは、第２のアップリンク−ダウンリンク構成と関連付けられ、前記第１のＣＣに関する前記アップリンク許可送信タイムラインは、前記第１のＣＣに関する前記第１のアップリンク−ダウンリンク構成に基づいて決定されるＣ３７に記載の方法。
[Ｃ４０]
前記第１のＣＣは、前記第２のＣＣよりも多くのダウンリンクサブフレームと関連付けられるＣ３７に記載の方法。
[Ｃ４１]
前記アップリンク許可に基づいて前記ＵＥによって前記第２のＣＣで送信されたアップリンクデータ送信を受信することと、
前記アップリンクデータ送信に関する肯定応答／否定応答（ＡＣＫ／ＮＡＣＫ）を決定することと、
前記第１のＣＣに関するＡＣＫ／ＮＡＣＫ送信タイムラインに基づいて決定されたサブフレームにおいて前記第１のＣＣで前記ＡＣＫ／ＮＡＣＫを送信することと、をさらに備えるＣ３７に記載の方法。
[Ｃ４２]
前記決定されたサブフレームは、前記第１のＣＣに関するアップリンク−ダウンリンク構成に基づいて前記第１のＣＣでＡＣＫ／ＮＡＣＫを送信することができるサブフレームであるＣ４１に記載の方法。
[Ｃ４３]
前記第１のＣＣでのアップリンクデータ送信に関して前記ＵＥをスケジューリングするために前記第１のＣＣで第２のアップリンク許可を送信することであって、前記第２のアップリンク許可は、前記第１のＣＣに関するものであり及び前記第１のＣＣに関する前記アップリンク許可送信タイムラインに基づいて送信されること、をさらに備えるＣ３７に記載の方法。
[Ｃ４４]
キャリアアグリゲーションのためにユーザ装置（ＵＥ）に関して構成された第１のコンポーネントキャリア（ＣＣ）及び第２のＣＣを識別するための手段であって、前記第１及び第２のＣＣは、異なるシステム構成と関連付けられる手段と、
前記第２のＣＣでのアップリンクデータ送信に関して前記ＵＥをスケジューリングするために前記第１のＣＣでアップリンク許可を送信するための手段であって、前記アップリンク許可は、前記第２のＣＣに関するものであり及び前記第１のＣＣに関するアップリンク許可送信タイムラインに基づいて前記第１のＣＣで送信される手段と、を備える、無線通信のための装置。
[Ｃ４５]
前記アップリンク許可に基づいて前記ＵＥによって前記第２のＣＣで送信されたアップリンクデータ送信を受信するための手段と、
前記アップリンクデータ送信に関する肯定応答／否定応答（ＡＣＫ／ＮＡＣＫ）を決定するための手段と、
前記第１のＣＣに関するＡＣＫ／ＮＡＣＫ送信タイムラインに基づいて決定されたサブフレームにおいて前記第１のＣＣで前記ＡＣＫ／ＮＡＣＫを送信するための手段と、をさらに備えるＣ４４に記載の装置。
[Ｃ４６]
前記第１のＣＣでのアップリンクデータ送信に関して前記ＵＥをスケジューリングするために前記第１のＣＣで第２のアップリンク許可を送信するための手段であって、前記第２のアップリンク許可は、前記第１のＣＣに関するものであり及び前記第１のＣＣに関する前記アップリンク許可送信タイムラインに基づいて送信される手段、をさらに備えるＣ４４に記載の装置。
[Ｃ４７]
キャリアアグリゲーションのためにユーザ装置（ＵＥ）に関して構成された第１のコンポーネントキャリア（ＣＣ）及び第２のＣＣを識別し、及び
前記第２のＣＣでのアップリンクデータ送信に関して前記ＵＥをスケジューリングするために前記第１のＣＣでアップリンク許可を送信するように構成された少なくとも１つのプロセッサを備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、無線通信のための装置。
[Ｃ４８]
前記少なくとも１つのプロセッサは、
前記アップリンク許可に基づいて前記ＵＥによって前記第２のＣＣで送信されたアップリンクデータ送信を受信し、
前記アップリンクデータ送信に関する肯定応答／否定応答（ＡＣＫ／ＮＡＣＫ）を決定し、及び
前記第１のＣＣに関するＡＣＫ／ＮＡＣＫ送信タイムラインに基づいて決定されたサブフレームにおいて前記第１のＣＣで前記ＡＣＫ／ＮＡＣＫを送信するようにさらに構成されるＣ４７に記載の装置。
[Ｃ４９]
前記少なくとも１つのプロセッサは、前記第１のＣＣでのアップリンクデータ送信に関して前記ＵＥをスケジューリングするために前記第１のＣＣで第２のアップリンク許可を送信するようにさらに構成され、前記第２のアップリンク許可は、前記第１のＣＣに関するものであり及び前記第１のＣＣに関する前記アップリンク許可送信タイムラインに基づいて送信されるＣ４７に記載の装置。
[Ｃ５０]
キャリアアグリゲーションのためにユーザ装置（ＵＥ）に関して構成された第１のコンポーネントキャリア（ＣＣ）及び第２のＣＣを識別することを少なくとも１つのプロセッサに行わせるためのコードと、
前記第２のＣＣでのアップリンクデータ送信に関して前記ＵＥをスケジューリングするために前記第１のＣＣでアップリンク許可を送信することを前記少なくとも１つのプロセッサに行わせるためのコードと、を備える非一時的なコンピュータによって読み取り可能な媒体を備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、コンピュータプログラム製品。
[Ｃ５１]
キャリアアグリゲーションのためにユーザ装置（ＵＥ）に関して構成された第１のコンポーネントキャリア（ＣＣ）及び第２のＣＣを決定することであって、前記第１及び第２のＣＣは、異なるシステム構成と関連付けられることと、
前記第２のＣＣでのアップリンクデータ送信に関して前記ＵＥをスケジューリングするために前記第１のＣＣで送信されたアップリンク許可を受信することであって、前記アップリンク許可は、前記第２のＣＣに関するものであり及び前記第１のＣＣに関するアップリンク許可送信タイムラインに基づいて前記第１のＣＣで送信されることと、を備える、無線通信のための方法。
[Ｃ５２]
前記アップリンク許可に基づいて前記第２のＣＣでアップリンクデータ送信を送信することと、
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信することと、をさらに備えるＣ５１に記載の方法。
[Ｃ５３]
前記第１のＣＣでのアップリンクデータ送信に関して前記ＵＥをスケジューリングするために前記第１のＣＣで第２のアップリンク許可を受信することであって、前記第２のアップリンク許可は、前記第１のＣＣに関するものであり及び前記第１のＣＣに関する前記アップリンク許可送信タイムラインに基づいて送信されること、をさらに備えるＣ５１に記載の方法。
[Ｃ５４]
キャリアアグリゲーションのためにユーザ装置（ＵＥ）に関して構成された第１のコンポーネントキャリア（ＣＣ）及び第２のＣＣを決定するための手段であって、前記第１及び第２のＣＣは、異なるシステム構成と関連付けられる手段と、
前記第２のＣＣでのアップリンクデータ送信に関して前記ＵＥをスケジューリングするために前記第１のＣＣで送信されたアップリンク許可を受信するための手段であって、前記アップリンク許可は、前記第２のＣＣに関するものであり及び前記第１のＣＣに関するアップリンク許可送信タイムラインに基づいて前記第１のＣＣで送信される手段と、を備える、無線通信のための装置。
[Ｃ５５]
前記アップリンク許可に基づいて前記第２のＣＣでアップリンクデータ送信を送信するための手段と、
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信するための手段と、をさらに備えるＣ５４に記載の装置。
[Ｃ５６]
前記第１のＣＣでのアップリンクデータ送信に関して前記ＵＥをスケジューリングするために前記第１のＣＣで送信された第２のアップリンク許可を受信するための手段であって、前記第２のアップリンク許可は、前記第１のＣＣに関するものであり及び前記第１のＣＣに関する前記アップリンク許可送信タイムラインに基づいて送信される手段、をさらに備えるＣ５４に記載の装置。
[Ｃ５７]
キャリアアグリゲーションのためにユーザ装置（ＵＥ）に関して構成された第１のコンポーネントキャリア（ＣＣ）及び第２のＣＣを決定し、及び
前記第２のＣＣでのアップリンクデータ送信に関して前記ＵＥをスケジューリングするために前記第１のＣＣで送信されたアップリンク許可を受信するように構成された少なくとも１つのプロセッサを備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、無線通信のための装置。
[Ｃ５８]
前記少なくとも１つのプロセッサは、
前記アップリンク許可に基づいて前記第２のＣＣでアップリンクデータ送信を送信し、及び
前記第１のＣＣに関する肯定応答／否定応答（ＡＣＫ／ＮＡＣＫ）送信タイムラインに基づいて決定されたサブフレームにおいて前記第１のＣＣでの前記アップリンクデータ送信に関するＡＣＫ／ＮＡＣＫを受信するようにさらに構成されるＣ５７に記載の装置。
[Ｃ５９]
前記少なくとも１つのプロセッサは、前記第１のＣＣでのアップリンクデータ送信に関して前記ＵＥをスケジューリングするために前記第１のＣＣで送信された第２のアップリンク許可を受信するようにさらに構成され、前記第２のアップリンク許可は、前記第１のＣＣに関するものであり及び前記第１のＣＣに関する前記アップリンク許可送信タイムラインに基づいて送信されるＣ５７に記載の装置。
[Ｃ６０]
キャリアアグリゲーションのためにユーザ装置（ＵＥ）に関して構成された第１のコンポーネントキャリア（ＣＣ）及び第２のＣＣを決定することを少なくとも１つのプロセッサに行わせるためのコードと、
前記第２のＣＣでのアップリンクデータ送信に関して前記ＵＥをスケジューリングするために前記第１のＣＣで送信されたアップリンク許可を受信することを前記少なくとも１つのプロセッサに行わせるためのコードと、を備える非一時的なコンピュータによって読み取り可能な媒体、を備え、前記第１及び第２のＣＣは、異なるシステム構成と関連付けられ、前記アップリンク許可は、前記第２のＣＣに関するものであり及び前記第１のＣＣに関するアップリンク許可送信タイムラインに基づいて前記第１のＣＣで送信される、コンピュータプログラム製品。
【国際調査報告】
2014526196.tif 000043
2014526196.tif 000044
2014526196.tif 000045
2014526196.tif 000046
2014526196.tif 000047